(57)【要約】      （修正有）【課題】石綿スレートを使用して、数十年が経過をしている工場、又は倉庫の屋根の表面上にある、石綿スレートの上を歩くことは危険であり、解体すると、発ガン性があるアスベストが飛散をするので、屋根の強度を補強して、補修工事を安全に行う工事方法を提供する。【解決手段】ポリスチレンが主原材料で出来ている発泡倍率が低倍率の極く低い発泡スチロールで出来ている、片面の形状が石綿スレート２６の形状をし、もう一方の片面が平板形状をした、又は両面の形状が平板形状をした発泡スチロール、を使用して、旧い石綿スレート２６の強度を補強して補修工事を安全に行う。【選択図】図８３
2014015803.tif 000002
【特許請求の範囲】
【請求項１】
波板形状をしたトタン板（２）の表面上に太陽電池（１）を形成する目的のために、波板形状をしたトタン板（２）の裏面に垂木（３）を釘（４）を使用して、波板形状をしたトタン板（２）の裏面に垂木（３）を釘（４）を使用して、波板形状をしたトタン板（２）の裏面に垂木（３）を固定したあとの、波板形状をしたトタン板（２）の表面上に太陽電池（１）を形成したことを特徴としたトタン板（２）の表面上に太陽電池（１）を形成しているトタン板、及びその加工方法。
【請求項２】
波板形状をしたトタン板（２）の表面上に太陽電池（１）を形成する目的のために、波板形状をしたトタン板（２）の裏面に垂木（３）を固定する目的のために、ボルト（５）を溶接するか、又は金属接着剤を使用してボルト（５）を固定している、波板形状をしたトタン板（２）の裏面に垂木（３）をナット（６）を使用して、波板形状をしたトタン板（２）の裏面に垂木（３）を固定したあとの、波板形状をしたトタン板（２）の表面上に太陽電池（１）を形成したことを特徴としたトタン板（２）の表面上に太陽電池（１）を形成しているトタン板、及びその加工方法。
【請求項３】
波板形状をしたトタン板（２）の表面上に太陽電池（１）を形成する目的のために、波板形状をしたトタン板（２）に凹凸を形成している凹形状、又は凸形状の裏面に、凹形状、又は凸形状の方向にそって平行方向に垂木（３）を釘（４）を使用して、波板形状をしたトタン板（２）の裏面に垂木（３）を釘付けをして垂木（３）を固定をしたあとの、波板形状をしたトタン板（２）の表面上に太陽電池（１）を形成したことを特徴としたトタン板（２）の表面上に太陽電池（１）を形成しているトタン板、及びその加工方法。
【請求項４】
波板形状をしたトタン板（２）の表面上に太陽電池（１）を形成する目的のために、波板形状をしたトタン板（２）の裏面に垂木（３）を固定する目的のために、ボルト（５）を溶接するか、又は金属接着剤を使用してボルト（５）を波板形状をしたトタン板（２）の裏面に、波板の凹凸を形成している凹形状、又は凸形状の裏面に、凹形状、又は凸型の方向にそって平行方向に垂木（３）をボルト（５）、及びナット（６）を使用して、波板形状をしたトタン板（２）の裏面に垂木（３）を取り付けて固定をしたあとの、波板形状をしたトタン板（２）の表面上に太陽電池（１）を形成したことを特徴としたトタン板（２）の表面上に太陽電池（１）を形成しているトタン板、及びその加工方法。
【請求項５】
波板形状をしたトタン板（２）の表面上に太陽電池（１）を形成する目的のために、波板形状をしたトタン板（２）の裏面に垂木（３）を固定する目的のために、波板形状をしたトタン板（２）の裏面にナット（６）を溶接するか、又は金属接着剤を使用してナット（６）を固定している、波板形状をしたトタン板（２）の裏面に、垂木（３）をボルト（５）を使用して、波板形状をしたトタン板（２）の裏面に垂木（３）を固定をしたあとの、波板形状をしたトタン板（２）の表面上に太陽電池（１）を形成したことを特徴としたトタン板（２）の表面上に太陽電池（１）を形成したことを特徴としたトタン板、及びその加工方法。
【請求項６】
波板形状をしたトタン板（２）の表面上に太陽電池（１）を形成する目的のために、波板形状をしたトタン板（２）の裏面に垂木（３）を固定する目的のために、ボルト（５）を溶接するか、又は金属接着剤を使用してボルト（５）を波板形状をしたトタン板（２）の裏面に固定をしたあとの、波板形状をしたトタン板（２）の表面上に太陽電池（１）を形成したことを特徴としたトタン板（２）の表面上に太陽電池（１）を形成しているトタン板、及びその加工方法。
【請求項７】
波板形状をしたトタン板（２）の表面上に太陽電池（１）を形成する目的のために、波板形状をしたトタン板（２）の裏面に垂木（３）を固定する目的のために、波板形状をしたトタン板（２）の裏面にナット（６）を溶接するか、又は金属接着剤を使用してナット（６）を波板形状をしたトタン板（２）の裏面に固定をしたあとの、波板形状をしたトタン板（２）の表面上に太陽電池（１）を形成したことを特徴としたトタン板（２）の表面上に太陽電池（１）を形成しているトタン板、及びその加工方法。
【請求項８】
波板形状をしたトタン板（２）の表面上に太陽電池（１）を形成する目的のために、波板形状をしたトタン板（２）の裏面に垂木（３）を固定する目的のために、波板形状を
したトタン板（２）の裏面にフック（７）を溶接するか、又は金属接着剤を使用してフック（７）を波板形状をしたトタン板（２）の裏面に固定をしたあとの、波板形状をしたトタン板（２）の表面上に太陽電池（１）を形成したことを特徴としたトタン板（２）の表面上に太陽電池（１）を形成しているトタン板、及びその加工方法。
【請求項９】
平板で出来ているトタン板（８）の表面上に太陽電池（１）を形成する目的のために、平板で出来ているトタン板（８）の裏面に垂木（３）などを取り付ける目的のために、ボルト（５）を溶接するか、又は金属接着剤を使用してボルト（５）を固定したあとの、平板で出来ているトタン板（８）の表面上に太陽電池（１）を形成したことを特徴としたトタン板（２）の表面上に太陽電池（１）を形成しているトタン板、及びその加工方法。
【請求項１０】
平板で出来ているトタン板（８）の表面上に太陽電池（１）を形成する目的のために、平板で出来ているトタン板（８）の裏面に垂木（３）などを取り付ける目的のために、ナット（６）を溶接するか、又は金属接着剤を使用してナット（６）を固定したあとの、平板で出来ているトタン板（８）の表面上に太陽電池（１）を形成したことを特徴としたトタン板（２）の表面上に太陽電池（１）を形成しているトタン板、及びその加工方法。
【請求項１１】
平板で出来ているトタン板（８）の表面上に太陽電池（１）を形成する目的のために、平板で出来ているトタン板（８）の裏面に垂木（３）などを取り付ける目的のために、フック（７）を溶接するか、又は金属接着剤を使用してフック（７）を固定したあとの、平板で出来ているトタン板（８）の表面上に太陽電池（１）を形成したことを特徴としたトタン板（２）の表面上に太陽電池（１）を形成しているトタン板、及びその加工方法。
【請求項１２】
波板形状をしたトタン板（２）、又は平板で出来ているトタン板（８）の裏面にフック（７）、又はパッドアイ（７）、又はロングアイ（７）、又はオープンパッドアイ（７）、又はアイストラップ（７）、又はＵＫターンバックル（７）、（以下、略して、ナット、又はフック、又はアイとする）を取り付けるか、又は垂木（３）を取り付けている波板形状をしたトタン板（２）、又は平板で出来ているトタン板（８）の表面上に、多方面から太陽光線を集光することが出来る、発電効率が一段と高い球状シリコン太陽電池モジュールを形成した波板形状をしたトタン板（２）、又は平板で出来ているトタン板（８）の表面上に太陽電池（１）を形成しているトタン板を家屋の屋根を構成している垂木（３）、又は壁を構成している垂木（３）に、家屋の屋根の裏面、又は家屋を構成している壁の裏面から、波板形状をしたトタン板（２）、又は平板で出来ているトタン板（８）の表面上に太陽電池（１）を形成している、太陽電池（１）を取り付けて固定をすることを特徴とした太陽電池（１）を形成した波板形状をしたトタン板（２）、又は太陽電池（１）を形成した平板で出来ているトタン板（８）、及びその加工方法。
【請求項１３】
波板形状をしたトタン板（２）、又は平板で出来ているトタン板（８）（以下、略して、トタン板、又は鉄板とする）を構成している鉄板の表面上にアルミニウム（Ａｌ）５５％＋亜鉛（Ｚｎ）４３．４％＋珪素（Ｓｉ）１．６％の合金の母材が溶融をしているメッキ槽の内部に鉄板であるトタン板を浸してメッキをした、名称がガルバリウムメッキ加工（以下、略して、ガルバ鋼板、又は日新鋼板（株）が製造販売をしている商品名がガルバスター、又はＺＧとする）を行った波板形状をしたトタン板（２）、又は平板で出来ているトタン板（８）の表面上に太陽電池（１）を形成した、トタン板の表面上に太陽電池（１）を形成した表面上から家屋の屋根を構成している垂木（３）に釘（４）を使用して、直接に太陽電池（１）を形成している波板形状をしたトタン板（２）、又は平板で出来ているトタン板（８）を釘（４）を使用して垂木（３）にトタン板の上から打ち付けても、ガルバ鋼板で出来ているトタン板は防食性が高くて腐蝕に強いので、、ガルバ鋼板で出来ているトタン板の表面上に形成をした太陽電池（１）と、波板形状をしたトタン板（２）、又は平板で出来ているトタン板（８）との剥離の進行を、最も低下させることが出来るので、ガルバ鋼板で出来ている波板形状をしたトタン板（２）の表面上に太陽電池（１）を形成する。又は平板で出来ているトタン板（８）の表面上に太陽電池（１）を形成しているトタン板であれば、釘（４）を使用してトタン板の表面上から家屋の屋根を構成している垂木（３）に、直接にトタン板の表面上の面から釘（４）を使用して垂木（３）にトタン板を打ち付けることが出来ることを特徴とした太陽電池（１）を形成した波板形状をしたトタン板（２）、又は太陽電池（１）を形成した平板で出来ているトタン板（８）、及びその加工方法。
【請求項１４】
、牛舎、及び堆肥舎の用途に適した波板形状をしたトタン板（２）、又は平板で出来ているトタン板（８）、（以下、略して、トタン板とする）の表面上にメッキ加工するのには、例えば、日新鋼板（株）が製造販売をしている耐アンモニア性、及び耐湿潤性に優れている、亜鉛（Ｚｎ）９１％＋アルミニウム（Ａｌ）６％＋マグネシウム（Ｍｇ）１％で出来ている金属が溶融をしているメッキ槽の内部にてドブヅケメッキ加工をした、商品名がＺＡＭ  鋼板を使用した波板形状をしたトタン板の表面上に太陽電池（１）を形成する。または、平板で出来ているトタン板（８）の表面上に太陽電池（１）を形成することを特徴とした太陽電池（１）を形成した波板形状をしたトタン板（２）、又は太陽電池（１）を形成した平板で出来ているトタン板（８）、及びその加工方法。
【請求項１５】
波板形状をしたトタン板（２）を裏面から家屋の屋根材を構成している垂木（３）を取り付けることにより、波板形状をしたトタン板（２）の表面上を一切損傷をすることなく、波板形状をしたトタン板（２）を家屋の屋根材を構成している垂木（３）に取り付けて固定をすることを特徴とした波板形状をしたトタン板（２）、又は平板で出来ているトタン板（８）、及びその加工方法。
【請求項１６】
波板形状をしたトタン板（２）の表面上に太陽電池（１）を取り付ける目的のために、波板形状をしたトタン板（２）と太陽電池（１）との中間に、発泡スチロール製板（１１）で出来ている両側面が平板形状で出来ている発泡スチロール製板（１１）を、波板形状をしたトタン板（２）と太陽電池（１）との中間に介在をさせたモジュールを波板形状をしたトタン板（２）の表面上に溶接部分（１３）、又は金属接着剤部分（１３）を使用して接合をしているボルト（５）、及びナット（６）を使用して、発泡スチロール製板（１１）で出来ている両側面が平板形状で出来ている発泡スチロール製板（１１）を中間に介在をさせて、この発泡スチロール製板（１１）の表面上に太陽電池（１）を接着層（１０）を形成して接合をさせたあと、さらに、ボルト（５）、及びナット（６）を使用して波板形状をしたトタン板（２）に太陽電池（１）を取り付けたあと、波板形状をしたトタン板（２）の裏面にフック（７）、又はパッドアイ（７）、又はロングアイ（７）、又はオープンパッドアイ（７）、又はアイストラップ（７）、又はＵＫターンバックル（７）、又はナット付Ｌ棒、（以下、略して、パッドアイとする）を、波板形状をしたトタン板（２）に取り付けたあと、波板形状をしたトタン板（２）の裏面に取り付けているパッドアイ（７）に、先端部分がｎ字形状をしたナット付きＬ棒を使用して、波板形状をしたトタン板（２）を家屋を構成している屋根材の垂木（３）に、波板形状をしたトタン板（２）の裏面から垂木（３）に、波板形状をしたトタン板（２）を先端部分がｎ字形状をしたナット付きＬ棒と、波板形状をしたトタン板（２）に取り付けているパッドアイ（７）とを使用して、波板形状をしたトタン板（２）の裏面から垂木（３）に取り付けていることを特徴とした波板形状をしたトタン板（２）、又は平板で出来ているトタン板（８）、及びその加工方法。
【請求項１７】
波板形状をしたトタン板（２）、例えば、日新製鋼（株）が製造販売をしている商品名がＺＡＭ鋼板を使用した波板形状をしたトタン板（２）の表面上に、球形Ｓｉ太陽電池面（１６）、強化ガラス（１８）と反射鏡（１７）からなる集光形太陽電池（１）を設置して、太陽電池の温度過熱を抑制するために、太陽電池下部（１９）を波板形状をしたトタン板（２）の山部に密着して、トタン板（２）からも放熱することを特徴とした太陽電池（１）を形成した波板形状をしたトタン板（２）、及びその加工方法。
【請求項１８】
波板形状をしたトタン板（２）の上面を反射鏡（１７）として、円筒形太陽電池面（１６）と導電薄膜付の強化ガラス（１８）と反射鏡（１７）からなる集光形太陽電池（１）を一体的に形成して、太陽電池面（１６）の温度過熱を抑制するために、トタン板（２）から放熱することを特徴とた円筒形太陽電池面（１）を表面上に形成をした波板形状をしたトタン板（２）、及びその加工方法。
【請求項１９】
波板形状をしたトタン板（２）の表面上に太陽電池（１）を取り付ける目的のために、
波板形状をしたトタン板（２）の裏面にフック（７）、又はパッドアイ（７）、又はロングアイ（７）、又はオープンパッドアイ（７）、又はアイストラップ（７）、又はＵＫターンバックル（７）、又はナット付Ｌ棒、（以下、略して、パッドアイとする）を、波板形状をしたトタン板（２）の裏面に取り付けたあと、波板形状をしたトタン板（２）の表面上に太陽電池（１）を接着層（１０）を介在させて接合させたあと、波板形状をしたトタン板（２）の裏面に取り付けているパッドアイ（７）に、先端部分がｎ字形状をしたナット付きＬ棒を使用して、波板形状をしたトタン板（２）を家屋を構成している屋根材の垂木（３）に、波板形状をしたトタン板（２）の裏面から垂木（３）に、波板形状をしたトタン板（２）を先端部分がｎ字形状をしたナット付きＬ棒と、波板形状をしたトタン板（２）に取り付けているパッドアイ（７）とを使用して、波板形状をしたトタン板（２）の裏面から垂木（３）に取り付けることを特徴とした太陽電池（１）を表面上に形成をした波板形状をしたトタン板（２）、及びその加工方法。
【請求項２０】
波板形状をしたトタン板（２）の表面上に太陽電池（１）を取り付ける目的にて、波板形状をしたトタン板（２）の表面上にナット（６）をアーク溶接部分（１３）、又は金属接着剤部分（１３）を形成して、波板形状をしたトタン板（２）の表面上にナット（６）を固定した、波板形状をしたトタン板（２）を形成することにより、例えば、所在地が京都市南区上鳥羽大物町３５の、（株）クリーンベンチャー２１が製造販売をしている球状シリコン太陽電池モジュール（出力１１５Ｗ）を、図３７に示しているように、波板形状をしたトタン板（２）の表面上に取り付けて固定をしているナット（６）を使用して、球状シリコン太陽電池モジュール（出力１１５Ｗ）を使用して、波板形状をしたトタン板（２）の表面上に容易に強固に取り付けることが出来ることを特徴とした太陽電池（１）を表面上に形成をした波板形状をしたトタン板（２）、及びその加工方法。
【請求項２１】
波板形状をしたトタン板（２）の表面上に太陽電池（１）を取り付ける目的にて、波板形状をしたトタン板（２）の表面上にナット（６）をアーク溶接部分（１３）、又は金属接着剤部分（１３）を形成して、波板形状をしたトタン板（２）の表面上にナット（６）を固定したあと、波板形状をしたトタン板（２）と太陽電池（１）との中間に、発泡スチロール製板とアルミニウムで出来ている板でありながら両側面上に接着層（１０）を形成している、発泡スチロール製板を中心として両側面上がアルミニウムで出来ている板、例えば、所在地が東京都千代田区丸の内３−４−２（新日石ビル）にある、会社名が（株）ＪＳＰが製造販売をしている商品名がミラパネエース（以下、略して、ミラパネエースとする）で出来ている合板を、以下、ミラパネエース合板（２０）とする。このミラパネエース合板（２０）で出来ている合板（２０）の両側面上に形成している接着層（１０）を介在させて波板形状をしたトタン板（２）と太陽電池（１）とを積層している。さらに、波板形状をしたトタン板（２）の裏面上にアーク溶接部分（１３）、又は金属接着剤部分（１３）を形成してパッドアイ（７）、又はロングアイ（７）、又はオープンパッドアイ（７）、又はアイストラップ（７）（以下、略して、パッドアイとする）を、波板形状をしたトタン板（２）の裏面上に形成をしている波板形状をしたトタン板（２）を形成したことにより、波板形状をしたトタン板（２）の表面上に形成をした太陽電池（１）の表面上を、人間が自由に歩いても、人間の重量に耐えることが出来る太陽電池（１）の構造物となる。また、防音効果がある。さらに、耐熱効果もある、波板形状をしたトタン板（２）の表面上に太陽電池（１）を形成した、波板形状をしたトタン板（２）なので、太陽電池（１）を敷設するのに、特別の構造物は全く必要がなくて、極く普通に波板形状をしたトタン板（２）を屋根材の屋根として敷設をする作業工程と、全く同じ作業工程にて太陽電池（１）を敷設することが出来ることを特徴とした太陽電池（１）を表面上に形成をした波板形状をしたトタン板（２）、及びその加工方法。
【請求項２２】
従来、波板形状をしたトタン板（２）を家屋の屋根として、現在、波板形状をしたトタン板（２）を使用している場合には、上記にて説明をした、波板形状をしたトタン板（２）の表面上に太陽電池（１）を形成した波板形状をしたトタン板（２）を、現在、家屋の屋根として使用している波板形状をしたトタン板（２）の表面上から、家屋の屋根を構成している波板形状をしたトタン板（２）に穴を形成して、波板形状をしたトタン板（２）を貫通させて、家屋を構成している垂木（３）に、太陽電池（１）の表面上形成をしている波板形状をしたトタン板（２）を強固に固定するために、波板形状をしたトタン板（２）の裏面に取り付けているパッドアイ（７）、又はロングアイ（７）、又はオープンパッドアイ（７）、又はアイストラップ（７）（以下、略して、パッドアイとする）、又はボルト（５）、又はナット（６）、又はナット付きＬ棒などを使用して、現在、家屋の屋根として使用している波板形状をしたトタン板（２）の表面上から、太陽電池（１）を形成している波板形状をしたトタン板（２）を重ねて重複させて設置をすると、より一段と簡便に太陽電池（１）を取り付けることが出来ることを特徴とした太陽電池（１）を表面上に形成をした波板形状をしたトタン板（２）、及びその加工方法。
【請求項２３】
従来、家屋の屋根材として瓦屋根、又はセメントで出来ているスレートの屋根材の屋根、又はその他の人造の薄板で出来ている屋根材の屋根で出来ている家屋の屋根（以下、略して、瓦屋根とする）を、上記にて説明をした、波板形状をしたトタン板（２）の表面上に太陽電池（１）を形成した波板形状をしたトタン板（２）を設置する場合も、上記にて説明をした内容と同様に、家屋の屋根を構成している瓦屋根の瓦に穴を形成して瓦を貫通させて、家屋を構成している垂木（３）に、太陽電池（１）を表面上に形成をしている波板形状をしたトタン板（２）を固定するために、波板形状をしたトタン板（２）の裏面に取り付けているパッドアイ（７）、又はロングアイ（７）、又はオープンパッドアイ（７）、又はアイストラップ（７）（以下、略して、パッドアイとする）、又はボルト（５）、又はナット（６）、又はナット付きＬ棒などを使用して、現在、家屋の屋根として使用している瓦屋根、又はスレート屋根として使用している表面上から、太陽電池（１）を形成している波板形状をしたトタン板（２）を、現在、使用している瓦屋根、又はスレートで出来ている屋根の表面上に強固に重ねて重複させて固定をして設置をすると、上記にて説明をした、現在、家屋の屋根として使用している波板形状をしたトタン板（２）の表面上に、太陽電池（１）を形成している波板形状をしたトタン板（２）を設置する場合と同様に、より一段と簡便に太陽電池（１）を屋根瓦の表面上、又はスレートで出来ている屋根の表面上に強固に固定をすることが出来ることを特徴とした太陽電池（１）を表面上に形成をした波板形状をしたトタン板（２）、及びその加工方法。
【請求項２４】
波板形状をしたトタン板（２）の表面上に太陽電池（１）を取り付ける目的にて、波板形状をしたトタン板（２）の表面上にナット（６）をアーク溶接部分（１３）、又は金属接着剤部分（１３）を形成して、波板形状をしたトタン板（２）の表面上にナット（６）を固定したあと、波板形状をしたトタン板（２）と太陽電池（１）との中間に、発泡スチロール製板とアルミニウムで出来ている板とで出来ている板の合板（２０）を接着層（１０）を介在させて形成をして積層をさせたあと、さらに、波板形状をしたトタン板（２）の裏面上にアーク溶接部分（１３）、又は金属接着剤部分（１３）を形成してパッドアイ（７）、又はロングアイ（７）、又はオープンパッドアイ（７）、又はアイストラップ（７）（以下、略して、パッドアイとする）を使用して、波板形状をしたトタン板（２）の裏面上に家屋を構成している垂木（３）を取り付けるのに、家屋の屋根を構成している瓦（２１）に穴（２２）を形成して、波板形状をしたトタン板（２）の裏面上に取り付けているパッドアイ（７）と先端部分がｎ字形状をしたナット付きＬ棒（１４）を瓦（２１）に形成をしている穴（２２）の内部を貫通させて、先端部分がｎ字形状をしたナット付きＬ棒（１４）を使用して、家屋を構成している垂木（３）に、波板形状をしたトタン板（２）の表面上に太陽電池（１）と、さらに、波板形状をしたトタン板（２）の裏面上に防音効果、又は断熱効果、又は瓦（２１）との密着性を高める目的にて、両側面が平板形状をした発泡スチロール製板（１１）をサンドイッチ形状に中間に介在をさせて、波板形状をしたトタン板（２）の表面上に太陽電池（１）を形成している、波板形状をしたトタン板（２）を家屋を構成している垂木（３）に強固に取り付けて瓦（２１）で出来ている屋根の表面上に、波板形状をしたトタン板（２）の表面上に太陽電池（１）を形成している波板形状をしたトタン板（２）を形成することが出来ることを特徴とした太陽電池（１）を表面上に形成をした波板形状をしたトタン板（２）、及びその加工方法。
【請求項２５】
波板形状をしたトタン板（２）の表面上に太陽電池（１）を取り付ける目的にて、波板形状をしたトタン板（２）の表面上にナット（６）をアーク溶接部分（１３）、又は金属接着剤部分（１３）を形成して、波板形状をしたトタン板（２）の表面上にナット（６）を固定したあと、波板形状をしたトタン板（２）と太陽電池（１）との中間に、発泡スチロール製板とアルミニウムで出来ている板とで出来ている板の合板（２０）を接着層（１０）を介在させて形成をして積層をさせたあと、さらに、波板形状をしたトタン板（２）の裏面上にアーク溶接部分（１３）、又は金属接着剤部分（１３）を形成してパッドアイ（７）、又はロングアイ（７）、又はオープンパッドアイ（７）、又はアイストラップ（７）（以下、略して、パッドアイとする）を使用して、波板形状をしたトタン板（２）の裏面上に家屋を構成している垂木（３）を取り付けるのに、家屋の屋根を構成している瓦（２１）に穴（２２）を形成して、波板形状をしたトタン板（２）の裏面上に取り付けているパッドアイ（７）と先端部分がｎ字形状をしたナット付きＬ棒（１４）を瓦（２１）に形成をしている穴（２２）の内部を貫通させて、先端部分がｎ字形状をしたナット付きＬ棒（１４）を使用して、家屋を構成している垂木（３）に、波板形状をしたトタン板（２）の表面上に太陽電池（１）と、さらに、波板形状をしたトタン板（２）の裏面上に防音効果、又は断熱効果、又は瓦（２１）との密着性を高める目的にて、片面が波板形状で、もう一方の片面が平板形状、又は屋根瓦の瓦として使用をしている、瓦の形状に類似の形状をした発泡スチロール製板（９）をサンドイッチ形状に中間に介在をさせて、波板形状をしたトタン板（２）の表面上に太陽電池（１）を形成している、波板形状をしたトタン板（２）を家屋を構成している垂木（３）に強固に取り付けて瓦（２１）で出来ている屋根の表面上に、波板形状をしたトタン板（２）の表面上に太陽電池（１）を形成している波板形状をしたトタン板（２）を形成することが出来ることを特徴とした太陽電池（１）を表面上に形成をした波板形状をしたトタン板（２）、及びその加工方法。
【請求項２６】
平板で出来ているトタン板（８）の表面上に太陽電池（１）を取り付ける目的にて、平板で出来ているトタン板（８）の表面上にナット（６）をアーク溶接部分（１３）、又は金属接着剤部分（１３）を形成して、平板で出来ているトタン板（８）の表面上にナット（６）を固定したあと、平板で出来ているトタン板（８）と太陽電池（１）との中間に、発泡スチロール製板とアルミニウムで出来ている板とで出来ている板の合板（２０）を接着層（１０）を介在させて形成をして積層をさせたあと、さらに、平板で出来ているトタン板（８）の裏面上にアーク溶接部分（１３）、又は金属接着剤部分（１３）を形成してパッドアイ（７）、又はロングアイ（７）、又はオープンパッドアイ（７）、又はアイストラップ（７）（以下、略して、パッドアイとする）を使用して、平板で出来ているトタン板（８）の裏面上に家屋を構成している垂木（３）を取り付けるのに、家屋の屋根を構成している瓦（２１）に穴（２２）を形成して、平板で出来ているトタン板（８）の裏面上に取り付けているパッドアイ（７）と先端部分がｎ字形状をしたナット付きＬ棒（１４）を瓦（２１）に形成をしている穴（２２）の内部を貫通させて、先端部分がｎ字形状をしたナット付きＬ棒（１４）を使用して、家屋を構成している垂木（３）に、平板で出来ているトタン板（８）の表面上に太陽電池（１）と、さらに、平板で出来ているトタン板（８）の裏面上に防音効果、又は断熱効果、又は瓦（２１）との密着性を高める目的にて、両側面が平板形状、又は片面が平板形状で、もう一方の片面が屋根瓦の瓦として使用をしている、瓦の形状に類似の形状をした発泡スチロール製板（１１）をサンドイッチ形状に中間に介在をさせて、平板形状をしたトタン板（８）の表面上に太陽電池（１）を形成している、平板で出来ているトタン板（８）を家屋を構成している垂木（３）に強固に取り付けて瓦（２１）で出来ている屋根の表面上に、平板で出来ているトタン板（８）の表面上に太陽電池（１）を形成している平板で出来ているトタン板（８）を形成することが出来ることを特徴とした太陽電池（１）を表面上に形成をした波板形状をしたトタン板（２）、及びその加工方法。
【請求項２７】
波板形状をしたトタン板（２）の寸法としては、小波と大波の２種類がある。小波の寸法が０．３５×７９３×１８００（厚み×横×縦）で、単位はｍｍで、重量は２．６９Ｋｇで、山と山との間隔は３１ｍｍで働き巾は６９５ｍｍである。また、大波の寸法は０．４×９１４×１８００（厚み×横×縦）で、重量は３．５Ｋｇで、山と山との間隔は６３．６ｍｍで働き巾は６８５ｍｍである。この２種類の波板形状をしたトタン板（２）の規格品が、波板形状をしたトタン板（２）の世界的な規格品のスタンダードである。この波板形状をしたトタン板（２）の表面上に太陽電池（１）を取り付けて、さらに、波板形状をしたトタン板（２）の強度を補強するために、波板形状をしたトタン板（２）の裏面上に、波板形状をしたトタン板（２）の強度を補強する目的にてミラパネエース（２０）、又は波板形状をした発泡スチロール製板（９）、又は平板形状をした発泡スチロール製板を接着層（１０）を介在させて接着をさせて接合させたことを特徴とした波板形状をしたトタン板（２）、及びその加工方法。
【請求項２８】
波板形状をしたトタン板（２）の表面上に太陽電池（１）を取り付ける目的にて、波板形状をしたトタン板（２）と太陽電池（１）との中間に、発泡スチロール製板とアルミニウムで出来ている板とで出来ている板の合板（２０）（以下、略して、ミラパネエース２０とする）と太陽電池（１）とを接着層（１０）を介在させて接合をさせたあと、さらに、ミラパネエース２０と波板形状をしたトタン板（２）とミラパネエース２０との中間に、片面が波板形状で、もう一方の片面が平板形状をした発泡スチロール製板（９）を接着層（１０）を介在させて波板形状をしたトタン板（２）に接合させて積層をさせたあと、さらに、波板形状をしたトタン板（２）の裏面上にアーク溶接部分（１３）、又は金属接着剤部分（１３）を形成してナット（７）、又はパッドアイ（７）、又はロングアイ（７）、又はオープンパッドアイ（７）、又はアイストラップ（７）（以下、略して、ナット、又はパッドアイとする）を使用して、波板形状をしたトタン板（２）の裏面上に家屋を構成している垂木（３）を取り付けるのに、家屋の屋根を構成している瓦（２１）に穴（２２）を形成して、波板形状をしたトタン板（２）の裏面上に取り付けているパッドアイ（７）と先端部分がｎ字形状をしたナット付きＬ棒（１４）を瓦（２１）に形成をしている穴（２２）の内部を貫通させて、先端部分がｎ字形状をしたナット付きＬ棒（１４）を使用して、家屋を構成している垂木（３）に、波板形状をしたトタン板（２）の表面上に太陽電池（１）と、さらに、波板形状をしたトタン板（２）の裏面上に防音効果、又は断熱効果、又は瓦（２１）との密着性を高める目的にて、片面が波板形状で、もう一方の片面が平板形状をした発泡スチロール製板（９）をサンドイッチ形状に中間に介在をさせて、波板形状をしたトタン板（２）の表面上に太陽電池（１）を形成している、波板形状をしたトタン板（２）を家屋を構成している垂木（３）に強固に取り付けて瓦（２１）で出来ている屋根の表面上に、波板形状をしたトタン板（２）の表面上に太陽電池（１）を形成している波板形状をしたトタン板（２）を形成することが出来ることを特徴とした太陽電池（１）を表面上に形成をした波板形状をしたトタン板（２）、及びその加工方法。
【請求項２９】
波板形状をしたトタン板（２）の表面上に太陽電池（１）を取り付ける目的にて、波板形状をしたトタン板（２）と太陽電池（１）との中間に、片面が波板形状で、もう一方の片面が平板形状をした発泡スチロール製板（９）を接着層（１０）を介在させて波板形状をしたトタン板（２）に接合させて積層をさせたあと、さらに、波板形状をしたトタン板（２）の裏面上にアーク溶接部分（１３）、又は金属接着剤部分（１３）を形成してナット（７）、又はパッドアイ（７）、又はロングアイ（７）、又はオープンパッドアイ（７）、又はアイストラップ（７）（以下、略して、ナット、又はパッドアイとする）を使用して、波板形状をしたトタン板（２）の裏面上に家屋を構成している垂木（３）を取り付けるのに、家屋の屋根を構成している瓦（２１）に穴（２２）を形成して、波板形状をしたトタン板（２）の裏面上に取り付けているパッドアイ（７）と先端部分がｎ字形状をしたナット付きＬ棒（１４）を瓦（２１）に形成をしている穴（２２）の内部を貫通させて、先端部分がｎ字形状をしたナット付きＬ棒（１４）を使用して、家屋を構成している垂木（３）に、波板形状をしたトタン板（２）の表面上に太陽電池（１）と、さらに、波板形状をしたトタン板（２）の裏面上に防音効果、又は断熱効果、又は瓦（２１）との密着性を高める目的にて、片面が波板形状で、もう一方の片面が平板形状をした発泡スチロール製板（９）をサンドイッチ形状に中間に介在をさせて、波板形状をしたトタン板（２）の表面上に太陽電池（１）を形成している、波板形状をしたトタン板（２）を家屋を構成している垂木（３）に強固に取り付けて瓦（２１）で出来ている屋根の表面上に、波板形状をしたトタン板（２）の表面上に太陽電池（１）を形成している波板形状をしたトタン板（２）を形成することが出来ることを特徴とした太陽電池（１）を表面上に形成をした波板形状をしたトタン板（２）、及びその加工方法。
【請求項３０】
波板形状をしたトタン板（２）の表面上に太陽電池（１）を取り付ける目的にて、波板形状をしたトタン板（２）と太陽電池（１）との中間に、発泡スチロール製板とアルミニウムで出来ている板とで出来ている板の合板（２０）（以下、略して、ミラパネエース２０とする）と太陽電池（１）とを接着層（１０）を介在させて接合をさせたあと、さらに、ミラパネエース２０と波板形状をしたトタン板（２）とミラパネエース２０との中間に、片面が波板形状で、もう一方の片面が平板形状をした発泡スチロール製板（９）を接着層（１０）を介在させて波板形状をしたトタン板（２）に接合させて積層をさせた、波板形状をしたトタン板（２）の表面上に太陽電池（１）を形成した波板形状をしたトタン板（２）の裏面上にアーク溶接部分（１３）、又は金属接着剤部分（１３）を形成してナット（７）、又はパッドアイ（７）、又はロングアイ（７）、又はオープンパッドアイ（７）、又はアイストラップ（７）（以下、略して、ナット、又はパッドアイとする）を、波板形状をしたトタン板（２）の裏面上に取り付けた、波板形状をしたトタン板（２）の表面上に太陽電池（１）を形成した波板形状をしたトタン板（２）を形成することが出来ることを特徴とした太陽電池（１）を表面上に形成をした波板形状をしたトタン板（２）、及びその加工方法。
【請求項３１】
波板形状をしたトタン板（２）の表面上に太陽電池（１）を取り付ける目的にて、波板形状をしたトタン板（２）と太陽電池（１）との中間に、片面が波板形状で、もう一方の片面が平板形状をした発泡スチロール製板（９）を接着層（１０）を介在させて波板形状をしたトタン板（２）に接合させて積層をさせたあと、さらに、波板形状をしたトタン板（２）の裏面上にアーク溶接部分（１３）、又は金属接着剤部分（１３）を形成してナット（７）、又はパッドアイ（７）、又はロングアイ（７）、又はオープンパッドアイ（７）、又はアイストラップ（７）（以下、略して、ナット、又はパッドアイとする）を取り付けた、波板形状をしたトタン板（２）の表面上に太陽電池（１）を形成した波板形状をしたトタン板（２）を形成することが出来ることを特徴とした太陽電池（１）を表面上に形成をした波板形状をしたトタン板（２）、及びその加工方法。
【請求項３２】
波板形状をしたトタン板（２）の表面上に太陽電池（１）を取り付ける目的にて、波板形状をしたトタン板（２）と太陽電池（１）との中間に、発泡スチロール製板とアルミニウムで出来ている板とで出来ている板の合板（２０）（以下、略して、ミラパネエース２０とする）と太陽電池（１）とを接着層（１０）を介在させて接合をさせたあと、さらに、ミラパネエース２０と波板形状をしたトタン板（２）とミラパネエース２０との中間に、片面が波板形状で、もう一方の片面が平板形状をした発泡スチロール製板（９）を接着層（１０）を介在させて波板形状をしたトタン板（２）に接合させて積層をさせたあと、さらに、波板形状をしたトタン板（２）の裏面上にアーク溶接部分（１３）、又は金属接着剤部分（１３）を形成してナット（７）、又はパッドアイ（７）、又はロングアイ（７）、又はオープンパッドアイ（７）、又はアイストラップ（７）（以下、略して、ナット、又はパッドアイとする）を取り付けたあと、さらに、波板形状をしたトタン板（２）の裏面上に防音効果、又は断熱効果、又は瓦（２１）との密着性を高める目的にて、片面が波板形状で、もう一方の片面が平板形状をした発泡スチロール製板（９）をサンドイッチ形状に中間に接着層（１０）を介在させて、波板形状をしたトタン板（２）の表面上に太陽電池（１）を形成することが出来ることを特徴とした波板形状をしたトタン板（２）、及びその加工方法。
【請求項３３】
波板形状をしたトタン板（２）の表面上に太陽電池（１）を取り付ける目的にて、波板形状をしたトタン板（２）と太陽電池（１）との中間に、片面が波板形状で、もう一方の片面が平板形状をした発泡スチロール製板（９）を接着層（１０）を介在させて波板形状をしたトタン板（２）に接合させて積層をさせたあと、さらに、波板形状をしたトタン板（２）の裏面上にアーク溶接部分（１３）、又は金属接着剤部分（１３）を形成してナット（７）、又はパッドアイ（７）、又はロングアイ（７）、又はオープンパッドアイ（７）、又はアイストラップ（７）（以下、略して、ナット、又はパッドアイとする）を取り付けたあと、さらに、波板形状をしたトタン板（２）の裏面上に防音効果、又は断熱効果、又は瓦（２１）との密着性を高める目的にて、片面が波板形状で、もう一方の片面が平板形状をした発泡スチロール製板（９）をサンドイッチ形状に中間に接着層（１０）を介在させて、波板形状をしたトタン板（２）の表面上に太陽電池（１）を形成することが出来ることを特徴とした波板形状をしたトタン板（２）、及びその加工方法。
【請求項３４】
波板形状をしたトタン板（２）の表面上に太陽電池（１）を取り付ける目的にて、波板形状をしたトタン板（２）の表面上にナット（６）をアーク溶接部分（１３）、又は金属接着剤部分（１３）を形成して、波板形状をしたトタン板（２）の表面上にナット（６）を固定したあと、波板形状をしたトタン板（２）と太陽電池（１）との中間に、発泡ポリスチレン製板とアルミホイルで出来ている板とで出来ている板の合板（２０）を接着層（１０）を介在させて形成をして積層をさせたあと、さらに、波板形状をしたトタン板（２）の裏面上にアーク溶接部分（１３）、又は金属接着剤部分（１３）を形成してパッドアイ（７）、又はロングアイ（７）、又はオープンパッドアイ（７）、又はアイストラップ（７）（以下、略して、パッドアイとする）を使用して、波板形状をしたトタン板（２）の裏面上に家屋を構成している垂木（３）を取り付けるのに、家屋の屋根を構成している瓦（２１）に穴（２２）を形成して、波板形状をしたトタン板（２）の裏面上に取り付けているパッドアイ（７）と先端部分がｎ字形状をしたナット付きＬ棒（１４）を瓦（２１）に形成をしている穴（２２）の内部を貫通させて、先端部分がｎ字形状をしたナット付きＬ棒（１４）を使用して、家屋を構成している垂木（３）に、波板形状をしたトタン板（２）の表面上に太陽電池（１）を形成した波板形状をしたトタン板（２）を、先端部分がｎ字形状をしたナット付きＬ棒（１４）を、瓦（２１）に形成をしている穴（２２）の内部を貫通させて、波板形状をしたトタン板（２）を家屋を構成している垂木（３）に取り付けて固定をすると、瓦（２１）に形成をしている穴（２２）から雨水が漏れて、家屋の内部に雨水が進入をするのを防止するために、瓦（２１）の表面上から、５ｃｍ前後の長い円筒形状（２３）をした構造物を瓦（２１）と合体をさせて一体構造をした瓦（２１）を使用して先端部分がｎ字形状をしたナット付きＬ棒（１４）を使用して波板形状をしたトタン板（２）を固定している。さらに、円筒形状（２３）の内部を貫通している先端部分がｎ字形状をしたナット付きＬ棒（１４）を、円筒形状（２３）の内部にて密封剤（２４）である、例えば、シリコーン樹脂などで出来ている接着剤を使用して、瓦（２１）と合体をさせて一体構造をした瓦（２１）に形成をしている円筒形状（２３）の内部を密封剤（２４）を使用して密封をして、瓦（２１）に形成をしている穴（２２）から雨水が家屋の内部に漏れるのを防止する。または、シリコーン樹脂などで出来ているパッキング（２４）を、密封剤（２４）の代わりに円筒形状（２３）の内部に挿入をして、先端部分がｎ字形状をしたナット付きＬ棒（１４）を、瓦（２１）と合体をさせて一体構造をした瓦（２１）に形成をしている円筒形状（２３）の内部にて密封をして、瓦（２１）に形成をしている穴（２２）から雨水が家屋の内部に漏れるのを防止することが出来る構造をした、瓦（２１）と円筒形状（２３）を合体させて一体構造とした瓦（２１）を形成したことを特徴とした波板形状をしたトタン板（２）、及びその加工方法。
【請求項３５】
図７３、及び図７４に示しているように、折板屋根（２）、又はスレート屋根（２）の表面上に、太陽電池（１）の製造会社である。例えば、会社の本社の所在地が米国にある、ＵＮＩ-ＳＯＬＡＲ社が製造販売をしている太陽電池（１）は、基盤にステンレススチール製の板厚の厚さが０．５ｍｍのステンレススチール製の板厚の表面上にアモルファスシリコン、及びシリコンゲルマニウムで構成されている３層型である。また、ＵＮＩ-ＳＯＬＡＲ社の太陽電池（１）は、フレキシブルタイプで柔軟性がある。さらに、基盤であるステンレススチール製板の裏面上には強力な接着効果がある接着層（１０）を形成している。この基盤がステンレススチール製板で出来ているＵＮＩ-ＳＯＬＡＲ社製の太陽電池（１）を折板屋根（２）、又はスレート屋根（２）（以下、略して、折板屋根とする）の表面上に、例えば、家屋の峰である棟に対して平行に折板屋根（２）の表面上に、ＵＮＩ-ＳＯＬＡＲ社製の太陽電池（１）を棟に対して平行に直貼りをする。または、家屋の峰である棟に対して上下方向である直角に折板屋根（２）の表面上に、ＵＮＩ-ＳＯＬＡＲ社製の太陽電池（１）を上下方向の直角に直貼りをすると、ＵＮＩ-ＳＯＬＡＲ社製の太陽電池（１）の基盤を構成しているステンレススチール製板の裏面上に形成をしている接着層（１０）を使用して、折板屋根（２）の表面上に強固に、ＵＮＩ-ＳＯＬＡＲ社製の太陽電池（１）を接着させて接合をさせることが出来ることを特徴とした折板屋根、スレート屋根、及びその取付方法。
【請求項３６】
図７３、及び図７４に示しているように、折板屋根（２）、又はスレート屋根（２）（以下、略して、折板屋根とする）の表面上に、ＵＮＩ-ＳＯＬＡＲ社製の基盤がステンレススチール製の板厚の厚さが０．５ｍｍのステンレススチール製板の基盤で出来ている、幅が１ｍ程度で、長さ方向は自由に切断が出来る長尺物の、ＵＮＩ-ＳＯＬＡＲ社製の太陽電池（１）を折板屋根（２）、又はスレート屋根（２）の表面上に、ＵＮＩ-ＳＯＬＡＲ社製の太陽電池（１）の基盤の裏面上に形成をしている接着層（１０）を介在させて折板屋根（２）、又はスレート屋根（２）の表面上に、ＵＮＩ-ＳＯＬＡＲ社製の太陽電池（１）を、太陽電池（１）の基盤の裏面上に形成をしている接着層（１０）を介在させて折板屋根（２）、又はスレート屋根（２）の表面上に直貼りをすると、ＵＮＩ-ＳＯＬＡＲ社製の太陽電池（１）は長尺物の太陽電池（１）なので、結果としては、長尺物の太陽電池（１）を直貼りをすることになり、表面張力が強力となるので、ＵＮＩ-ＳＯＬＡＲ社製の太陽電池（１）を折板屋根（２）、又はスレート屋根（２）の表面上に直貼りをした表面上を、人間が自由に歩くことが出来るほどの重量の荷重に耐えうることが出来ることを特徴とした折板屋根、スレート屋根、及びその取付方法。
【請求項３７】
図７３、及び図７４に示しているように、折板屋根（２）、又はスレート屋根（２）（以下、略して、折板屋根とする）の表面上に、ＵＮＩ-ＳＯＬＡＲ社製の基盤がステンレススチール製の板厚の厚さが０．５ｍｍのステンレススチール製板の基盤で出来ている、ＵＮＩ-ＳＯＬＡＲ社製の太陽電池（１）を折板屋根（２）、又はスレート屋根（２）の表面上に、ＵＮＩ-ＳＯＬＡＲ社製の太陽電池（１）の基盤の裏面上に形成をしている接着層（１０）を介在させて折板屋根（２）、又はスレート屋根（２）の表面上に、ＵＮＩ-ＳＯＬＡＲ社製の太陽電池（１）を直貼りをすると、太陽電池（１）を設置するために必要な構造物は、一切必要性がないので、極く安価な費用にて太陽電池（１）を、家屋を構成している屋根材である折板屋根（２）、又はスレート屋根（２）の表面上に、極く安価なコストにてＵＮＩ-ＳＯＬＡＲ社製の太陽電池（１）を設置することが出来ることを特徴とした折板屋根、スレート屋根、及びその取付方法。
【請求項３８】
石綿スレート２６が数十年を経過して、旧くなって脆くなって危険な石綿スレート２６の強度を補強して補修工事をする目的にて、従来の強度が、極く弱くなっている石綿スレート２６を使用して、例えば、石綿スレート２６を使用して、数十年が経過をしている工場、又は倉庫の屋根の表面上である、石綿スレート２６の上を歩くことは、数十年が経過をした石綿スレート２６の強度は脆弱となっているので、第１としては、旧い石綿スレート２６の上を歩くことは大変に危険である。第２としては、アスベストが主たる原材料で出来ている石綿スレート２６を解体すると、発ガン性があるアスベストが飛散をするので、容易に旧くなった石綿スレート２６は、簡単には解体をすることが出来ないのが現状である。けれども、旧くなって雨漏りがする石綿スレート２６で出来ている工場、又は倉庫などの屋根の強度を補強して、補修工事を安全に行うことを目的とした工事方法を特徴とする石綿スレート２６の補修方法。
【請求項３９】
ポリスチレンが主たる原材料で出来ている発泡倍率が低倍率の、極く低い発泡スチロール、例えば、発泡倍率が１０倍以下、又は発泡倍率が２０倍以下、又は発泡倍率が２５倍以下、又は発泡倍率が３０倍以下、又は発泡倍率が３５倍以下、又は発泡倍率が５０倍以下（以下、略して、発泡倍率が２５倍以下とする）の発泡スチロールで出来ている、片面の形状が石綿スレート２６の形状をした発泡スチロールで、もう一方の片面が平板形状をした発泡スチロール２７、又は両面の形状が平板形状をした発泡スチロール２８、又は片面が石綿スレート２６の形状をした発泡スチロールで、もう一方の片面がスレート屋根２５の形状をした発泡スチロール２９を使用して、数十年が経過をして雨漏りがしている工場、又は倉庫などの屋根を構成している、旧い石綿スレート２６の強度を補強して補修工事を安全に行う工事方法を特徴とする石綿スレートの補修方法。
【請求項４０】
図７６に示しているのは、石綿スレート２６が数十年を経過して、旧くなって脆くなって危険な石綿スレート２６の強度を補強して補修工事をする目的にて、上記の図７５にて説明をした、従来の石綿スレート２６である、アスベストをセメントで固めて形成をしたアスベスト形成板（以下、略して、石綿スレートとする）２６を、家屋の屋根材を構成している垂木３の裏面から、石綿スレート２６をボルト５、及びナット６を使用して垂木３に取り付けたあとの、石綿スレート２６の表面上に、例えば、厚さが１０ｃｍ前後で、鉄板小波を屋根材として使用する場合には、働き巾が６９５ｍｍなので、横巾が６９５ｍｍの発泡スチロール板で、また、鉄板大波を屋根材として使用する場合には、働き巾が６８５ｍｍなので、横巾が６８５ｍｍの発泡スチロール板で出来ている、発泡スチロール板の形状が、片面の形状が石綿スレート２６の形状をした発泡スチロール２７で、もう一方の片面の形状が平板形状をした発泡スチロール２７を、石綿スレート２６の表面上に、石綿スレート２６の表面上に敷き詰めて重ねて積層をして、石綿スレート２６の表面上の耐えうる荷重を、例えば、石綿スレート２６の表面上を、人間が自由に歩いても耐えうる限度以上の、石綿スレート２６の荷重が、人間の荷重に耐えうる構造物とすることが出来ることを特徴とする石綿スレートの補修方法。
【請求項４１】
図７７に示しているのは、石綿スレート２６が数十年を経過して、旧くなって脆くなって危険な石綿スレート２６の強度を補強して補修工事をする目的にて、上記の図７５にて説明をした、従来の石綿スレート２６である、アスベストをセメントで固めて形成をしたアスベスト形成板（以下、略して、石綿スレートとする）２６を、家屋の屋根材を構成している垂木３の裏面から、石綿スレート２６をボルト５、及びナット６を使用して垂木３に取り付けたあとの、石綿スレート２６の表面上に、例えば、厚さが１０ｃｍ前後で、鉄板小波を屋根材として使用する場合には、働き巾が６９５ｍｍなので、横巾が６９５ｍｍの発泡スチロール板で、また、鉄板大波を屋根材として使用する場合には、働き巾が６８５ｍｍなので、横巾が６８５ｍｍの発泡スチロール板で出来ている、発泡スチロール板の形状が、両面が平板形状をした発泡スチロール２８を、石綿スレート２６の表面上に、石綿スレート２６の表面上に敷き詰めて重ねて積層をして、石綿スレート２６の表面上の耐えうる荷重を、例えば、石綿スレート２６の表面上を、人間が自由に歩いても耐えうる限度以上の、石綿スレート２６の荷重が、人間の荷重に耐えうる構造物とすることが出来ることを特徴とする石綿スレートの補修方法。
【請求項４２】
図７８に示しているのは、石綿スレート２６が数十年を経過して、旧くなって脆くなって危険な石綿スレート２６の強度を補強して補修工事をする目的にて、上記の図７５にて説明をした、従来の石綿スレート２６である、アスベストをセメントで固めて形成をしたアスベスト形成板（以下、略して、石綿スレートとする）２６を、家屋の屋根材を構成している垂木３の裏面から、石綿スレート２６をボルト５、及びナット６を使用して垂木３に取り付けたあとの、石綿スレート２６の表面上に、例えば、厚さが１０ｃｍ前後で、鉄板小波を屋根材として使用する場合には、働き巾が６９５ｍｍなので、横巾が６９５ｍｍの発泡スチロール板で、また、鉄板大波を屋根材として使用する場合には、働き巾が６８５ｍｍなので、横巾が６８５ｍｍの発泡スチロール板で出来ている、発泡スチロール板の形状が、片面の形状が石綿スレート２６の形状をした発泡スチロール２９で、もう一方の片面の形状がスレート屋根形状をした発泡スチロール２９を、石綿スレート２６の表面上に、石綿スレート２６の表面上に敷き詰めて重ねて積層をして、石綿スレート２６の表面上の耐えうる荷重を、例えば、石綿スレート２６の表面上を、人間が自由に歩いても耐えうる限度以上の、石綿スレート２６の荷重が、人間の荷重に耐えうる構造物とすることが出来ることを特徴とする石綿スレートの補修方法。
【請求項４３】
図７９に示しているのは、石綿スレート２６が数十年を経過して、旧くなって脆くなって危険な石綿スレート２６の強度を補強して補修工事をする目的にて、上記の図７５にて説明をした、従来の石綿スレート２６である、アスベストをセメントで固めて形成をしたアスベスト形成板（以下、略して、石綿スレートとする）２６を、家屋の屋根材を構成している垂木３の裏面から、石綿スレート２６をボルト５、及びナット６を使用して垂木３に取り付けたあとの、石綿スレート２６の表面上に、例えば、厚さが１０ｃｍ前後で、鉄板小波を屋根材として使用する場合には、働き巾が６９５ｍｍなので、横巾が６９５ｍｍの発泡スチロール板で、また、鉄板大波を屋根材として使用する場合には、働き巾が６８５ｍｍなので、横巾が６８５ｍｍの発泡スチロール板で出来ている、発泡スチロール板の形状が、片面の形状が石綿スレート２６の形状をした発泡スチロール２９で、もう一方の片面の形状がスレート屋根形状をした発泡スチロール２９を、石綿スレート２６の表面上に、石綿スレート２６の表面上に敷き詰めて重ねて積層をして、石綿スレート２６の表面上の耐えうる荷重を、例えば、石綿スレート２６の表面上を、人間が自由に歩いても耐えうる限度以上の、石綿スレート２６の荷重が、人間の荷重に耐えうる構造物としたあとの、発泡スチロール２９の表面上に、スレート屋根２５を重ねて積層をして、垂木３、石綿スレート２６、発泡スチロール２９、及びスレート屋根２５の４種類のパネルを、ボルト５、及びナット６を使用して、家屋を構成している屋根材である垂木３にスレート屋根２５を上下から積層をして取り付けたスレート屋根２５を、結果として、発泡スチロール２９を介在させて、石綿スレート２６に固定をすることが出来ることを特徴とする石綿スレートの補修方法。
【請求項４４】
図８０に示しているのは、石綿スレート２６が数十年を経過して、旧くなって脆くなって危険な石綿スレート２６の強度を補強して補修工事をする目的にて、上記の図７５にて説明をした、従来の石綿スレート２６である、アスベストをセメントで固めて形成をしたアスベスト形成板（以下、略して、石綿スレートとする）２６を、家屋の屋根材を構成している垂木３の裏面から、石綿スレート２６をボルト５、及びナット６を使用して垂木３に取り付けたあとの、石綿スレート２６の表面上に、例えば、厚さが１０ｃｍ前後で、鉄板小波を屋根材として使用する場合には、働き巾が６９５ｍｍなので、横巾が６９５ｍｍの発泡スチロール板で、また、鉄板大波を屋根材として使用する場合には、働き巾が６８５ｍｍなので、横巾が６８５ｍｍの発泡スチロール板で出来ている、発泡スチロール板の形状が、片面の形状が石綿スレート２６の形状をした発泡スチロール２９で、もう一方の片面の形状がスレート屋根形状をした発泡スチロール２９を、石綿スレート２６の表面上に、石綿スレート２６の表面上に敷き詰めて重ねて積層をして、石綿スレート２６の表面上の耐えうる荷重を、例えば、石綿スレート２６の表面上を、人間が自由に歩いても耐えうる限度以上の、石綿スレート２６の荷重が、人間の荷重に耐えうる構造物としたあとの、発泡スチロール２９の表面上に、スレート屋根２５を重ねて積層をして、垂木３、石綿スレート２６、発泡スチロール２９、及びスレート屋根２５の４種類のパネルを、パッドアイ７、及び先端部分がｎ字形状をしたナット付Ｌ棒１４を使用して、家屋を構成している屋根材である垂木３の裏面である下の面からスレート屋根２５を上下から積層をして取り付けたスレート屋根２５を、結果として、発泡スチロール２９を石綿スレート２６とスレート屋根２５との中間に介在をさせて、石綿スレート２６に固定をすることが出来ることを特徴とする石綿スレートの補修方法。
【請求項４５】
図８１に示しているのは、石綿スレート２６が数十年を経過して、旧くなって脆くなって危険な石綿スレート２６の強度を補強して補修工事をする目的にて、上記の図７５にて説明をした、従来の石綿スレート２６である、アスベストをセメントで固めて形成をしたアスベスト形成板（以下、略して、石綿スレートとする）２６を、家屋の屋根材を構成している垂木３の裏面から、石綿スレート２６をボルト５、及びナット６を使用して垂木３に取り付けたあとの、石綿スレート２６の表面上に、例えば、厚さが１０ｃｍ前後で、鉄板小波を屋根材として使用する場合には、働き巾が６９５ｍｍなので、横巾が６９５ｍｍの発泡スチロール板で、また、鉄板大波を屋根材として使用する場合には、働き巾が６８５ｍｍなので、横巾が６８５ｍｍの発泡スチロール板で出来ている、発泡スチロール板の形状が、両面が平板形状をした発泡スチロール２８を、石綿スレート２６の表面上に敷き詰めて重ねて積層をして、石綿スレート２６の表面上の耐えうる荷重を、例えば、石綿スレート２６の表面上を、人間が自由に歩いても耐えうる限度以上の、石綿スレート２６の荷重が、人間の荷重に耐えうる構造物としたあとの、発泡スチロール２８の表面上に、スレート屋根２５を重ねて積層をして、垂木３、石綿スレート２６、発泡スチロール２８、及びスレート屋根２５の４種類のパネルを、パッドアイ７、及び先端部分がｎ字形状をしたナット付Ｌ棒１４を使用して、家屋を構成している屋根材である垂木３の裏面である下の面からスレート屋根２５を上下から重ねて積層をして取り付けたスレート屋根２５を、結果として、発泡スチロール２８を石綿スレート２６とスレート屋根２５との中間に介在をさせて、石綿スレート２６に固定をしたあとの、スレート屋根２５の表面上にナット６、パッドアイ７、及びボルト５を使用して太陽電池１をスレート屋根２５の表面上に取り付けて固定をすることが出来ることを特徴とする石綿スレートの補修方法。
【請求項４６】
図８２に示しているのは、石綿スレート２６が数十年を経過して、旧くなって脆くなって危険な石綿スレート２６の強度を補強して補修工事をする目的にて、上記の図７５にて説明をした、従来の石綿スレート２６である、アスベストをセメントで固めて形成をしたアスベスト形成板（以下、略して、石綿スレートとする）２６を、家屋の屋根材を構成している垂木３の裏面から、石綿スレート２６をボルト５、及びナット６を使用して垂木３に取り付けたあとの、石綿スレート２６の表面上に、例えば、厚さが１０ｃｍ前後で、鉄板小波を屋根材として使用する場合には、働き巾が６９５ｍｍなので、横巾が６９５ｍｍの発泡スチロール板で、また、鉄板大波を屋根材として使用する場合には、働き巾が６８５ｍｍなので、横巾が６８５ｍｍの発泡スチロール板で出来ている、発泡スチロール板の形状が、片面の形状が石綿スレート２６の形状をした発泡スチロール２７で、もう一方の片面の形状が平板形状をした発泡スチロール２７を、石綿スレート２６の表面上に、石綿スレート２６の表面上に敷き詰めて重ねて積層をして、石綿スレート２６の表面上の耐えうる荷重を、例えば、石綿スレート２６の表面上を、人間が自由に歩いても耐えうる限度以上の、石綿スレート２６の荷重が、人間の重量の荷重に耐えうる構造物としたあとの、発泡スチロール２７の表面上に、スレート屋根２５を重ねて積層をして、垂木３、石綿スレート２６、発泡スチロール２７、及びスレート屋根２５の４種類のパネルを、パッドアイ７、及び先端部分がｎ字形状をしたナット付Ｌ棒１４を使用して、家屋を構成している屋根材である垂木３にスレート屋根２５を上下から重ねて積層をして取り付けたスレート屋根２５を、結果として、発泡スチロール２７を石綿スレート２６とスレート屋根２５との中間に介在をさせて、石綿スレート２６に固定をしたあとの、スレート屋根２５の表面上にナット６、パッドアイ７、及びボルト５を使用して太陽電池１をスレート屋根２５の表面上に取り付けて固定をすることが出来ることを特徴とする石綿スレートの補修方法。
【請求項４７】
図８３に示しているのは、石綿スレート２６が数十年を経過して、旧くなって脆くなって危険な石綿スレート２６の強度を補強して補修工事をする目的にて、上記の図７５にて説明をした、従来の石綿スレート２６である、アスベストをセメントで固めて形成をしたアスベスト形成板（以下、略して、石綿スレートとする）２６を、家屋の屋根材を構成している垂木３の裏面から、石綿スレート２６をボルト５、及びナット６を使用して垂木３に取り付けたあとの、石綿スレート２６の表面上に、例えば、厚さが１０ｃｍ前後で、鉄板小波を屋根材として使用する場合には、働き巾が６９５ｍｍなので、横巾が６９５ｍｍの発泡スチロール板で、また、鉄板大波を屋根材として使用する場合には、働き巾が６８５ｍｍなので、横巾が６８５ｍｍの発泡スチロール板で出来ている、発泡スチロール板の形状が、片面の形状が石綿スレート２６の形状をした発泡スチロール２９で、もう一方の片面の形状がスレート屋根２５の、スレート屋根２５の形状をした発泡スチロール２９を、石綿スレート２６の表面上に、石綿スレート２６の表面上に敷き詰めて重ねて積層をして、石綿スレート２６の表面上の耐えうる荷重を、例えば、石綿スレート２６の表面上を、人間が自由に歩いても耐えうる限度以上の、石綿スレート２６の荷重が、人間の重量の荷重に耐えうる構造物としたあとの、発泡スチロール２９の表面上に、スレート屋根２５を重ねて積層をして、垂木３、石綿スレート２６、発泡スチロール２９、及びスレート屋根２５の４種類のパネルを、パッドアイ７、及び先端部分がｎ字形状をしたナット付Ｌ棒１４を使用して、家屋を構成している屋根材である垂木３の裏面である下の面からスレート屋根２５を上下から重ねて積層をして取り付けたスレート屋根２５を、結果として、発泡スチロール２９を石綿スレート２６とスレート屋根２５との中間に介在をさせて、石綿スレート２６に固定をしたあとの、スレート屋根２５の表面上にナット６、パッドアイ７、及びボルト５を使用して太陽電池１をスレート屋根２５の表面上に取り付けて固定をすることが出来ることを特徴とする石綿スレートの補修方法。
【請求項４８】
図８４に示しているのは、石綿スレート２６が数十年を経過して、旧くなって脆くなって危険な石綿スレート２６の強度を補強して補修工事をする目的にて、上記の図７５にて説明をした、従来の石綿スレート２６である、アスベストをセメントで固めて形成をしたアスベスト形成板（以下、略して、石綿スレートとする）２６を、家屋の屋根材を構成している垂木３の裏面から、石綿スレート２６をボルト５、及びナット６を使用して垂木３に取り付けたあとの、石綿スレート２６の表面上に、例えば、厚さが１０ｃｍ前後で、鉄板小波を屋根材として使用する場合には、働き巾が６９５ｍｍなので、横巾が６９５ｍｍの発泡スチロール板で、また、鉄板大波を屋根材として使用する場合には、働き巾が６８５ｍｍなので、横巾が６８５ｍｍの発泡スチロール板で出来ている、発泡スチロール板の形状が、片面の形状が平板形状をした発泡スチロール３０で、もう一方の片面の形状がスレート屋根２５の、スレート屋根２５の形状をした発泡スチロール３０を、石綿スレート２６の表面上に、石綿スレート２６の表面上に敷き詰めて重ねて積層をして、石綿スレート２６の表面上の耐えうる荷重を、例えば、石綿スレート２６の表面上を、人間が自由に歩いても耐えうる限度以上の、石綿スレート２６の荷重が、人間の重量の荷重に耐えうる構造物としたあとの、発泡スチロール３０の表面上に、スレート屋根２５を重ねて積層をして、垂木３、石綿スレート２６、発泡スチロール３０、及びスレート屋根２５の４種類のパネルを、パッドアイ７、及び先端部分がｎ字形状をしたナット付Ｌ棒１４を使用して、家屋を構成している屋根材である垂木３の裏面である下の面からスレート屋根２５を上下から重ねて積層をして取り付けたスレート屋根２５を、結果として、発泡スチロール３０を石綿スレート２６とスレート屋根２５との中間に介在をさせて、石綿スレート２６に固定をしたあとの、スレート屋根２５の表面上にナット６、パッドアイ７、及びボルト５を使用して太陽電池１をスレート屋根２５の表面上に取り付けて固定をすることが出来ることを特徴とする石綿スレートの補修方法。
【発明の詳細な説明】
【技術分野】
【０００１】
本発明は、波板形状をしたトタン板（２）（以下、略して、トタン板、又は波板で出来ているトタン板とする）の表面上に薄膜の太陽電池（１）を形成する加工方法に関するものである。
【０００２】
また、本発明は、波板形状をしたトタン板、又は平板で出来ているトタン板（以下、略して、トタン板とする）を家屋の屋根を構成している垂木（３）、又は壁を構成している垂木（３）に波板形状をしたトタン板（２）、又は平板で出来ているトタン板（８）を裏面から取り付けることに関するものである。
【背景技術】
【０００３】
太陽電池（１）を設置するのには、例えば、家屋の屋根の表面上に太陽電池（１）を設置する構造物を形成して、この家屋の屋根の表面上に形成をした構造物に太陽電池（１）を取り付けているのが現状である。
【０００４】
また、波板形状をしたトタン板（２）の表面上に太陽電池（１）を形成したあと、波板形状をしたトタン板（２）を家屋の屋根を構成している垂木（３）に、釘（４）を使用して垂木（３）に太陽電池（１）を表面上に形成をしている、波板形状をしたトタン板（２）を垂木（３）に釘（４）を使用して打ち付けると、垂木（３）に釘（４）を使用して波板形状をしたトタン板（２）を打ち付けている部分から雨水が進入をして、波板形状をしたトタン板（２）の表面上に形成をしている太陽電池（１）が剥離をする欠点があるのが、従来の波板形状をしたトタン板（２）の表面上に太陽電池（１）を形成した太陽電池である。
【０００５】
さらに、波板形状をしたトタン板（２）を家屋の屋根を構成している垂木（３）に取り付ける場合、釘（４）を使用して波板形状をしたトタン板（２）の表面上から釘（４）を使用して、波板形状をしたトタン板（２）を家屋を構成している屋根の垂木（３）に釘（４）を使用して波板形状をしたトタン板（２）の表面上から釘（４）を使用して、垂木（３）に釘（４）を使用して波板形状をしたトタン板（２）を垂木（３）に打ち付けている。
【発明の概要】
【発明が解決をしようとする課題】
【０００６】
波板形状をしたトタン板（２）の裏面に家屋の屋根を構成している垂木（３）を釘（４）、又はボルト（５）、又はナット（６）、又はフック（７）、又はパッドアイ（７）、又はロングアイ（７）、又はオープンパッドアイ（７）、又はアイストラップ（７）、又はＵＫターンバックル（７）、（以下、略して、ナット、又はフック、又はアイとする）、
又はその他の手段を使用して、波板形状をしたトタン板（２）の裏面に垂木（３）を取り付けて固定をしたあとの、波板形状をしたトタン板（２）の表面上に太陽電池（１）を形成した、波板形状をしたトタン板（２）を家屋の屋根材として、直接に家屋の屋根として使用をすることにより、波板形状をしたトタン板（２）の表面上に形成をしている、太陽電池（１）が波板形状をしたトタン板（２）の表面上から雨水が進入をして、波板形状をしたトタン板（２）の表面上から太陽電池（１）が剥離をすることを防止することを目的とする。
【０００７】
また、波板形状をしたトタン板（２）を家屋を構成している屋根材とする場合、波板形状をしたトタン板（２）を家屋を構成している垂木（３）に、波板形状をしたトタン板（２）の表面上から釘（４）を使用して家屋を構成している垂木（３）に打ち付けると、波板形状をしたトタン板（２）を垂木（３）に釘（４）を使用して、垂木（３）に打ち付けた釘（４）を形成した穴の部分から雨水が進入をして波板形状をしたトタン板（２）が錆びることを防止することを目的とする。
【課題を解決するための手段】
【０００８】
波板形状をしたトタン板（２）の裏面に家屋を構成している垂木（３）を取り付けて固定をしたあとの、波板形状をしたトタン板（２）の表面上に太陽電池（１）を形成した、波板形状をしたトタン板（２）を家屋の屋根材として使用することを解決手段とする。
【０００９】
また、波板形状をしたトタン板（２）を裏面から家屋の屋根材を構成している垂木（３）を取り付けることにより、波板形状をしたトタン板（２）の表面上を一切損傷をすることなく、波板形状をしたトタン板（２）を家屋の屋根材を構成している垂木（３）に取り付けて固定をすることを解決手段とする。
【発明の効果】
【００１０】
波板形状をしたトタン板（２）の裏面に家屋の屋根を構成している垂木（３）を釘（４）、又はボルト（５）、又はナット（６）、又はフック（７）、又はパッドアイ（７）、又はロングアイ（７）、又はオープンパッドアイ（７）、又はアイストラップ（７）、又はＵＫターンバックル（７）、又はナット付Ｌ棒（以下、略して、ナット、又はフック、又はアイとする）、又はその他の手段を使用して、波板形状をしたトタン板（２）の裏
面に垂木（３）を取り付けて固定をしたあとの、波板形状をしたトタン板（２）の表面上に太陽電池（１）を形成した、波板形状をしたトタン板（２）を家屋の屋根材として、直接に家屋の屋根として使用をすることにより、波板形状をしたトタン板（２）の表面上に形成をしている、太陽電池（１）が波板形状をしたトタン板（２）の表面上から雨水が進入をして、波板形状をしたトタン板（２）の表面上から太陽電池（１）が剥離をすることを防止することが出来る効果がある。
【００１１】
また、所在地が京都市南区上鳥羽大物町３５の、（株）クリーンベンチャー２１が製造販売をしている、商品名が球状シリコン太陽電池モジュールを、上記にて説明をした、波板形状をしたトタン板（２）、又は平板形状をしたトタン板（８）の表面上に形成をすることにより、より一段と発電効率がよい、太陽電池（１）を波板形状をしたトタン板（２）、又は平板形状をしたトタン板（８）の表面上に形成をすることが出来る効果がある。
【００１２】
さらに、上記にて説明をした、波板形状をしたトタン板（２）、又は平板で出来ているトタン板（８）（以下、略して、トタン板、又は鉄板とする）を構成している鉄板の表面上にアルミニウム（Ａｌ）５５％＋亜鉛（Ｚｎ）４３．４％＋珪素（Ｓｉ）１．６％の合金の母材が溶融をしているメッキ槽の内部に鉄板であるトタン板を浸してメッキをした、名称がガルバリウムメッキ加工（以下、略して、ガルバ鋼板、又は日新鋼板（株）が製造販売をしている商品名がガルバスター、又はＺＧとする）を行った波板形状をしたトタン板（２）、又は平板で出来ているトタン板（８）の表面上に太陽電池（１）を形成した、トタン板の表面上に太陽電池（１）を形成した表面上から家屋の屋根を構成している垂木（３）に釘（４）を使用して、直接に太陽電池（１）を形成している波板形状をしたトタン板（２）、又は平板で出来ているトタン板（８）を釘（４）を使用して垂木（３）にトタン板の上から打ち付けても、ガルバ鋼板で出来ているトタン板は防食性が高くて腐蝕に強いので、ガルバ鋼板で出来ているトタン板の表面上に形成をした太陽電池（１）と、波板形状をしたトタン板（２）、又は平板で出来ているトタン板（８）との剥離の進行を、最も低下させることが出来るので、ガルバ鋼板で出来ている波板形状をしたトタン板（２）の表面上に太陽電池（１）を形成する。又は平板で出来ているトタン板（８）の表面上に太陽電池（１）を形成しているトタン板であれば、釘（４）を使用してトタン板の表面上から家屋の屋根を構成している垂木（３）に、直接にトタン板の表面上の面から釘（４）を使用して垂木（３）にトタン板を打ち付けることが出来る効果がある。
【００１３】
また、鶏舎、豚舎、牛舎、及び堆肥舎の用途に適した波板形状をしたトタン板（２）、又は平板で出来ているトタン板（８）、（以下、略して、トタン板とする）の表面上にメッキ加工するのには、例えば、日新鋼板（株）が製造販売をしている耐アンモニア性、及
耐湿潤性に優れている、亜鉛（Ｚｎ）９１％＋アルミニウム（Ａｌ）６％＋マグネシウム（Ｍｇ）１％で出来ている金属が溶融をしているメッキ槽の内部にてドブヅケメッキ加工をした、商品名がＺＡＭ  鋼板を使用した波板形状をしたトタン板の表面上に太陽電池（１）を形成する。または、平板で出来ているトタン板（８）の表面上に太陽電池（１）を形成すると耐アンモニア性、及び耐湿潤性に優れた効果がある。
【００１４】
さらに、波板形状をしたトタン板（２）をボルト（５）、又はナット（６）、又はフック（７）、又はパッドアイ（７）、又はロングアイ（７）、又はオープンパッドアイ（７）、又はアイストラップ（７）、又はＵＫターンバックル（７）、又はナット付Ｌ棒、（以下、略して、ナット、又はフック、又はアイとする）、又はその他の手段を使用して、家屋の屋根を構成している垂木（３）に波板形状をしたトタン板（２）の裏面から垂木（３）に取り付けることにより、波板形状をしたトタン板（２）の表面上に釘（４）を打ち付けることで発生をする傷口を一切損傷させることなく、家屋を構成している屋根材の垂木（３）に波板形状をしたトタン板（２）を、裏面から垂木（３）に取り付けて固定をするので、波板形状をしたトタン板（２）の表面上には一切傷口を発生させることなく波板形状をしたトタン板（２）を屋根材として使用することが出来るので、例えば、上記にて説明をした、商品名がガルバスター（ＺＧ）鋼板、又はＺＡＭ鋼板を使用して波板形状をしたトタン板（２）を形成すると耐用年数が、ガルバスター（ＺＧ）鋼板、又はＺＡＭ鋼板を製造販売している日新鋼板（株）が保証をしている、保証期間の１０年間の保証期間の３倍から５倍の３０年から５０年間、一切腐蝕をしない波板形状をしたトタン板（２）、及び平板で出来ているトタン板（８）を形成することが出来る効果がある。
【００１５】
波板形状をしたトタン板（２）、又は平板で出来ているトタン板（８）（以下、略して、波板形状をしたトタン板、又はトタン板、又はスレート屋根、又は折板屋根とする）の表面上に、太陽電池（１）と波板形状をしたトタン板（２）、又はスレート屋根（２）、又は折板屋根（２）との中間に、接着剤（１０）を使用して接着層（１０）を形成して、太陽電池（１）と波板形状をしたトタン板（２）、又はスレート屋根（２）、又は折板屋根（２）とを接合して一体化をした太陽電池（１）の利用効果を下記の（１）から（２１）にて説明をする。
【００１６】
（１）の利用効果としては、波板形状をしたトタン板（２）の表面上に接着層（１０）を使用して接合させて一体化をした太陽電池（１）であれば、家屋を構成している屋根材の屋根として使用する場合、太陽電池（１）を取り付けるのに必要な構造物を一切形成する必要性がない利用効果がある。
【００１７】
（２）の利用効果としては、波板形状をしたトタン板（２）の表面上に接着層（１０）を介在させて一体化をした太陽電池（１）であれば、波板形状をしたトタン板（２）の裏面は空気層であり、この空気層の空気を循環、又は外気と接続させていることにより、太陽電池（１）を冷却することが出来るので、太陽電池（１）の表面温度の上昇による電気変換率の低下を抑制することが出来る利用効果がある。
【００１８】
（３）の利用効果としては、波板形状をしたトタン板（２）の表面上に接着層（１０）を介在させて、波板形状をしたトタン板（２）と一体化をした太陽電池（１）であれば、従来の波板形状をしたトタン板（２）を施工したことがある、例えば、大工、又はその他の経験者であれば、誰でもが太陽電池（１）を、家屋を構成している屋根として施工をすることが出来る利用効果がある。
【００１９】
（４）の利用効果としては、波板形状をしたトタン板（２）の表面上に接着層（１０）を介在させて、波板形状をしたトタン板（２）と一体化をした太陽電池（１）であれば、従来、太陽電池（１）を施工するのに必要な構造物を全く必要とすることなく、太陽電池（１）を家屋の屋根材の屋根として施工をすることが出来るので、極く安価にて太陽電池（１）を家屋の屋根として利用することが出来る利用効果がある。また、電気の配線が容易である利用効果がある。
【００２０】
（５）の利用効果としては、波板形状をしたトタン板（２）の表面上に接着層（１０）を介在させて、波板形状をしたトタン板（２）と一体化をした太陽電池（１）を、家屋を構成している屋根材の屋根として使用をする場合には、本考案の主たる目的である、波板形状をしたトタン板（２）の表面上に一体化をした太陽電池（１）を屋根材の屋根として施工をする場合には、例えば、波板形状をしたトタン板（２）の裏面に、波板形状をしたトタン板（２）の表面上に太陽電池（１）を接着層（１０）を介在させて接合させて一体化をする前の前工程として、波板形状をしたトタン板（２）の裏面に、例えば、パッドアイ（７）、又はナット（７）、又はボルト（７）、又はフック（７）などをアーク溶接などを使用して、波板形状をしたトタン板（２）の裏面に取り付けている、例えば、パッドアイ（７）などを使用して波板形状をしたトタン板（２）を、家屋を構成している部材の垂木（３）などに、波板形状をしたトタン板（２）を波板形状をしたトタン板（２）の裏面から施工をして取り付けるので、従来、波板形状をしたトタン板（２）を施工するのと比較をすると、波板形状をしたトタン板（２）の表面上を一切、釘などを使用して損傷をさせることがないので、長期間、波板形状をしたトタン板（２）を腐蝕させることがない利用効果がある。
【００２１】
（６）の利用効果としては、特に、会社名が日新製鋼（株）が製造販売をしている、商品名がガルバスター、又はＺＡＭのメッキ鋼板を使用して出来ている波板形状をしたトタン板（２）であれば、波板形状をしたトタン板（２）を取り付けるのに、釘などを使用して一切損傷をさせることなく施工をするのであれば、３０年から５０年間、波板形状をしたトタン板（２）は腐蝕をすることがない利用効果がある。
【００２２】
（７）の利用効果としては、波板形状をしたトタン板（２）の形状と全く同じ形状をした太陽電池（１）を、波板形状をしたトタン板（２）の表面上に太陽電池（１）を貼り付けているので、外観は大変に光沢があり、きれいな屋根とすることが出来る利用効果がある。
【００２３】
（８）の利用効果としては、波板形状をしたトタン板（２）の表面上に太陽電池（１）を接着層（１０）、又はその他の接合手段を使用して、波板形状をしたトタン板（２）の表面上に太陽電池（１）を形成している波板形状をしたトタン板（２）を、家屋を構成している部材である垂木（３）にボルト（５）、及びナット（６）を使用して、波板形状をしたトタン板（２）の裏面から取り付ける施工手段なので、従来、釘などを使用して取り付けるのとは異なり、風雪に対して、より一段と耐えることが出来る屋根とすることが出来る利用効果がある。
【００２４】
（９）の利用効果としては、波板形状をしたトタン板（２）の表面上に太陽電池（１）を取り付ける目的にて、波板形状をしたトタン板（２）の表面上にナット（６）をアーク溶接部分（１３）、又は金属接着剤部分（１３）を形成して、波板形状をしたトタン板（２）の表面上にナット（６）を固定した、波板形状をしたトタン板（２）を形成することにより、例えば、所在地が京都市南区上鳥羽大物町３５の、（株）クリーンベンチャー２１が製造販売をしている球状シリコン太陽電池モジュール（出力１１５Ｗ）を、図３７に示しているように、波板形状をしたトタン板（２）の表面上に取り付けて固定をしているナット（６）を使用して、球状シリコン太陽電池モジュール（出力１１５Ｗ）を使用して、波板形状をしたトタン板（２）の表面上に容易に強固に取り付けることが出来る利用効果がある。
【００２５】
（１０）の利用効果としては、波板形状をしたトタン板（２）の表面上に太陽電池（１）を取り付ける目的にて、波板形状をしたトタン板（２）の表面上にナット（６）をアーク溶接部分（１３）、又は金属接着剤部分（１３）を形成して、波板形状をしたトタン板（２）の表面上にナット（６）を固定したあと、さらに、波板形状をしたトタン板（２）の裏面上にアーク溶接部分（１３）、又は金属接着剤部分（１３）を形成して、パッドアイ（７）、又はロングアイ（７）、又はオープンパッドアイ（７）、又はアイストラップ（７）（以下、略して、パッドアイとする）を使用して、波板形状をしたトタン板（２）の裏面から家屋を構成している垂木（３）に、波板形状をしたトタン板（２）の表面上に太陽電池（１）を形成している、波板形状をしたトタン板（２）の裏面から家屋を構成している垂木（３）に取り付けることを解決手段とすることにより、波板形状をしたトタン板（２）の表面上に太陽電池（１）を形成しても太陽電池（１）を取り付けるのに、特別の構造物を形成する必要性がない利用効果がある。
【００２６】
（１１）の利用効果としては、波板形状をしたトタン板（２）の表面上に太陽電池（１）を取り付ける目的にて、波板形状をしたトタン板（２）の表面上にナット（６）をアーク溶接部分（１３）、又は金属接着剤部分（１３）を形成して、波板形状をしたトタン板（２）の表面上にナット（６）を固定したあと、波板形状をしたトタン板（２）と太陽電池（１）との中間に、発泡スチロール製板とアルミニウムで出来ている板でありながら両側面上に接着層（１０）を形成している、発泡スチロール製板を中心として両側面上がアルミニウムで出来ている板、例えば、所在地が東京都千代田区丸の内３−４−２（新日石ビル）にある、会社名が（株）ＪＳＰが製造販売をしている商品名がミラパネエース（以下、略して、ミラパネエースとする）で出来ている合板を、以下、ミラパネエース合板（２０）とする。このミラパネエース合板（２０）で出来ている合板（２０）の両側面上に形成している接着層（１０）を介在させて波板形状をしたトタン板（２）と太陽電池（１）とを積層している。さらに、波板形状をしたトタン板（２）の裏面上にアーク溶接部分（１３）、又は金属接着剤部分（１３）を形成してパッドアイ（７）、又はロングアイ（７）、又はオープンパッドアイ（７）、又はアイストラップ（７）（以下、略して、パッドアイとする）を、波板形状をしたトタン板（２）の裏面上に形成をしている波板形状をしたトタン板（２）を形成したことにより、波板形状をしたトタン板（２）の表面上に形成をした太陽電池（１）の表面上を、人間が自由に歩いても、人間の重量に耐えることが出来る太陽電池（１）の構造物となる。また、防音効果がある。さらに、耐熱効果もある、波板形状をしたトタン板（２）の表面上に太陽電池（１）を形成した、波板形状をしたトタン板（２）なので、太陽電池（１）を敷設するのに、特別の構造物は全く必要がなくて、極く普通に波板形状をしたトタン板（２）を屋根材の屋根として敷設をする作業工程と、全く同じ作業工程にて太陽電池（１）を敷設することが出来る利用効果がある。
【００２７】
（１２）の利用効果としては、波板形状をしたトタン板（２）の表面上に太陽電池（１）を取り付ける目的にて、波板形状をしたトタン板（２）の表面上にナット（６）をアーク溶接部分（１３）、又は金属接着剤部分（１３）を形成して、波板形状をしたトタン板（２）の表面上にナット（６）を固定したあと、波板形状をしたトタン板（２）と太陽電池（１）との中間に、発泡スチロール製板とアルミニウムで出来ている板とで出来ているミラパネエース合板（２０）の両側面上に形成している接着層（１０）を介在させて波板形状をしたトタン板（２）と太陽電池（１）とを積層して、波板形状をしたトタン板（２）に固定をしているナット（６）とボルト（５）とを使用して、波板形状をしたトタン板（２）とミラパネエース合板（２０）と波板形状をしたトタン板（２）とを合体させた、波板形状をしたトタン板（２）の裏面上にアーク溶接部分（１３）、又は金属接着剤部分（１３）を形成してパッドアイ（７）、又はロングアイ（７）、又はオープンパッドアイ（７）、又はアイストラップ（７）（以下、略して、パッドアイとする）を使用して、波板形状をしたトタン板（２）の裏面から家屋を構成している垂木（３）に取り付けることが出来る、波板形状をしたトタン板（２）を形成したことにより、波板形状をしたトタン板（２）の表面上に形成をした太陽電池（１）の表面上を、人間が自由に歩いても、人間の重量に耐えることが出来る太陽電池（１）の構造物となる。また、防音効果がある。さらに、耐熱効果もある、波板形状をしたトタン板（２）の表面上に太陽電池（１）を形成した、波板形状をしたトタン板（２）なので、太陽電池（１）を設置するのに、特別の構造物は全く必要がなくて、極く普通に波板形状をしたトタン板（２）を屋根材の屋根として設置をする作業工程と、全く同じ作業工程にて太陽電池（１）を敷設することが出来る利用効果がある。
【００２８】
（１３）の利用効果としては、従来、波板形状をしたトタン板（２）を家屋の屋根として、現在、波板形状をしたトタン板（２）を使用している場合には、上記にて説明をした、波板形状をしたトタン板（２）の表面上に太陽電池（１）を形成した波板形状をしたトタン板（２）を、現在、家屋の屋根として使用している波板形状をしたトタン板（２）の表面上から、家屋の屋根を構成している波板形状をしたトタン板（２）に穴を形成して、波板形状をしたトタン板（２）を貫通させて、家屋を構成している垂木（３）に、太陽電池（１）の表面上形成をしている波板形状をしたトタン板（２）を強固に固定するために、波板形状をしたトタン板（２）の裏面に取り付けているパッドアイ（７）、又はロングアイ（７）、又はオープンパッドアイ（７）、又はアイストラップ（７）（以下、略して、パッドアイとする）、又はボルト（５）、又はナット（６）、又はナット付きＬ棒などを使用して、現在、家屋の屋根として使用している波板形状をしたトタン板（２）の表面上から、太陽電池（１）を形成している波板形状をしたトタン板（２）を重ねて重複させて設置をすると、より一段と簡便に太陽電池（１）を取り付けることが出来る利用効果がある。
【００２９】
（１４）の利用効果としては、従来、家屋の屋根材として瓦屋根、又はセメントで出来ているスレートの屋根材の屋根、又はその他の人造の薄板で出来ている屋根材の屋根で出来ている家屋の屋根（以下、略して、瓦屋根とする）を、上記にて説明をした、波板形状をしたトタン板（２）の表面上に太陽電池（１）を形成した波板形状をしたトタン板（２）を設置する場合も、上記にて説明をした内容と同様に、家屋の屋根を構成している瓦屋根の瓦に穴を形成して瓦を貫通させて、家屋を構成している垂木（３）に、太陽電池（１）を表面上に形成をしている波板形状をしたトタン板（２）を固定するために、波板形状をしたトタン板（２）の裏面に取り付けているパッドアイ（７）、又はロングアイ（７）、又はオープンパッドアイ（７）、又はアイストラップ（７）（以下、略して、パッドアイとする）、又はボルト（５）、又はナット（６）、又はナット付きＬ棒などを使用して、現在、家屋の屋根として使用している瓦屋根、又はスレート屋根として使用している表面上から、太陽電池（１）を形成している波板形状をしたトタン板（２）を、現在、使用している瓦屋根、又はスレートで出来ている屋根の表面上に強固に重ねて重複させて固定をして設置をすると、上記にて説明をした、現在、家屋の屋根として使用している波板形状をしたトタン板（２）の表面上に、太陽電池（１）を形成している波板形状をしたトタン板（２）を設置する場合と同様に、より一段と簡便に太陽電池（１）を屋根瓦の表面上、又はスレートで出来ている屋根の表面上に強固に固定をすることが出来る利用効果がある。
【００３０】
（１５）の利用効果としては、波板形状をしたトタン板（２）の表面上に太陽電池（１）を取り付ける目的にて、波板形状をしたトタン板（２）の表面上にナット（６）をアーク溶接部分（１３）、又は金属接着剤部分（１３）を形成して、波板形状をしたトタン板（２）の表面上にナット（６）を固定したあと、波板形状をしたトタン板（２）と太陽電池（１）との中間に、発泡スチロール製板とアルミニウムで出来ている板とで出来ている板の合板（２０）を接着層（１０）を介在させて形成をして積層をさせたあと、さらに、波板形状をしたトタン板（２）の裏面上にアーク溶接部分（１３）、又は金属接着剤部分（１３）を形成してパッドアイ（７）、又はロングアイ（７）、又はオープンパッドアイ（７）、又はアイストラップ（７）（以下、略して、パッドアイとする）を使用して、波板形状をしたトタン板（２）の裏面上に家屋を構成している垂木（３）を取り付けるのに、家屋の屋根を構成している瓦（２１）に穴（２２）を形成して、波板形状をしたトタン板（２）の裏面上に取り付けているパッドアイ（７）と先端部分がｎ字形状をしたナット付きＬ棒（１４）を瓦（２１）に形成をしている穴（２２）の内部を貫通させて、先端部分がｎ字形状をしたナット付きＬ棒（１４）を使用して、家屋を構成している垂木（３）に、波板形状をしたトタン板（２）の表面上に太陽電池（１）と、さらに、波板形状をしたトタン板（２）の裏面上に防音効果、又は断熱効果、又は瓦（２１）との密着性を高める目的にて、両側面が平板形状、又は片面が平板形状で、もう一方の片面が屋根瓦の瓦として使用をしている、瓦の形状に類似の形状をした発泡スチロール製板（１１）をサンドイッチ形状に中間に介在をさせて、波板形状をしたトタン板（２）の表面上に太陽電池（１）を形成している、波板形状をしたトタン板（２）を家屋を構成している垂木（３）に強固に取り付けて瓦（２１）で出来ている屋根の表面上に、波板形状をしたトタン板（２）の表面上に太陽電池（１）を形成している波板形状をしたトタン板（２）を形成することが出来る利用効果がある。
【００３１】
（１６）の利用効果としては、波板形状をしたトタン板（２）の表面上に太陽電池（１）を取り付ける目的にて、波板形状をしたトタン板（２）の表面上にナット（６）をアーク溶接部分（１３）、又は金属接着剤部分（１３）を形成して、波板形状をしたトタン板（２）の表面上にナット（６）を固定したあと、波板形状をしたトタン板（２）と太陽電池（１）との中間に、発泡スチロール製板とアルミニウムで出来ている板とで出来ている板の合板（２０）を接着層（１０）を介在させて形成をして積層をさせたあと、さらに、波板形状をしたトタン板（２）の裏面上にアーク溶接部分（１３）、又は金属接着剤部分（１３）を形成してパッドアイ（７）、又はロングアイ（７）、又はオープンパッドアイ（７）、又はアイストラップ（７）（以下、略して、パッドアイとする）を使用して、波板形状をしたトタン板（２）の裏面上に家屋を構成している垂木（３）を取り付けるのに、家屋の屋根を構成している瓦（２１）に穴（２２）を形成して、波板形状をしたトタン板（２）の裏面上に取り付けているパッドアイ（７）と先端部分がｎ字形状をしたナット付きＬ棒（１４）を瓦（２１）に形成をしている穴（２２）の内部を貫通させて、先端部分がｎ字形状をしたナット付きＬ棒（１４）を使用して、家屋を構成している垂木（３）に、波板形状をしたトタン板（２）の表面上に太陽電池（１）と、さらに、波板形状をしたトタン板（２）の裏面上に防音効果、又は断熱効果、又は瓦（２１）との密着性を高める目的にて、片面が波板形状で、もう一方の片面が平板形状、又は屋根瓦の瓦として使用をしている、瓦の形状に類似の形状をした発泡スチロール製板（９）をサンドイッチ形状に中間に介在をさせて、波板形状をしたトタン板（２）の表面上に太陽電池（１）を形成している、波板形状をしたトタン板（２）を家屋を構成している垂木（３）に強固に取り付けて瓦（２１）で出来ている屋根の表面上に、波板形状をしたトタン板（２）の表面上に太陽電池（１）を形成している波板形状をしたトタン板（２）を形成することが出来る利用効果がある。
【００３２】
（１７）の利用効果としては、平板で出来ているトタン板（８）の表面上に太陽電池（１）を取り付ける目的にて、平板で出来ているトタン板（８）の表面上にナット（６）をアーク溶接部分（１３）、又は金属接着剤部分（１３）を形成して、平板で出来ているトタン板（８）の表面上にナット（６）を固定したあと、平板で出来ているトタン板（８）と太陽電池（１）との中間に、発泡スチロール製板とアルミニウムで出来ている板とで出来ている板の合板（２０）を接着層（１０）を介在させて形成をして積層をさせたあと、さらに、平板で出来ているトタン板（８）の裏面上にアーク溶接部分（１３）、又は金属接着剤部分（１３）を形成してパッドアイ（７）、又はロングアイ（７）、又はオープンパッドアイ（７）、又はアイストラップ（７）（以下、略して、パッドアイとする）を使用して、平板で出来ているトタン板（８）の裏面上に家屋を構成している垂木（３）を取り付けるのに、家屋の屋根を構成している瓦（２１）に穴（２２）を形成して、平板で出来ているトタン板（８）の裏面上に取り付けているパッドアイ（７）と先端部分がｎ字形状をしたナット付きＬ棒（１４）を瓦（２１）に形成をしている穴（２２）の内部を貫通させて、先端部分がｎ字形状をしたナット付きＬ棒（１４）を使用して、家屋を構成している垂木（３）に、平板で出来ているトタン板（８）の表面上に太陽電池（１）と、さらに、平板で出来ているトタン板（８）の裏面上に防音効果、又は断熱効果、又は瓦（２１）との密着性を高める目的にて、両側面が平板形状、又は片面が平板形状で、もう一方の片面が屋根瓦の瓦として使用をしている、瓦の形状に類似の形状
をした発泡スチロール製板（１１）をサンドイッチ形状に中間に介在をさせて、平板形状をしたトタン板（８）の表面上に太陽電池（１）を形成している、平板で出来ているトタン板（８）を家屋を構成している垂木（３）に強固に取り付けて瓦（２１）で出来ている屋根の表面上に、平板で出来ているトタン板（８）の表面上に太陽電池（１）を形成している平板で出来ているトタン板（８）の表面上に太陽電池（１）を形成している平板で出来ているトタン板（８）を形成することが出来る利用効果がある。
【００３３】
（１８）の利用効果としては、波板形状をしたトタン板（２）の表面上に太陽電池（１）を取り付ける目的にて、波板形状をしたトタン板（２）の表面上にナット（６）をアーク溶接部分（１３）、又は金属接着剤部分（１３）を形成して、波板形状をしたトタン板（２）の表面上にナット（６）を固定したあと、波板形状をしたトタン板（２）と太陽電池（１）との中間に、発泡ポリスチレン製板とアルミホイルで出来ている板とで出来ている板の合板（２０）を接着層（１０）を介在させて形成をして積層をさせたあと、さらに、波板形状をしたトタン板（２）の裏面上にアーク溶接部分（１３）、又は金属接着剤部分（１３）を形成してパッドアイ（７）、又はロングアイ（７）、又はオープンパッドアイ（７）、又はアイストラップ（７）（以下、略して、パッドアイとする）を使用して、波板形状をしたトタン板（２）の裏面上に家屋を構成している垂木（３）を取り付けるのに、家屋の屋根を構成している瓦（２１）に穴（２２）を形成して、波板形状をしたトタン板（２）の裏面上に取り付けているパッドアイ（７）と先端部分がｎ字形状をしたナット付きＬ棒（１４）を瓦（２１）に形成をしている穴（２２）の内部を貫通させて、先端部分がｎ字形状をしたナット付きＬ棒（１４）を使用して、家屋を構成している垂木（３）に、波板形状をしたトタン板（２）の表面上に太陽電池（１）を形成した波板形状をしたトタン板（２）を、先端部分がｎ字形状をしたナット付きＬ棒（１４）を、瓦（２１）に形成をしている穴（２２）の内部を貫通させて、波板形状をしたトタン板（２）を家屋を構成している垂木（３）に取り付けて固定をすると、瓦（２１）に形成をしている穴（２２）から雨水が漏れて、家屋の内部に雨水が進入をするのを防止するために、瓦（２１）の表面上から、５ｃｍ前後の長い円筒形状（２３）をした構造物を瓦（２１）と合体をさせて一体構造をした瓦（２１）を使用して先端部分がｎ字形状をしたナット付きＬ棒（１４）を使用して波板形状をしたトタン板（２）を固定している。さらに、円筒形状（２３）の内部を貫通している先端部分がｎ字形状をしたナット付きＬ棒（１４）を、円筒形状（２３）の内部にて密封剤（２４）である、例えば、シリコーン樹脂などで出来ている接着剤を使用して、瓦（２１）と合体をさせて一体構造をした瓦（２１）に形成をしている円筒形状（２３）の内部を密封剤（２４）を使用して密封をして、瓦（２１）に形成をしている穴（２２）から雨水が家屋の内部に漏れるのを防止する。または、シリコーン樹脂などで出来ているパッキング（２４）を、密封剤（２４）の代わりに円筒形状（２３）の内部に挿入をして、先端部分がｎ字形状をしたナット付きＬ棒（１４）を、瓦（２１）と合体をさせて一体構造をした瓦（２１）に形成をしている円筒形状（２３）の内部にて密封をして、瓦（２１）に形成をしている穴（２２）から雨水が家屋の内部に漏れるのを防止することが出来る構造をした、瓦（２１）と円筒形状（２３）を合体させて一体構造とした瓦（２１）を形成することが出来る利用効果がある。
【００３４】
（１９）の利用効果としては、図７３、及び図７４に示しているように、折板屋根（２）、又はスレート屋根（２）の表面上に、太陽電池（１）の製造会社である。例えば、会社の本社の所在地が米国にある、ＵＮＩ-ＳＯＬＡＲ社が製造販売をしている太陽電池（１）は、基盤にステンレススチール製の板厚の厚さが０．５ｍｍのステンレススチール製の板厚の表面上にアモルファスシリコン、及びシリコンゲルマニウムで構成されている３層型である。また、ＵＮＩ-ＳＯＬＡＲ社の太陽電池（１）は、フレキシブルタイプで柔軟性がある。さらに、基盤であるステンレススチール製板の裏面上には強力な接着効果がある接着層（１０）を形成している。この基盤がステンレススチール製板で出来ているＵＮＩ-ＳＯＬＡＲ社製の太陽電池（１）を折板屋根（２）、又はスレート屋根（２）（以下、略して、折板屋根とする）の表面上に、例えば、家屋の峰である棟に対して平行に折板屋根（２）の表面上に、ＵＮＩ-ＳＯＬＡＲ社製の太陽電池（１）を棟に対して平行に直貼りをする。また、家屋の峰である棟に対して上下方向である直角に折板屋根（２）の表面上に、ＵＮＩ-ＳＯＬＡＲ社製の太陽電池（１）を上下方向の直角に直貼りをすると、ＵＮＩ-ＳＯＬＡＲ社製の太陽電池（１）の基盤を構成しているステンレススチール製板の裏面上に形成をしている接着層（１０）を使用して、折板屋根（２）の表面上に強固に、ＵＮＩ-ＳＯＬＡＲ社製の太陽電池（１）を接着させて接合をさせることが出来る利用効果がある。
【００３５】
（２０）の利用効果としては、図７３、及び図７４に示しているように、折板屋根（２）、又はスレート屋根（２）（以下、略して、折板屋根とする）の表面上に、ＵＮＩ-ＳＯＬＡＲ社製の基盤がステンレススチール製の板厚の厚さが０．５ｍｍのステンレススチール製板の基盤で出来ている、幅が１ｍ程度で、長さ方向は自由に切断が出来る長尺物の、ＵＮＩ-ＳＯＬＡＲ社製の太陽電池（１）を折板屋根（２）、又はスレート屋根（２）の表面上に、ＵＮＩ-ＳＯＬＡＲ社製の太陽電池（１）の基盤の裏面上に形成をしている接着層（１０）を介在させて折板屋根（２）、又はスレート屋根（２）の表面上に、ＵＮＩ-ＳＯＬＡＲ社製の太陽電池（１）を、太陽電池（１）の基盤の裏面上に形成をしている接着層（１０）を介在させて折板屋根（２）、又はスレート屋根（２）の表面上に直貼りをすると、ＵＮＩ-ＳＯＬＡＲ社製の太陽電池（１）は長尺物の太陽電池（１）なので、結果としては、長尺物の太陽電池（１）を直貼りをすることになり、表面張力が強力となるので、ＵＮＩ-ＳＯＬＡＲ社製の太陽電池（１）を折板屋根（２）、又はスレート屋根（２）の表面上に直貼りをした表面上を、人間が自由に歩くことが出来るほどの重量の荷重に耐えうることが出来る利用効果がある。
【００３６】
（２１）の利用効果としては、図７３、及び図７４に示しているように、折板屋根（２）、又はスレート屋根（２）（以下、略して、折板屋根とする）の表面上に、ＵＮＩ-ＳＯＬＡＲ社製の基盤がステンレススチール製の板厚の厚さが０．５ｍｍのステンレススチール製板の基盤で出来ている、ＵＮＩ-ＳＯＬＡＲ社製の太陽電池（１）を折板屋根（２）、又はスレート屋根（２）の表面上に、ＵＮＩ-ＳＯＬＡＲ社製の太陽電池（１）の基盤の裏面上に形成をしている接着層（１０）を介在させて折板屋根（２）、又はスレート屋根（２）の表面上に、ＵＮＩ-ＳＯＬＡＲ社製の太陽電池（１）を直貼りをすると、太陽電池（１）を設置するために必要な構造物は、一切必要性がないので、極く安価な費用にて太陽電池（１）を、家屋を構成している屋根材である折板屋根（２）、又はスレート屋根（２）の表面上に、極く安価なコストにてＵＮＩ-ＳＯＬＡＲ社製の太陽電池（１）を設置することが出来る利用効果がある。
【００３７】
また、石綿スレート２６が数十年を経過して、旧くなって脆くなって危険な石綿スレート２６の強度を補強して補修工事をする目的にて、従来の強度が、極く弱くなっている石綿スレート２６を使用して、例えば、石綿スレート２６を使用して、数十年が経過をしている工場、又は倉庫の屋根の表面上である、石綿スレート２６の上を歩くことは、数十年が経過をした石綿スレート２６の強度は脆弱となっているので、第１としては、旧い石綿スレート２６の上を歩くことは大変に危険である。第２としては、アスベストが主たる原材料で出来ている石綿スレート２６を解体すると、発ガン性があるアスベストが飛散をするので、容易に旧くなった石綿スレート２６は、簡単には解体をすることが出来ないのが現状である。けれども、旧くなって雨漏りがする石綿スレート２６で出来ている工場、又は倉庫などの屋根の強度を補強して、補修工事を安全に行うことを目的とした工事方法を、ポリスチレンが主たる原材料で出来ている発泡倍率が低倍率の、極く低い発泡スチロール、例えば、発泡倍率が１０倍以下、又は発泡倍率が２０倍以下、又は発泡倍率が２５倍以下、又は発泡倍率が３０倍以下、又は発泡倍率が３５倍以下、又は発泡倍率が５０倍以下（以下、略して、発泡倍率が２５倍以下とする）の発泡スチロールで出来ている、片面の形状が石綿スレート２６の形状をした発泡スチロールで、もう一方の片面が平板形状をした発泡スチロール２７、又は両面の形状が平板形状をした発泡スチロール２８、又は片面が石綿スレート２６の形状をした発泡スチロールで、もう一方の片面がスレート屋根２５の形状をした発泡スチロール２９を使用して、数十年が経過をして雨漏りがしている工場、又は倉庫などの屋根を構成している、旧い石綿スレート２６の強度を補強して補修工事を安全に行う工事方法を、下記の（１）から（９）にて説明をする。
【００３８】
（１）としては、図７６に示しているのは、石綿スレート２６が数十年を経過して、旧くなって脆くなって危険な石綿スレート２６の強度を補強して補修工事をする目的にて、上記の図７５にて説明をした、従来の石綿スレート２６である、アスベストをセメントで固めて形成をしたアスベスト形成板（以下、略して、石綿スレートとする）２６を、家屋の屋根材を構成している垂木３の裏面から、石綿スレート２６をボルト５、及びナット６を使用して垂木３に取り付けたあとの、石綿スレート２６の表面上に、例えば、厚さが１０ｃｍ前後で、鉄板小波を屋根材として使用する場合には、働き巾が６９５ｍｍなので、横巾が６９５ｍｍの発泡スチロール板で、また、鉄板大波を屋根材として使用する場合には、働き巾が６８５ｍｍなので、横巾が６８５ｍｍの発泡スチロール板で出来ている、発泡スチロール板の形状が、片面の形状が石綿スレート２６の形状をした発泡スチロール２７で、もう一方の片面の形状が平板形状をした発泡スチロール２７を、石綿スレート２６の表面上に、石綿スレート２６の表面上に敷き詰めて重ねて積層をして、石綿スレート２６の表面上の耐えうる荷重を、例えば、石綿スレート２６の表面上を、人間が自由に歩いても耐えうる限度以上の、石綿スレート２６の荷重が、人間の荷重に耐えうる構造物とすることが出来る効果がある。
【００３９】
（２）としては、図７７に示しているのは、石綿スレート２６が数十年を経過して、旧くなって脆くなって危険な石綿スレート２６の強度を補強して補修工事をする目的にて、上記の図７５にて説明をした、従来の石綿スレート２６である、アスベストをセメントで固めて形成をしたアスベスト形成板（以下、略して、石綿スレートとする）２６を、家屋の屋根材を構成している垂木３の裏面から、石綿スレート２６をボルト５、及びナット６を使用して垂木３に取り付けたあとの、石綿スレート２６の表面上に、例えば、厚さが１０ｃｍ前後で、鉄板小波を屋根材として使用する場合には、働き巾が６９５ｍｍなので、横巾が６９５ｍｍの発泡スチロール板で、また、鉄板大波を屋根材として使用する場合には、働き巾が６８５ｍｍなので、横巾が６８５ｍｍの発泡スチロール板で出来ている、発泡スチロール板の形状が、両面が平板形状をした発泡スチロール２８を、石綿スレート２６の表面上に、石綿スレート２６の表面上に敷き詰めて重ねて積層をして、石綿スレート２６の表面上の耐えうる荷重を、例えば、石綿スレート２６の表面上を、人間が自由に歩いても耐えうる限度以上の、石綿スレート２６の荷重が、人間の荷重に耐えうる構造物とすることが出来る効果がある。
【００４０】
（３）としては、図７８に示しているのは、石綿スレート２６が数十年を経過して、旧くなって脆くなって危険な石綿スレート２６の強度を補強して補修工事をする目的にて、上記の図７５にて説明をした、従来の石綿スレート２６である、アスベストをセメントで固めて形成をしたアスベスト形成板（以下、略して、石綿スレートとする）２６を、家屋の屋根材を構成している垂木３の裏面から、石綿スレート２６をボルト５、及びナット６を使用して垂木３に取り付けたあとの、石綿スレート２６の表面上に、例えば、厚さが１０ｃｍ前後で、鉄板小波を屋根材として使用する場合には、働き巾が６９５ｍｍなので、横巾が６９５ｍｍの発泡スチロール板で、また、鉄板大波を屋根材として使用する場合には、働き巾が６８５ｍｍなので、横巾が６８５ｍｍの発泡スチロール板で出来ている、発泡スチロール板の形状が、片面の形状が石綿スレート２６の形状をした発泡スチロール２９で、もう一方の片面の形状がスレート屋根形状をした発泡スチロール２９を、石綿スレート２６の表面上に、石綿スレート２６の表面上に敷き詰めて重ねて積層をして、石綿スレート２６の表面上の耐えうる荷重を、例えば、石綿スレート２６の表面上を、人間が自由に歩いても耐えうる限度以上の、石綿スレート２６の荷重が、人間の荷重に耐えうる構造物とすることが出来る効果がある。
【００４１】
（４）としては、図７９に示しているのは、石綿スレート２６が数十年を経過して、旧くなって脆くなって危険な石綿スレート２６の強度を補強して補修工事をする目的にて、上記の図７５にて説明をした、従来の石綿スレート２６である、アスベストをセメントで固めて形成をしたアスベスト形成板（以下、略して、石綿スレートとする）２６を、家屋の屋根材を構成している垂木３の裏面から、石綿スレート２６をボルト５、及びナット６を使用して垂木３に取り付けたあとの、石綿スレート２６の表面上に、例えば、厚さが１０ｃｍ前後で、鉄板小波を屋根材として使用する場合には、働き巾が６９５ｍｍなので、横巾が６９５ｍｍの発泡スチロール板で、また、鉄板大波を屋根材として使用する場合には、働き巾が６８５ｍｍなので、横巾が６８５ｍｍの発泡スチロール板で出来ている、発泡スチロール板の形状が、片面の形状が石綿スレート２６の形状をした発泡スチロール２９で、もう一方の片面の形状がスレート屋根形状をした発泡スチロール２９を、石綿スレート２６の表面上に、石綿スレート２６の表面上に敷き詰めて重ねて積層をして、石綿スレート２６の表面上の耐えうる荷重を、例えば、石綿スレート２６の表面上を、人間が自由に歩いても耐えうる限度以上の、石綿スレート２６の荷重が、人間の荷重に耐えうる構造物としたあとの、発泡スチロール２９の表面上に、スレート屋根２５を重ねて積層をして、垂木３、石綿スレート２６、発泡スチロール２９、及びスレート屋根２５の４種類のパネルを、ボルト５、及びナット６を使用して、家屋を構成している屋根材である垂木３にスレート屋根２５を上下から積層をして取り付けたスレート屋根２５を、結果として、発泡スチロール２９を介在させて、石綿スレート２６に固定をすることが出来る効果がある。
【００４２】
（５）としては、図８０に示しているのは、石綿スレート２６が数十年を経過して、旧くなって脆くなって危険な石綿スレート２６の強度を補強して補修工事をする目的にて、上記の図７５にて説明をした、従来の石綿スレート２６である、アスベストをセメントで固めて形成をしたアスベスト形成板（以下、略して、石綿スレートとする）２６を、家屋の屋根材を構成している垂木３の裏面から、石綿スレート２６をボルト５、及びナット６を使用して垂木３に取り付けたあとの、石綿スレート２６の表面上に、例えば、厚さが１０ｃｍ前後で、鉄板小波を屋根材として使用する場合には、働き巾が６９５ｍｍなので、横巾が６９５ｍｍの発泡スチロール板で、また、鉄板大波を屋根材として使用する場合には、働き巾が６８５ｍｍなので、横巾が６８５ｍｍの発泡スチロール板で出来ている、発泡スチロール板の形状が、片面の形状が石綿スレート２６の形状をした発泡スチロール２９で、もう一方の片面の形状がスレート屋根形状をした発泡スチロール２９を、石綿スレート２６の表面上に、石綿スレート２６の表面上に敷き詰めて重ねて積層をして、石綿スレート２６の表面上の耐えうる荷重を、例えば、石綿スレート２６の表面上を、人間が自由に歩いても耐えうる限度以上の、石綿スレート２６の荷重が、人間の荷重に耐えうる構造物としたあとの、発泡スチロール２９の表面上に、スレート屋根２５を重ねて積層をして、垂木３、石綿スレート２６、発泡スチロール２９、及びスレート屋根２５の４種類のパネルを、パッドアイ７、及び先端部分がｎ字形状をしたナット付Ｌ棒１４を使用して、家屋を構成している屋根材である垂木３の裏面である下の面からスレート屋根２５を上下から積層をして取り付けたスレート屋根２５を、結果として、発泡スチロール２９を石綿スレート２６とスレート屋根２５との中間に介在をさせて、石綿スレート２６に固定をすることが出来る効果がある。
【００４３】
（６）としては、図８１に示しているのは、石綿スレート２６が数十年を経過して、旧くなって脆くなって危険な石綿スレート２６の強度を補強して補修工事をする目的にて、上記の図７５にて説明をした、従来の石綿スレート２６である、アスベストをセメントで固めて形成をしたアスベスト形成板（以下、略して、石綿スレートとする）２６を、家屋の屋根材を構成している垂木３の裏面から、石綿スレート２６をボルト５、及びナット６を使用して垂木３に取り付けたあとの、石綿スレート２６の表面上に、例えば、厚さが１０ｃｍ前後で、鉄板小波を屋根材として使用する場合には、働き巾が６９５ｍｍなので、横巾が６９５ｍｍの発泡スチロール板で、また、鉄板大波を屋根材として使用する場合には、働き巾が６８５ｍｍなので、横巾が６８５ｍｍの発泡スチロール板で出来ている、発泡スチロール板の形状が、両面が平板形状をした発泡スチロール２８を、石綿スレート２６の表面上に敷き詰めて重ねて積層をして、石綿スレート２６の表面上の耐えうる荷重を、例えば、石綿スレート２６の表面上を、人間が自由に歩いても耐えうる限度以上の、石綿スレート２６の荷重が、人間の荷重に耐えうる構造物としたあとの、発泡スチロール２８の表面上に、スレート屋根２５を重ねて積層をして、垂木３、石綿スレート２６、発泡スチロール２８、及びスレート屋根２５の４種類のパネルを、パッドアイ７、及び先端部分がｎ字形状をしたナット付Ｌ棒１４を使用して、家屋を構成している屋根材である垂木３の裏面である下の面からスレート屋根２５を上下から重ねて積層をして取り付けたスレート屋根２５を、結果として、発泡スチロール２８を石綿スレート２６とスレート屋根２５との中間に介在をさせて、石綿スレート２６に固定をしたあとの、スレート屋根２５の表面上にナット６、パッドアイ７、及びボルト５を使用して太陽電池１をスレート屋根２５の表面上に取り付けて固定をすることが出来る効果がある。
【００４４】
（７）としては、図８２に示しているのは、石綿スレート２６が数十年を経過して、旧くなって脆くなって危険な石綿スレート２６の強度を補強して補修工事をする目的にて、上記の図７５にて説明をした、従来の石綿スレート２６である、アスベストをセメントで固めて形成をしたアスベスト形成板（以下、略して、石綿スレートとする）２６を、家屋の屋根材を構成している垂木３の裏面から、石綿スレート２６をボルト５、及びナット６を使用して垂木３に取り付けたあとの、石綿スレート２６の表面上に、例えば、厚さが１０ｃｍ前後で、鉄板小波を屋根材として使用する場合には、働き巾が６９５ｍｍなので、横巾が６９５ｍｍの発泡スチロール板で、また、鉄板大波を屋根材として使用する場合には、働き巾が６８５ｍｍなので、横巾が６８５ｍｍの発泡スチロール板で出来ている、発泡スチロール板の形状が、片面の形状が石綿スレート２６の形状をした発泡スチロール２７で、もう一方の片面の形状が平板形状をした発泡スチロール２７を、石綿スレート２６の表面上に、石綿スレート２６の表面上に敷き詰めて重ねて積層をして、石綿スレート２６の表面上の耐えうる荷重を、例えば、石綿スレート２６の表面上を、人間が自由に歩いても耐えうる限度以上の、石綿スレート２６の荷重が、人間の重量の荷重に耐えうる構造物としたあとの、発泡スチロール２７の表面上に、スレート屋根２５を重ねて積層をして、垂木３、石綿スレート２６、発泡スチロール２７、及びスレート屋根２５の４種類のパネルを、パッドアイ７、及び先端部分がｎ字形状をしたナット付Ｌ棒１４を使用して、家屋を構成している屋根材である垂木３にスレート屋根２５を上下から重ねて積層をして取り付けたスレート屋根２５を、結果として、発泡スチロール２７を石綿スレート２６とスレート屋根２５との中間に介在をさせて、石綿スレート２６に固定をしたあとの、スレート屋根２５の表面上にナット６、パッドアイ７、及びボルト５を使用して太陽電池１をスレート屋根２５の表面上に取り付けて固定をすることが出来る効果がある。
【００４５】
（８）としては、図８３に示しているのは、石綿スレート２６が数十年を経過して、旧くなって脆くなって危険な石綿スレート２６の強度を補強して補修工事をする目的にて、上記の図７５にて説明をした、従来の石綿スレート２６である、アスベストをセメントで固めて形成をしたアスベスト形成板（以下、略して、石綿スレートとする）２６を、家屋の屋根材を構成している垂木３の裏面から、石綿スレート２６をボルト５、及びナット６を使用して垂木３に取り付けたあとの、石綿スレート２６の表面上に、例えば、厚さが１０ｃｍ前後で、鉄板小波を屋根材として使用する場合には、働き巾が６９５ｍｍなので、横巾が６９５ｍｍの発泡スチロール板で、また、鉄板大波を屋根材として使用する場合には、働き巾が６８５ｍｍなので、横巾が６８５ｍｍの発泡スチロール板で出来ている、発泡スチロール板の形状が、片面の形状が石綿スレート２６の形状をした発泡スチロール２９で、もう一方の片面の形状がスレート屋根２５の、スレート屋根２５の形状をした発泡スチロール２９を、石綿スレート２６の表面上に、石綿スレート２６の表面上に敷き詰めて重ねて積層をして、石綿スレート２６の表面上の耐えうる荷重を、例えば、石綿スレート２６の表面上を、人間が自由に歩いても耐えうる限度以上の、石綿スレート２６の荷重が、人間の重量の荷重に耐えうる構造物としたあとの、発泡スチロール２９の表面上に、スレート屋根２５を重ねて積層をして、垂木３、石綿スレート２６、発泡スチロール２９、及びスレート屋根２５の４種類のパネルを、パッドアイ７、及び先端部分がｎ字形状をしたナット付Ｌ棒１４を使用して、家屋を構成している屋根材である垂木３の裏面である下の面からスレート屋根２５を上下から重ねて積層をして取り付けたスレート屋根２５を、結果として、発泡スチロール２９を石綿スレート２６とスレート屋根２５との中間に介在をさせて、石綿スレート２６に固定をしたあとの、スレート屋根２５の表面上にナット６、パッドアイ７、及びボルト５を使用して太陽電池１をスレート屋根２５の表面上に取り付けて固定をすることが出来る効果がある。
【００４６】
（９）としては、図８４に示しているのは、石綿スレート２６が数十年を経過して、旧くなって脆くなって危険な石綿スレート２６の強度を補強して補修工事をする目的にて、上記の図７５にて説明をした、従来の石綿スレート２６である、アスベストをセメントで固めて形成をしたアスベスト形成板（以下、略して、石綿スレートとする）２６を、家屋の屋根材を構成している垂木３の裏面から、石綿スレート２６をボルト５、及びナット６を使用して垂木３に取り付けたあとの、石綿スレート２６の表面上に、例えば、厚さが１０ｃｍ前後で、鉄板小波を屋根材として使用する場合には、働き巾が６９５ｍｍなので、横巾が６９５ｍｍの発泡スチロール板で、また、鉄板大波を屋根材として使用する場合には、働き巾が６８５ｍｍなので、横巾が６８５ｍｍの発泡スチロール板で出来ている、発泡スチロール板の形状が、片面の形状が平板形状をした発泡スチロール３０で、もう一方の片面の形状がスレート屋根２５の、スレート屋根２５の形状をした発泡スチロール３０を、石綿スレート２６の表面上に、石綿スレート２６の表面上に敷き詰めて重ねて積層をして、石綿スレート２６の表面上の耐えうる荷重を、例えば、石綿スレート２６の表面上を、人間が自由に歩いても耐えうる限度以上の、石綿スレート２６の荷重が、人間の重量の荷重に耐えうる構造物としたあとの、発泡スチロール３０の表面上に、スレート屋根２５を重ねて積層をして、垂木３、石綿スレート２６、発泡スチロール３０、及びスレート屋根２５の４種類のパネルを、パッドアイ７、及び先端部分がｎ字形状をしたナット付Ｌ棒１４を使用して、家屋を構成している屋根材である垂木３の裏面である下の面からスレート屋根２５を上下から重ねて積層をして取り付けたスレート屋根２５を、結果として、発泡スチロール３０を石綿スレート２６とスレート屋根２５との中間に介在をさせて、石綿スレート２６に固定をしたあとの、スレート屋根２５の表面上にナット６、パッドアイ７、及びボルト５を使用して太陽電池１をスレート屋根２５の表面上に取り付けて固定をすることが出来る効果がある。
【図面の簡単な説明】
【００４７】
【図１】図１に示しているのは、波板形状をしたトタン板（２）の表面上に、直接に太陽電池（１）を取り付けた波板形状をしたトタン板（２）を形成して、太陽電池（１）を家屋の屋根を構成している屋根材の垂木（３）に、直接に太陽電池（１）を取り付けることを目的として、再度、波板形状をしたトタン板（２）の表面上に、直接に太陽電池（１）を形成している波板形状をしたトタン板（２）を、直接に家屋の屋根材を構成している垂木（３）に太陽電池（１）を直接に取り付けて、太陽電池（１）を家屋を構成している屋根として直接に使用することを目的として、波板形状をしたトタン板（２）に垂木（３）を釘（４）を使用して、波板形状をしたトタン板の裏面に釘（４）を使用して垂木（３）を取り付けたあと、波板形状をしたトタン板（２）の表面上に、波板形状をしたトタン板（２）と全く同じ形状をした太陽電池（１）を、波板形状をしたトタン板（２）の表面上に接着剤（１０）を使用して貼り付けて接合させるか、又はその他の手段を使用して波板形状をしたトタン板（２）の表面上に太陽電池（１）を接合したあと、再度、家屋を構成している屋根材の垂木（３）に再度取り付けることを目的とした、波板形状をしたトタン板（２）に垂木（３）を取り付けている縦断面図を、図１に示している。
【図２】図２に示しているのは、波板形状をしたトタン板（２）の表面上に、直接に太陽電池（１）を取り付けた波板形状をしたトタン板（２）を形成して、太陽電池（１）を家屋の屋根を構成している屋根材の垂木（３）に、直接に太陽電池（１）を取り付けることを目的として、再度、波板形状をしたトタン板（２）の表面上に、直接に太陽電池（１）を形成している波板形状をしたトタン板（２）を、直接に家屋の屋根材を構成している垂木（３）に太陽電池（１）を直接に取り付けて、太陽電池（１）を家屋を構成している屋根として直接に使用することを目的として、波板形状をしたトタン板（２）に垂木（３）をボルト（５）、及びナット（６）を使用して、波板形状をしたトタン板の裏面にボルト（５）、及びナット（６）を使用して垂木（３）を取り付けたあと、波板形状をしたトタン板（２）の表面上に、波板形状をしたトタン板（２）と全く同じ形状をした太陽電池（１）を、波板形状をしたトタン板（２）の表面上に接着剤（１０）を使用して貼り付けて接合させるか、又はその他の手段を使用して波板形状をしたトタン板（２）の表面上に太陽電池（１）を接合したあと、再度、家屋を構成している屋根材の垂木（３）に再度取り付けることを目的とした、波板形状をしたトタン板（２）に垂木（３）を取り付けている縦断面図を、図２に示している。
【図３】図３に示しているのは、波板形状をしたトタン板（２）の表面上に、直接に太陽電池（１）を取り付けた波板形状をしたトタン板（２）を形成して、太陽電池（１）を家屋の屋根を構成している屋根材の垂木（３）に、直接に太陽電池（１）を取り付けることを目的として、再度、波板形状をしたトタン板（２）の表面上に、直接に太陽電池（１）を形成している波板形状をしたトタン板（２）を、直接に家屋の屋根材を構成している垂木（３）に太陽電池（１）を直接に取り付けて、太陽電池（１）を家屋を構成している屋根として直接に使用することを目的として、波板形状をしたトタン板（２）に垂木（３）を釘（４）を使用して、波板形状をしたトタン板の裏面に釘（４）を使用して垂木（３）を取り付けたあと、波板形状をしたトタン板（２）の表面上に、波板形状をしたトタン板（２）と全く同じ形状をした太陽電池（１）を、波板形状をしたトタン板（２）の表面上に接着剤（１０）を使用して貼り付けて接合させるか、又はその他の手段を使用して波板形状をしたトタン板（２）の表面上に太陽電池（１）を接合したあと、再度、家屋を構成している屋根材の垂木（３）に再度取り付けることを目的とした、波板形状をしたトタン板（２）に垂木（３）を取り付けている縦断面図を、図３に示している。
【図４】図４に示しているのは、波板形状をしたトタン板（２）の表面上に、直接に太陽電池（１）を取り付けた波板形状をしたトタン板（２）を形成して、太陽電池（１）を家屋の屋根を構成している屋根材の垂木（３）に、直接に太陽電池（１）を取り付けることを目的として、再度、波板形状をしたトタン板（２）の表面上に、直接に太陽電池（１）を形成している波板形状をしたトタン板（２）を、直接に家屋の屋根材を構成している垂木（３）に太陽電池（１）を直接に取り付けて、太陽電池（１）を家屋を構成している屋根として直接に使用することを目的として、波板形状をしたトタン板（２）に垂木（３）をボルト（５）、及びナット（６）を使用して、波板形状をしたトタン板の裏面にボルト（５）、及びナット（６）を使用して垂木（３）を取り付けたあと、波板形状をしたトタン板（２）の表面上に、波板形状をしたトタン板（２）と全く同じ形状をした太陽電池（１）を、波板形状をしたトタン板（２）の表面上に接着剤（１０）を使用して貼り付けて接合させるか、又はその他の手段を使用して波板形状をしたトタン板（２）の表面上に太陽電池（１）を接合したあと、再度、家屋を構成している屋根材の垂木（３）に再度取り付けることを目的とした、波板形状をしたトタン板（２）に垂木（３）を取り付けている縦断面図を、図４に示している。
【図５】図５に示しているのは、波板形状をしたトタン板（２）の表面上に、直接に太陽電池（１）を取り付けた波板形状をしたトタン板（２）を形成して、太陽電池（１）を家屋の屋根を構成している屋根材の垂木（３）に、直接に太陽電池（１）を取り付けることを目的として、再度、波板形状をしたトタン板（２）の表面上に、直接に太陽電池（１）を形成している波板形状をしたトタン板（２）を、直接に家屋の屋根材を構成している垂木（３）に太陽電池（１）を直接に取り付けて、太陽電池（１）を家屋を構成している屋根として直接に使用することを目的として、波板形状をしたトタン板（２）に垂木（３）をボルト（５）、及びナット（６）を使用して、波板形状をしたトタン板の裏面にボルト（５）、及びナット（６）を使用して垂木（３）を取り付けたあと、波板形状をしたトタン板（２）の表面上に、波板形状をしたトタン板（２）と全く同じ形状をした太陽電池（１）を、波板形状をしたトタン板（２）の表面上に接着剤（１０）を使用して貼り付けて接合させるか、又はその他の手段を使用して波板形状をしたトタン板（２）の表面上に太陽電池（１）を接合したあと、再度、家屋を構成している屋根材の垂木（３）に再度取り付けることを目的とした、波板形状をしたトタン板（２）に垂木（３）を取り付けている縦断面図を、図５に示している。
【図６】図６に示しているのは、波板形状をしたトタン板（２）の表面上に、直接に太陽電池（１）を取り付けた波板形状をしたトタン板（２）を形成して、太陽電池（１）を家屋の屋根を構成している屋根材の垂木（３）に、直接に太陽電池（１）を取り付けることを目的として、再度、波板形状をしたトタン板（２）の表面上に、直接に太陽電池（１）を形成している波板形状をしたトタン板（２）を、直接に家屋の屋根材を構成している垂木（３）に太陽電池（１）を直接に取り付けて、太陽電池（１）を家屋を構成している屋根として直接に使用することを目的として、波板形状をしたトタン板（２）の表面上に、波板形状をしたトタン板（２）と全く同じ形状をした太陽電池（１）を、波板形状をしたトタン板（２）の表面上に接着剤（１０）を使用して貼り付けて接合させるか、又はその他の手段を使用して波板形状をしたトタン板（２）の表面上に太陽電池（１）を接合したあと、再度、家屋を構成している屋根材の垂木（３）にボルト（５）、及びナット（６）を使用して、波板形状をしたトタン板（２）を裏面から取り付けることを目的として、波板形状をしたトタン板（２）の裏面にボルト（５）を取り付けている縦断面図を、図６に示している。
【図７】図７に示しているのは、波板形状をしたトタン板（２）の表面上に、直接に太陽電池（１）を取り付けた波板形状をしたトタン板（２）を形成して、太陽電池（１）を家屋の屋根を構成している屋根材の垂木（３）に、直接に太陽電池（１）を取り付けることを目的として、再度、波板形状をしたトタン板（２）の表面上に、直接に太陽電池（１）を形成している波板形状をしたトタン板（２）を、直接に家屋の屋根材を構成している垂木（３）に太陽電池（１）を直接に取り付けて、太陽電池（１）を家屋を構成している屋根として直接に使用することを目的として、波板形状をしたトタン板（２）の表面上に、波板形状をしたトタン板（２）と全く同じ形状をした太陽電池（１）を、波板形状をしたトタン板（２）の表面上に接着剤（１０）を使用して貼り付けて接合させるか、又はその他の手段を使用して波板形状をしたトタン板（２）の表面上に太陽電池（１）を接合したあと、再度、家屋を構成している屋根材の垂木（３）にボルト（５）、及びナット（６）を使用して、波板形状をしたトタン板（２）を裏面から取り付けることを目的として、波板形状をしたトタン板（２）の裏面にナット（６）を取り付けている縦断面図を、図７に示している。
【図８】図８に示しているのは、波板形状をしたトタン板（２）の表面上に、直接に太陽電池（１）を取り付けた波板形状をしたトタン板（２）を形成して、太陽電池（１）を家屋の屋根を構成している屋根材の垂木（３）に、直接に太陽電池（１）を取り付けることを目的として、再度、波板形状をしたトタン板（２）の表面上に、直接に太陽電池（１）を形成している波板形状をしたトタン板（２）を、直接に家屋の屋根材を構成している垂木（３）に太陽電池（１）を直接に取り付けて、太陽電池（１）を家屋を構成している屋根として直接に使用することを目的として、波板形状をしたトタン板（２）の表面上に、波板形状をしたトタン板（２）と全く同じ形状をした太陽電池（１）を、波板形状をしたトタン板（２）の表面上に接着剤（１０）を使用して貼り付けて接合させるか、又はその他の手段を使用して波板形状をしたトタン板（２）の表面上に太陽電池（１）を接合したあと、再度、家屋を構成している屋根材の垂木（３）にフック（７）を使用して、波板形状をしたトタン板（２）を裏面から取り付けることを目的として、波板形状をしたトタン板（２）の裏面にフック（７）を取り付けている縦断面図を、図８に示している。
【図９】図９に示しているのは、波板形状をしたトタン板（２）の表面上に、直接に太陽電池（１）を取り付けた波板形状をしたトタン板（２）を形成して、太陽電池（１）を家屋の屋根を構成している屋根材の垂木（３）に、直接に太陽電池（１）を取り付けることを目的として、再度、波板形状をしたトタン板（２）の表面上に、直接に太陽電池（１）を形成している波板形状をしたトタン板（２）を、直接に家屋の屋根材を構成している垂木（３）に太陽電池（１）を直接に取り付けて、太陽電池（１）を家屋を構成している屋根として直接に使用することを目的として、平板で出来ているトタン板（８）の表面上に、平板で出来ているトタン板（８）と全く同じ形状をした太陽電池（１）を、平板で出来ているトタン板（８）の表面上に接着剤（１０）を使用して貼り付けて接合させるか、又はその他の手段を使用して平板で出来ているトタン板（８）の表面上に太陽電池（１）を接合したあと、再度、家屋を構成している屋根材の垂木（３）にボルト（５）、及びナット（６）を使用して、平板で出来ているトタン板（８）を裏面から取り付けることを目的として、平板で出来ているトタン板（８）の裏面にボルト（５）を取り付けている縦断面図を、図９に示している。
【図１０】図１０に示しているのは、波板形状をしたトタン板（２）の表面上に、直接に太陽電池（１）を取り付けた波板形状をしたトタン板（２）を形成して、太陽電池（１）を家屋の屋根を構成している屋根材の垂木（３）に、直接に太陽電池（１）を取り付けることを目的として、再度、波板形状をしたトタン板（２）の表面上に、直接に太陽電池（１）を形成している波板形状をしたトタン板（２）を、直接に家屋の屋根材を構成している垂木（３）に太陽電池（１）を直接に取り付けて、太陽電池（１）を家屋を構成している屋根として直接に使用することを目的として、平板で出来ているトタン板（８）の表面上に、平板で出来ているトタン板（８）と全く同じ形状をした太陽電池（１）を、平板で出来ているトタン板（８）の表面上に接着剤（１０）を使用して貼り付けて接合させるか、又はその他の手段を使用して平板で出来ているトタン板（８）の表面上に太陽電池（１）を接合したあと、再度、家屋を構成している屋根材の垂木（３）にボルト（５）、及びナット（６）を使用して、平板で出来ているトタン板（８）を裏面から取り付けることを目的として、平板で出来ているトタン板（８）の裏面にナット（６）を取り付けている縦断面図を、図１０に示している。
【図１１】図１１に示しているのは、波板形状をしたトタン板（２）の表面上に、直接に太陽電池（１）を取り付けた波板形状をしたトタン板（２）を形成して、太陽電池（１）を家屋の屋根を構成している屋根材の垂木（３）に、直接に太陽電池（１）を取り付けることを目的として、再度、波板形状をしたトタン板（２）の表面上に、直接に太陽電池（１）を形成している波板形状をしたトタン板（２）を、直接に家屋の屋根材を構成している垂木（３）に太陽電池（１）を直接に取り付けて、太陽電池（１）を家屋を構成している屋根として直接に使用することを目的として、平板で出来ているトタン板（８）の表面上に、平板で出来ているトタン板（８）と全く同じ形状をした太陽電池（１）を、平板で出来ているトタン板（８）の表面上に接着剤（１０）を使用して貼り付けて接合させるか、又はその他の手段を使用して平板で出来ているトタン板（８）の表面上に太陽電池（１）を接合したあと、再度、家屋を構成している屋根材の垂木（３）にフック（７）を使用して、平板で出来ているトタン板（８）を裏面から取り付けることを目的として、平板で出来ているトタン板（８）の裏面にフック（７）を取り付けている縦断面図を、図１１に示している。
【図１２】図１２に示しているのは、波板形状をしたトタン板（２）の表面上に太陽電池（１）を形成する目的のために、波板形状をしたトタン板（２）の裏面に垂木（３）を釘（４）を使用して、波板形状をしたトタン板（２）の裏面に垂木（３）を釘（４）を使用して、波板形状をしたトタン板（２）の裏面に垂木（３）を固定をしたあとの、波板形状をしたトタン板（２）の表面上に片面が波板形状をしたトタン板（２）と全く同じ形状をした波板形状で、もう一方の片面が平板形状をした発泡スチロールで出来ている板（９）（以下、略して、発泡スチロール製板とする）と、波板形状をしたトタン板（２）との中間に接着層（１０）を形成して、波板形状をしたトタン板（２）の表面上に発泡スチロール製板（９）の表面上に接着層（１０）を介在させて、太陽電池（１）を接合して貼り合わせて太陽電池（１）を形成している縦断面図を、図１２に示している。
【図１３】図１３に示しているのは、波板形状をしたトタン板（２）の表面上に太陽電池（１）を形成する目的のために、波板形状をしたトタン板（２）の裏面に垂木（３）を固定する目的のために、ボルト（５）を溶接するか、又は金属接着剤を使用してボルト（５）を固定している、波板形状をしたトタン板（２）の裏面に垂木（３）をナット（６）を使用して、波板形状をしたトタン板（２）の裏面に垂木（３）を固定をしたあとの、波板形状をしたトタン板（２）の表面上に片面が波板形状をしたトタン板（２）と全く同じ形状をした波板形状で、もう一方の片面が平板形状をした発泡スチロールで出来ている板（９）（以下、略して、発泡スチロール製板とする）と、波板形状をしたトタン板（２）との中間に接着層（１０）を形成して、波板形状をしたトタン板（２）の表面上に発泡スチロール製板（９）の表面上に接着層（１０）を介在させて、太陽電池（１）を接合して貼り合わせて太陽電池（１）を形成している縦断面図を、図１３に示している。
【図１４】図１４に示しているのは、波板形状をしたトタン板（２）の表面上に太陽電池（１）を形成する目的のために、波板形状をしたトタン板（２）に凹凸を形成している凸形状の裏面に、凸形状の方向にそって平行方向に垂木（３）を釘（４）を使用して、波板形状をしたトタン板（２）の裏面に垂木（３）を釘付けをして垂木（３）を固定をしたあとの、波板形状をしたトタン板（２）の表面上に片面が波板形状をしたトタン板（２）と全く同じ形状をした波板形状で、もう一方の片面が平板形状をした発泡スチロールで出来ている板（９）（以下、略して、発泡スチロール製板とする）と、波板形状をしたトタン板（２）との中間に接着層（１０）を形成して、波板形状をしたトタン板（２）の表面上に発泡スチロール製板（９）の表面上に接着層（１０）を介在させて、太陽電池（１）を接合して貼り合わせて太陽電池（１）を形成している縦断面図を、図１４に示している。
【図１５】図１５に示しているのは、波板形状をしたトタン板（２）の表面上に太陽電池（１）を形成する目的のために、波板形状をしたトタン板（２）の裏面に垂木（３）を固定する目的のために、ボルト（５）を溶接するか、又は金属接着剤を使用してボルト（５）を波板形状をしたトタン板（２）の裏面に、波板の凹凸を形成している凹形状の裏面に、凹形状の方向にそって平行方向に垂木（３）をボルト（５）、及びナット（６）を使用して、波板形状をしたトタン板（２）の裏面に垂木（３）を取り付けて固定をしたあとの、波板形状をしたトタン板（２）の表面上に片面が波板形状をしたトタン板（２）と全く同じ形状をした波板形状で、もう一方の片面が平板形状をした発泡スチロールで出来ている板（９）（以下、略して、発泡スチロール製板とする）と、波板形状をしたトタン板（２）との中間に接着層（１０）を形成して、波板形状をしたトタン板（２）の表面上に発泡スチロール製板（９）の表面上に接着層（１０）を介在させて、太陽電池（１）を接合して貼り合わせて太陽電池（１）を形成している縦断面図を、図１５に示している。
【図１６】図１６に示しているのは、波板形状をしたトタン板（２）の表面上に太陽電池（１）を形成する目的のために、波板形状をしたトタン板（２）の裏面に垂木（３）を固定する目的のために、波板形状をしたトタン板（２）の裏面にナット（６）を溶接するか、又は金属接着剤を使用してナット（６）を固定している、波板形状をしたトタン板（２）の裏面に、垂木（３）をボルト（５）を使用して、波板形状をしたトタン板（２）の裏面に垂木（３）を固定をしたあとの、波板形状をしたトタン板（２）の表面上に片面が波板形状をしたトタン板（２）と全く同じ形状をした波板形状で、もう一方の片面が平板形状をした発泡スチロールで出来ている板（９）（以下、略して、発泡スチロール製板とする）と、波板形状をしたトタン板（２）との中間に接着層（１０）を形成して、波板形状をしたトタン板（２）の表面上に発泡スチロール製板（９）の表面上に接着層（１０）を介在させて、太陽電池（１）を接合して貼り合わせて太陽電池（１）を形成している縦断面図を、図１６に示している。
【図１７】図１７に示しているのは、波板形状をしたトタン板（２）の表面上に太陽電池（１）を形成する目的のために、波板形状をしたトタン板（２）の裏面に垂木（３）を固定する目的のために、ボルト（５）を溶接するか、又は金属接着剤を使用してボルト（５）を波板形状をしたトタン板（２）の裏面に固定をしたあとの、波板形状をしたトタン板（２）の表面上に片面が波板形状をしたトタン板（２）と全く同じ形状をした波板形状で、もう一方の片面が平板形状をした発泡スチロールで出来ている板（９）（以下、略して、発泡スチロール製板とする）と、波板形状をしたトタン板（２）との中間に接着層（１０）を形成して、波板形状をしたトタン板（２）の表面上に発泡スチロール製板（９）の表面上に接着層（１０）を介在させて、太陽電池（１）を接合して貼り合わせて太陽電池（１）を形成している縦断面図を、図１７に示している。
【図１８】図１８に示しているのは、波板形状をしたトタン板（２）の表面上に太陽電池（１）を形成する目的のために、波板形状をしたトタン板（２）の裏面に垂木（３）を固定する目的のために、波板形状をしたトタン板（２）の裏面にナット（６）を溶接するか、又は金属接着剤を使用してナット（６）を波板形状をしたトタン板（２）の裏面に固定をしたあとの、波板形状をしたトタン板（２）の表面上に太陽電池（１）を形成している縦断面図を、図１８に示している。
【図１９】図１９に示しているのは、波板形状をしたトタン板（２）の表面上に太陽電池（１）を形成する目的のために、波板形状をしたトタン板（２）の裏面に垂木（３）を固定する目的のために、波板形状をしたトタン板（２）の裏面にフック（７）を溶接するか、又は金属接着剤を使用してフック（７）を波板形状をしたトタン板（２）の裏面に固定をしたあとの、波板形状をしたトタン板（２）の表面上に片面が波板形状をしたトタン板（２）と全く同じ形状をした波板形状で、もう一方の片面が平板形状をした発泡スチロールで出来ている板（９）（以下、略して、発泡スチロール製板とする）と、波板形状をしたトタン板（２）との中間に接着層（１０）を形成して、波板形状をしたトタン板（２）の表面上に発泡スチロール製板（９）の表面上に接着層（１０）を介在させて、太陽電池（１）を接合して貼り合わせて太陽電池（１）を形成している縦断面図を、図１９に示している。
【図２０】図２０に示しているのは、平板で出来ているトタン板（８）の表面上に太陽電池（１）を形成する目的のために、平板で出来ているトタン板（８）の裏面に垂木（３）などを取り付ける目的のために、ボルト（５）を溶接するか、又は金属接着剤を使用してボルト（５）を固定したあとの、平板で出来ているトタン板（８）の表面上に片面が波板形状をしたトタン板（２）と全く同じ形状をした波板形状で、もう一方の片面が平板形状をした発泡スチロールで出来ている板（９）（以下、略して、発泡スチロール製板とする）と、波板形状をしたトタン板（２）との中間に接着層（１０）を形成して、波板形状をしたトタン板（２）の表面上に発泡スチロール製板（９）の表面上に接着層（１０）を介在させて、太陽電池（１）を接合して貼り合わせて太陽電池（１）を形成している縦断面図を、図２０に示している。
【図２１】図２１に示しているのは、平板で出来ているトタン板（８）の表面上に太陽電池（１）を形成する目的のために、平板で出来ているトタン板（８）の裏面に垂木（３）などを取り付ける目的のために、ナット（６）を溶接するか、又は金属接着剤を使用してナット（６）を固定したあとの、平板で出来ているトタン板（８）の表面上に両側面が平板形状をした発泡スチロールで出来ている板（１１）（以下、略して、発泡スチロール製板とする）と、平板で出来ているトタン板（８）と太陽電池（１）との中間に接着層（１０）を介在させて、太陽電池（１）を平板で出来ているトタン板（８）に接合をして貼り付けて、平板で出来ているトタン板（８）の表面上に太陽電池（１）を形成している縦断面図を、図２１に示している。
【図２２】図２２に示しているのは、平板で出来ているトタン板（８）の表面上に太陽電池（１）を形成する目的のために、平板で出来ているトタン板（８）の裏面に垂木（３）などを取り付ける目的のために、フック（７）を溶接するか、又は金属接着剤を使用してフック（７）を固定したあとの、平板で出来ているトタン板（８）の表面上に両側面が平板形状をした発泡スチロールで出来ている板（１１）（以下、略して、発泡スチロール製板とする）と、平板で出来ているトタン板（８）と太陽電池（１）との中間に接着層（１０）を介在させて、太陽電池（１）を平板で出来ているトタン板（８）に接合をして貼り付けて、平板で出来ているトタン板（８）の表面上に太陽電池（１）を形成している縦断面図を、図２２に示している。
【図２３】図２３に示しているのは、波板形状をしたトタン板（２）の表面上に太陽電池（１）を直接に取り付ける目的のために、波板形状をしたトタン板（２）、及び太陽電池（１）を形成しているモジュールに貫通穴を形成して、波板形状をしたトタン板（２）の表面上に太陽電池（１）を雨水の進入、及び漏水を防止するためのパッキング（１２）を介在させて、波板形状をしたトタン板（２）と太陽電池（１）とをボルト（５）、及びナット（６）を使用して接合をして、さらに、家屋を構成している屋根材である垂木（３）にボルト（５）、及びナット（６）を使用して、波板形状をしたトタン板（２）と太陽電池（１）とを接合して合体をさせた波板形状をしたトタン板（２）、及び太陽電池（１）とを家屋を構成している垂木（３）に家屋を構成している屋根の裏面からボルト（５）、及びナット（６）を使用して取り付けている縦断面図を、図２３に示している。
【図２４】図２４に示しているのは、波板形状をしたトタン板（２）の表面上に太陽電池（１）を取り付ける目的のために、波板形状をしたトタン板（２）と太陽電池（１）との中間に、発泡スチロール製板（９）で出来ている片面が波板形状で、もう一方の片面が平板形状で出来ている発泡スチロール製板（９）を、波板形状をしたトタン板（２）と太陽電池（１）との中間に介在をさせたモジュールに貫通穴を形成して、波板形状をしたトタン板（２）の表面上に太陽電池（１）を雨水の進入、及び漏水を防止するためのパッキング（１２）を介在させて、波板形状をしたトタン板（２）と太陽電池（１）とをボルト（５）、及びナット（６）を使用して接合をして、さらに、家屋を構成している屋根材である垂木（３）にボルト（５）、及びナット（６）を使用して、波板形状をしたトタン板（２）と太陽電池（１）とを接合して合体をさせた波板形状をしたトタン板（２）、及び太陽電池（１）とを家屋を構成している垂木（３）に家屋を構成している屋根の裏面からボルト（５）、及びナット（６）を使用して取り付けている縦断面図を、図２４に示している。
【図２５】図２５に示しているのは、波板形状をしたトタン板（２）の表面上に太陽電池（１）を取り付ける目的のために、波板形状をしたトタン板（２）と太陽電池（１）との中間に、発泡スチロール製板（１１）で出来ている両側面が平板形状で出来ている発泡スチロール製板（１１）を、波板形状をしたトタン板（２）と太陽電池（１）との中間に介在をさせたモジュールに貫通穴を形成して、波板形状をしたトタン板（２）の表面上に太陽電池（１）を雨水の進入、及び漏水を防止するためのパッキング（１２）を介在させて、波板形状をしたトタン板（２）と太陽電池（１）とをボルト（５）、及びナット（６）を使用して接合をして、さらに、家屋を構成している屋根材である垂木（３）にボルト（５）、及びナット（６）を使用して、波板形状をしたトタン板（２）と太陽電池（１）とを接合して合体をさせた波板形状をしたトタン板（２）、及び太陽電池（１）とを家屋を構成している垂木（３）に家屋を構成している屋根の裏面からボルト（５）、及びナット（６）を使用して取り付けている縦断面図を、図２５に示している。
【図２６】図２６に示しているのは、波板形状をしたトタン板（２）の表面上に太陽電池（１）を取り付ける目的のために、波板形状をしたトタン板（２）と太陽電池（１）との中間に、発泡スチロール製板（１１）で出来ている両側面が平板形状で出来ている発泡スチロール製板（１１）を、波板形状をしたトタン板（２）と太陽電池（１）との中間に介在をさせたモジュールを波板形状をしたトタン板（２）の表面上に溶接、又は金属接着剤を使用して接合をしているボルト（５）、及びナット（６）を使用して、発泡スチロール製板（１１）で出来ている両側面が平板形状で出来ている発泡スチロール製板（１１）を中間に介在をさせて、この発泡スチロール製板（１１）の表面上に太陽電池（１）を接着層（１０）を形成して接合をさせたあと、波板形状をしたトタン板（２）と太陽電池（１）とを接合して合体をさせた波板形状をしたトタン板（２）、及び太陽電池（１）とを家屋を構成している垂木（３）に家屋を構成している屋根の裏面からフック（７）を使用して取り付けている縦断面図を、図２６に示している。
【図２７】図２７に示しているのは、波板形状をしたトタン板（２）の表面上に太陽電池（１）を取り付ける目的のために、波板形状をしたトタン板（２）と太陽電池（１）との中間に、発泡スチロール製板（１１）で出来ている両側面が平板形状で出来ている発泡スチロール製板（１１）を、波板形状をしたトタン板（２）と太陽電池（１）との中間に介在をさせたモジュールを波板形状をしたトタン板（２）の表面上に溶接部分（１３）、又は金属接着剤部分（１３）を使用して接合をしているボルト（５）、及びナット（６）を使用して、発泡スチロール製板（１１）で出来ている両側面が平板形状で出来ている発泡スチロール製板（１１）を中間に介在をさせて、この発泡スチロール製板（１１）の表面上に太陽電池（１）を接着層（１０）を形成して接合をさせたあと、さらに、ボルト（５）、及びナット（６）を使用して波板形状をしたトタン板（２）に太陽電池（１）を取り付けたあと、波板形状をしたトタン板（２）の裏面にパッドアイ（７）を溶接部分（１３）、又は金属接着剤部分（１３）を形成して、波板形状をしたトタン板（２）の裏面にパッドアイ（７）を取り付けている縦断面図を、図２７に示している。
【図２８】図２８に示しているのは、波板形状をしたトタン板（２）の表面上に太陽電池（１）を取り付ける目的のために、波板形状をしたトタン板（２）と太陽電池（１）との中間に、発泡スチロール製板（１１）で出来ている両側面が平板形状で出来ている発泡スチロール製板（１１）を、波板形状をしたトタン板（２）と太陽電池（１）との中間に介在をさせたモジュールを波板形状をしたトタン板（２）の表面上に溶接部分（１３）、又は金属接着剤部分（１３）を使用して接合をしているボルト（５）、及びナット（６）を使用して、発泡スチロール製板（１１）で出来ている両側面が平板形状で出来ている発泡スチロール製板（１１）を中間に介在をさせて、この発泡スチロール製板（１１）の表面上に太陽電池（１）を接着層（１０）を形成して接合をさせたあと、さらに、ボルト（５）、及びナット（６）を使用して波板形状をしたトタン板（２）に太陽電池（１）を取り付けたあと、波板形状をしたトタン板（２）の裏面にパッドアイ（７）を溶接部分（１３）、又は金属接着剤部分（１３）を形成して、波板形状をしたトタン板（２）の裏面にパッドアイ（７）を取り付けたあと、このパッドアイ（７）に先端部分がｎ字形状をしたナット（６）付きＬ棒（１４）を使用して、家屋を構成している垂木（３）に波板形状をしたトタン板（２）と、発泡スチロール製板（１１）とを介在させて接合させた太陽電池（１）を形成したモジュールを、家屋を構成している垂木（３）に波板形状をしたトタン板（２）の裏面から家屋を構成している垂木（３）に、先端部分がｎ字形状をしたナット（６）付きＬ棒（１４）を使用して取り付けている縦断面図を、図２８に示している。
【図２９】図２９に示しているのは、波板形状をしたトタン板（２）の裏面にフック（７）、又はパッドアイ（７）、又はロングアイ（７）、又はオープンパッドアイ（７）、又はアイストラップ（７）、又はＵＫターンバックル（７）、又はナット付Ｌ棒、（以下、略して、パッドアイとする）に、パッドアイ（７）を溶接部分（１３）、又は金属接着剤部分（１３）を形成して、波板形状をしたトタン板（２）の裏面にパッドアイ（７）を取り付けている縦断面図を、図２９に示している。
【図３０】図３０に示しているのは、波板形状をしたトタン板（２）の裏面にフック（７）、又はパッドアイ（７）、又はロングアイ（７）、又はオープンパッドアイ（７）、又はアイストラップ（７）、又はＵＫターンバックル（７）、又はナット付Ｌ棒、（以下、略して、パッドアイとする）に、パッドアイ（７）を溶接部分（１３）、又は金属接着剤部分（１３）を形成して、波板形状をしたトタン板（２）の裏面に取り付けているパッドアイ（７）に、先端部分がｎ字形状をしたナット（６）付きＬ棒（１４）を使用して、波板形状をしたトタン板（２）を家屋を構成している屋根材の垂木（３）に、波板形状をしたトタン板（２）の裏面から垂木（３）に、波板形状をしたトタン板（２）を先端部分がｎ字形状をしたナット付きＬ棒と、波板形状をしたトタン板（２）に取り付けているパッドアイ（７）とを使用して、波板形状をしたトタン板（２）の裏面から垂木（３）に取り付けている縦断面図を、図３０に示している。
【図３１】図３１に示しているのは、波板形状をしたトタン板（２）の裏面にフック（７）、又はパッドアイ（７）、又はロングアイ（７）、又はオープンパッドアイ（７）、又はアイストラップ（７）、又はＵＫターンバックル（７）、又はナット付Ｌ棒、（以下、略して、パッドアイとする）を、鋲（１５）を使用してパッドアイ（７）を、波板形状をしたトタン板（２）に取り付けている縦断面図を、図３１に示している。
【図３２】図３２に示しているのは、波板形状をしたトタン板（２）の裏面にフック（７）、又はパッドアイ（７）、又はロングアイ（７）、又はオープンパッドアイ（７）、又はアイストラップ（７）、又はＵＫターンバックル（７）、又はナット付Ｌ棒、（以下、略して、パッドアイとする）を、鋲（１５）を使用してパッドアイ（７）を、波板形状をしたトタン板（２）に取り付けたあと、波板形状をしたトタン板（２）の裏面に取り付けているパッドアイ（７）に、先端部分がｎ字形状をしたナット付きＬ棒を使用して、波板形状をしたトタン板（２）を家屋を構成している屋根材の垂木（３）に、波板形状をしたトタン板（２）の裏面から垂木（３）に、波板形状をしたトタン板（２）を先端部分がｎ字形状をしたナット付きＬ棒と、波板形状をしたトタン板（２）に取り付けているパッドアイ（７）とを使用して、波板形状をしたトタン板（２）の裏面から垂木（３）に取り付けている縦断面図を、図３２に示している。
【図３３】図３３に示しているのは、波板形状をしたトタン板（２）の表面上に太陽電池（１）を取り付ける目的のために、波板形状をしたトタン板（２）と太陽電池（１）との中間に、発泡スチロール製板（１１）で出来ている両側面が平板形状で出来ている発泡スチロール製板（１１）を、波板形状をしたトタン板（２）と太陽電池（１）との中間に介在をさせたモジュールを波板形状をしたトタン板（２）の表面上に溶接部分（１３）、又は金属接着剤部分（１３）を使用して接合をしているボルト（５）、及びナット（６）を使用して、発泡スチロール製板（１１）で出来ている両側面が平板形状で出来ている発泡スチロール製板（１１）を中間に介在をさせて、この発泡スチロール製板（１１）の表面上に太陽電池（１）を接着層（１０）を形成して接合をさせたあと、さらに、ボルト（５）、及びナット（６）を使用して波板形状をしたトタン板（２）に太陽電池（１）を取り付けたあと、波板形状をしたトタン板（２）の裏面にフック（７）、又はパッドアイ（７）、又はロングアイ（７）、又はオープンパッドアイ（７）、又はアイストラップ（７）、又はＵＫターンバックル（７）、又はナット付Ｌ棒、（以下、略して、パッドアイとする）を、鋲（１５）を使用してパッドアイ（７）を、波板形状をしたトタン板（２）に取り付けたあと、波板形状をしたトタン板（２）の裏面に取り付けているパッドアイ（７）に、先端部分がｎ字形状をしたナット付きＬ棒を使用して、波板形状をしたトタン板（２）を家屋を構成している屋根材の垂木（３）に、波板形状をしたトタン板（２）の裏面から垂木（３）に、波板形状をしたトタン板（２）を先端部分がｎ字形状をしたナット付きＬ棒と、波板形状をしたトタン板（２）に取り付けているパッドアイ（７）とを使用して、波板形状をしたトタン板（２）の裏面から垂木（３）に取り付けている縦断面図を、図３３に示している。
【図３４】図３４に示しているのは、波板形状をしたトタン板（２）、例えば、日新製鋼（株）が製造販売をしている商品名がＺＡＭ鋼板を使用した波板形状をしたトタン板（２）の表面上に、約１ｍｍ球形太陽電池面（１６）、強化ガラス（１８）と反射鏡（１７）からなる集光形太陽電池（１）を設置して、太陽電池の温度過熱を抑制するために、太陽電池下部（１９）を波板形状トタン板（２）の山部に密着して、トタン板（２）からも放熱することを特徴とした集光形太陽電池（１）、及びトタン板（２）の縦断面図を、図３４に示している。
【図３５】図３５に示しているのは、波板形状をしたトタン板（２）、例えば、日新製鋼（株）が製造販売をしている商品名がＺＡＭ鋼板を使用した波板形状をしたトタン板（２）を反射鏡（１７）として、約１ｃｍ円筒形太陽電池面（１６）ｐｎ接合と強化ガラス（１８）と反射鏡（１７）負電極からなる集光形太陽電池（１）を一体的に形成して、太陽電池の温度過熱を抑制するために、トタン板（２）からも放熱することを特徴として、太陽電池下部（１９）を負電極とした太陽電池（１）と波板形状をしたトタン板を一体化した縦断面図を、図３５に示している。
【図３６】図３６に示しているのは、波板形状をしたトタン板（２）、例えば、日新製鋼（株）が製造販売をしている商品名がＺＡＭ鋼板を使用した波板形状をしたトタン板（２）を反射鏡（１７）として、波板形状をしたトタン板（２）の凹凸形状をしている凸形状をした頂点の部分に、約１ｃｍの銅のパイプで出来ている、約１ｃｍ円筒形太陽電池面（１６）ｐｎ接合（以下、略して、太陽電池（１）、又は集光形太陽電池（１）とする）を、波板形状をしたトタン板（２）の凸形状部分の頂点に取り付けた太陽電池（１）と、反射鏡（１７）と、負電極からなる集光形太陽電池（１）を一体的に形成して、太陽電池の温度過熱を抑制するために、トタン板（２）からも放熱することを特徴として、太陽電池下部（１９）を負電極とした太陽電池（１）と波板形状をしたトタン板を一体化した縦断面図を、図３６に示している。
【図３７】図３７に示しているのは、波板形状をしたトタン板（２）の表面上に太陽電池（１）を取り付ける目的にて、波板形状をしたトタン板（２）の表面上にナット（６）をアーク溶接部分（１３）、又は金属接着剤部分（１３）を形成して、波板形状をしたトタン板（２）の表面上にナット（６）を固定した、波板形状をしたトタン板（２）の縦断面図を、図３７に示している。
【図３８】図３８に示しているのは、波板形状をしたトタン板（２）の表面上に太陽電池（１）を取り付ける目的にて、波板形状をしたトタン板（２）の表面上にナット（６）をアーク溶接部分（１３）、又は金属接着剤部分（１３）を形成して、波板形状をしたトタン板（２）の表面上にナット（６）を固定したあと、さらに、波板形状をしたトタン板（２）の裏面上にアーク溶接部分（１３）、又は金属接着剤部分（１３）を形成して、パッドアイ（７）、又はロングアイ（７）、又はオープンパッドアイ（７）、又はアイストラップ（７）（以下、略して、パッドアイとする）を使用して、波板形状をしたトタン板（２）の裏面から家屋を構成している垂木（３）に、波板形状をしたトタン板（２）の表面上に太陽電池（１）を形成している、波板形状をしたトタン板（２）の裏面から家屋を構成している垂木（３）に波板形状をしたトタン板（２）を取り付けている縦断面図を、図３８に示している。
【図３９】図３９に示しているのは、波板形状をしたトタン板（２）の表面上に太陽電池（１）を取り付ける目的にて、波板形状をしたトタン板（２）の表面上にナット（６）をアーク溶接部分（１３）、又は金属接着剤部分（１３）を形成して、波板形状をしたトタン板（２）の表面上にナット（６）を固定したあと、波板形状をしたトタン板（２）と太陽電池（１）との中間に、発泡スチロール製板とアルミニウムで出来ている板とで出来ている板の合板（２０）を接着層（１０）を介在させて形成をして積層をさせたあと、さらに、波板形状をしたトタン板（２）の裏面上にアーク溶接部分（１３）、又は金属接着剤部分（１３）を形成してパッドアイ（７）、又はロングアイ（７）、又はオープンパッドアイ（７）、又はアイストラップ（７）（以下、略して、パッドアイとする）を、波板形状をしたトタン板（２）の裏面上に形成をしている縦断面図を、図３９に示している。
【図４０】図４０に示しているのは、波板形状をしたトタン板（２）の表面上に太陽電池（１）を取り付ける目的にて、波板形状をしたトタン板（２）の表面上にナット（６）をアーク溶接部分（１３）、又は金属接着剤部分（１３）を形成して、波板形状をしたトタン板（２）の表面上にナット（６）を固定したあと、波板形状をしたトタン板（２）と太陽電池（１）との中間に、発泡スチロール製板とアルミニウムで出来ている板とで出来ている板の合板（２０）を接着層（１０）を介在させて形成をして積層をさせたあと、さらに、波板形状をしたトタン板（２）の裏面上にアーク溶接部分（１３）、又は金属接着剤部分（１３）を形成してパッドアイ（７）、又はロングアイ（７）、又はオープンパッドアイ（７）、又はアイストラップ（７）（以下、略して、パッドアイとする）を使用して、波板形状をしたトタン板（２）の裏面上に家屋を構成している垂木（３）を取り付けている、波板形状をしたトタン板（２）の縦断面図を、図４０に示している。
【図４１】図４１に示しているのは、波板形状をしたトタン板（２）の表面上に太陽電池（１）を取り付ける目的にて、波板形状をしたトタン板（２）の表面上にナット（６）をアーク溶接部分（１３）、又は金属接着剤部分（１３）を形成して、波板形状をしたトタン板（２）の表面上にナット（６）を固定したあと、波板形状をしたトタン板（２）と太陽電池（１）との中間に、発泡スチロール製板とアルミニウムで出来ている板とで出来ている板の合板（２０）を接着層（１０）を介在させて形成をして積層をさせたあと、さらに、波板形状をしたトタン板（２）の裏面上にアーク溶接部分（１３）、又は金属接着剤部分（１３）を形成してパッドアイ（７）、又はロングアイ（７）、又はオープンパッドアイ（７）、又はアイストラップ（７）（以下、略して、パッドアイとする）を使用して、波板形状をしたトタン板（２）の裏面上に家屋を構成している垂木（３）を取り付けるのに、家屋の屋根を構成している瓦（２１）に穴（２２）を形成して、波板形状をしたトタン板（２）の裏面上に取り付けているパッドアイ（７）と先端部分がｎ字形状をしたナット付きＬ棒（１４）を瓦（２１）に形成をしている穴（２２）の内部を貫通させて、先端部分がｎ字形状をしたナット付きＬ棒（１４）を使用して、家屋を構成している垂木（３）に、波板形状をしたトタン板（２）の表面上に太陽電池（１）と、さらに、波板形状をしたトタン板（２）の裏面上に防音効果、又は断熱効果、又は瓦（２１）との密着性を高める目的にて、両側面が平板形状をした発泡スチロール製板（１１）をサンドイッチ形状に中間に介在をさせて、波板形状をしたトタン板（２）の表面上に太陽電池（１）を形成している、波板形状をしたトタン板（２）を家屋を構成している垂木（３）に強固に取り付けて瓦（２１）で出来ている屋根の表面上に、波板形状をしたトタン板（２）の表面上に太陽電池（１）を形成している波板形状をしたトタン板（２）の縦断面図を、図４１に示している。
【図４２】図４２に示しているのは、波板形状をしたトタン板（２）の表面上に太陽電池（１）を取り付ける目的にて、波板形状をしたトタン板（２）の表面上にナット（６）をアーク溶接部分（１３）、又は金属接着剤部分（１３）を形成して、波板形状をしたトタン板（２）の表面上にナット（６）を固定したあと、波板形状をしたトタン板（２）と太陽電池（１）との中間に、発泡スチロール製板とアルミニウムで出来ている板とで出来ている板の合板（２０）を接着層（１０）を介在させて形成をして積層をさせたあと、さらに、波板形状をしたトタン板（２）の裏面上にアーク溶接部分（１３）、又は金属接着剤部分（１３）を形成してパッドアイ（７）、又はロングアイ（７）、又はオープンパッドアイ（７）、又はアイストラップ（７）（以下、略して、パッドアイとする）を使用して、波板形状をしたトタン板（２）の裏面上に家屋を構成している垂木（３）を取り付けるのに、家屋の屋根を構成している瓦（２１）に穴（２２）を形成して、波板形状をしたトタン板（２）の裏面上に取り付けているパッドアイ（７）と先端部分がｎ字形状をしたナット付きＬ棒（１４）を瓦（２１）に形成をしている穴（２２）の内部を貫通させて、先端部分がｎ字形状をしたナット付きＬ棒（１４）を使用して、家屋を構成している垂木（３）に、波板形状をしたトタン板（２）の表面上に太陽電池（１）と、さらに、波板形状をしたトタン板（２）の裏面上に防音効果、又は断熱効果、又は瓦（２１）との密着性を高める目的にて、片面が波板形状で、もう一方の片面が平板形状をした発泡スチロール製板（９）をサンドイッチ形状に中間に介在をさせて、波板形状をしたトタン板（２）の表面上に太陽電池（１）を形成している、波板形状をしたトタン板（２）を家屋を構成している垂木（３）に強固に取り付けて瓦（２１）で出来ている屋根の表面上に、波板形状をしたトタン板（２）の表面上に太陽電池（１）を形成している波板形状をしたトタン板（２）の縦断面図を、図４２に示している。
【図４３】図４３に示しているのは、平板で出来ているトタン板（８）の表面上に太陽電池（１）を取り付ける目的にて、平板で出来ているトタン板（８）の表面上にナット（６）をアーク溶接部分（１３）、又は金属接着剤部分（１３）を形成して、波板形状をしたトタン板（２）の表面上にナット（６）を固定したあと、平板で出来ているトタン板（８）と太陽電池（１）との中間に、発泡スチロール製板とアルミニウムで出来ている板とで出来ている板の合板（２０）を接着層（１０）を介在させて形成をして積層をさせたあと、さらに、平板で出来ているトタン板（８）の裏面上にアーク溶接部分（１３）、又は金属接着剤部分（１３）を形成してパッドアイ（７）、又はロングアイ（７）、又はオープンパッドアイ（７）、又はアイストラップ（７）（以下、略して、パッドアイとする）を使用して、平板で出来ているトタン板（８）の裏面上に家屋を構成している垂木（３）を取り付けるのに、家屋の屋根を構成している瓦（２１）に穴（２２）を形成して、平板で出来ているトタン板（８）の裏面上に取り付けているパッドアイ（７）と先端部分がｎ字形状をしたナット付きＬ棒（１４）を瓦（２１）に形成をしている穴（２２）の内部を貫通させて、先端部分がｎ字形状をしたナット付きＬ棒（１４）を使用して、家屋を構成している垂木（３）に、平板で出来ているトタン板（８）の表面上に太陽電池（１）と、さらに、平板で出来ているトタン板（８）の裏面上に防音効果、又は断熱効果、又は瓦（２１）との密着性を高める目的にて、両側面が平板形状をした発泡スチロール製板（１１）をサンドイッチ形状に中間に介在をさせて、平板形状をしたトタン板（８）の表面上に太陽電池（１）を形成している、平板で出来ているトタン板（８）を家屋を構成している垂木（３）に強固に取り付けて瓦（２１）で出来ている屋根の表面上に、平板で出来ているトタン板（８）の表面上に太陽電池（１）を形成している平板で出来ているトタン板（８）の表面上に太陽電池（１）を形成している平板で出来ているトタン板（８）の縦断面図を、図４３に示している。
【図４４】図４４に示しているのは、波板形状をしたトタン板（２）の表面上に太陽電池（１）を取り付ける目的にて、波板形状をしたトタン板（２）と太陽電池（１）との中間に、発泡スチロール製板とアルミニウムで出来ている板とで出来ている板の合板（２０）（以下、略して、ミラパネエース２０とする）と太陽電池（１）とを接着層（１０）を介在させて接合をさせたあと、さらに、ミラパネエース（２０）と波板形状をしたトタン板（２）とミラパネエース（２０）との中間に、片面が波板形状で、もう一方の片面が平板形状をした発泡スチロール製板（９）を接着層（１０）を介在させて波板形状をしたトタン板（２）に接合させて積層をさせたあと、さらに、波板形状をしたトタン板（２）の裏面上にアーク溶接部分（１３）、又は金属接着剤部分（１３）を形成してナット（７）、又はパッドアイ（７）、又はロングアイ（７）、又はオープンパッドアイ（７）、又はアイストラップ（７）（以下、略して、ナット、又はパッドアイとする）を使用して、波板形状をしたトタン板（２）の裏面上に家屋を構成している垂木（３）を取り付けるのに、家屋の屋根を構成している瓦（２１）に穴（２２）を形成して、波板形状をしたトタン板（２）の裏面上に取り付けているパッドアイ（７）と先端部分がｎ字形状をしたナット付きＬ棒（１４）を瓦（２１）に形成をしている穴（２２）の内部を貫通させて、先端部分がｎ字形状をしたナット付きＬ棒（１４）を使用して、家屋を構成している垂木（３）に、波板形状をしたトタン板（２）の表面上に太陽電池（１）と、さらに、波板形状をしたトタン板（２）の裏面上に防音効果、又は断熱効果、又は瓦（２１）との密着性を高める目的にて、片面が波板形状で、もう一方の片面が平板形状をした発泡スチロール製板（９）をサンドイッチ形状に中間に介在をさせて、波板形状をしたトタン板（２）の表面上に太陽電池（１）を形成している、波板形状をしたトタン板（２）を家屋を構成している垂木（３）に強固に取り付けて瓦（２１）で出来ている屋根の表面上に、波板形状をしたトタン板（２）の表面上に太陽電池（１）を形成している波板形状をしたトタン板（２）の縦断面図を、図４４に示している。
【図４５】図４５に示しているのは、波板形状をしたトタン板（２）の表面上に太陽電池（１）を取り付ける目的にて、波板形状をしたトタン板（２）と太陽電池（１）との中間に、片面が波板形状で、もう一方の片面が平板形状をした発泡スチロール製板（９）を接着層（１０）を介在させて波板形状をしたトタン板（２）に接合させて積層をさせたあと、さらに、波板形状をしたトタン板（２）の裏面上にアーク溶接部分（１３）、又は金属接着剤部分（１３）を形成してナット（７）、又はパッドアイ（７）、又はロングアイ（７）、又はオープンパッドアイ（７）、又はアイストラップ（７）（以下、略して、ナット、又はパッドアイとする）を使用して、波板形状をしたトタン板（２）の裏面上に家屋を構成している垂木（３）を取り付けるのに、家屋の屋根を構成している瓦（２１）に穴（２２）を形成して、波板形状をしたトタン板（２）の裏面上に取り付けているパッドアイ（７）と先端部分がｎ字形状をしたナット付きＬ棒（１４）を瓦（２１）に形成をしている穴（２２）の内部を貫通させて、先端部分がｎ字形状をしたナット付きＬ棒（１４）を使用して、家屋を構成している垂木（３）に、波板形状をしたトタン板（２）の表面上に太陽電池（１）と、さらに、波板形状をしたトタン板（２）の裏面上に防音効果、又は断熱効果、又は瓦（２１）との密着性を高める目的にて、片面が波板形状で、もう一方の片面が平板形状をした発泡スチロール製板（９）をサンドイッチ形状に中間に介在をさせて、波板形状をしたトタン板（２）の表面上に太陽電池（１）を形成している、波板形状をしたトタン板（２）を家屋を構成している垂木（３）に強固に取り付けて瓦（２１）で出来ている屋根の表面上に、波板形状をしたトタン板（２）の表面上に太陽電池（１）を形成している波板形状をしたトタン板（２）の縦断面図を、図４５に示している。
【図４６】図４６に示しているのは、波板形状をしたトタン板（２）の表面上に太陽電池（１）を取り付ける目的にて、波板形状をしたトタン板（２）と太陽電池（１）との中間に、発泡スチロール製板とアルミニウムで出来ている板とで出来ている板の合板（２０）（以下、略して、ミラパネエース２０とする）と太陽電池（１）とを接着層（１０）を介在させて接合をさせたあと、さらに、ミラパネエース（２０）と波板形状をしたトタン板（２）とミラパネエース（２０）との中間に、片面が波板形状で、もう一方の片面が平板形状をした発泡スチロール製板（９）を接着層（１０）を介在させて波板形状をしたトタン板（２）に接合させて積層をさせた、波板形状をしたトタン板（２）の表面上に太陽電池（１）を形成した波板形状をしたトタン板（２）の裏面上にアーク溶接部分（１３）、又は金属接着剤部分（１３）を形成してナット（７）、又はパッドアイ（７）、又はロングアイ（７）、又はオープンパッドアイ（７）、又はアイストラップ（７）（以下、略して、ナット、又はパッドアイとする）を、波板形状をしたトタン板（２）の裏面上に取り付けた、波板形状をしたトタン板（２）の表面上に太陽電池（１）を形成した波板形状をしたトタン板（２）の縦断面図を、図４６に示している。
【図４７】図４７に示しているのは、波板形状をしたトタン板（２）の表面上に太陽電池（１）を取り付ける目的にて、波板形状をしたトタン板（２）と太陽電池（１）との中間に、片面が波板形状で、もう一方の片面が平板形状をした発泡スチロール製板（９）を接着層（１０）を介在させて波板形状をしたトタン板（２）に接合させて積層をさせたあと、さらに、波板形状をしたトタン板（２）の裏面上にアーク溶接部分（１３）、又は金属接着剤部分（１３）を形成してナット（７）、又はパッドアイ（７）、又はロングアイ（７）、又はオープンパッドアイ（７）、又はアイストラップ（７）（以下、略して、ナット、又はパッドアイとする）を取り付けた、波板形状をしたトタン板（２）の表面上に太陽電池（１）を形成した波板形状をしたトタン板（２）の縦断面図を、図４７に示している。
【図４８】図４８に示しているのは、波板形状をしたトタン板（２）の表面上に太陽電池（１）を取り付ける目的にて、波板形状をしたトタン板（２）と太陽電池（１）との中間に、発泡スチロール製板とアルミニウムで出来ている板とで出来ている板の合板（２０）（以下、略して、ミラパネエース２０とする）と太陽電池（１）とを接着層（１０）を介在させて接合をさせたあと、さらに、ミラパネエース（２０）と波板形状をしたトタン板（２）とミラパネエース（２０）との中間に、片面が波板形状で、もう一方の片面が平板形状をした発泡スチロール製板（９）を接着層（１０）を介在させて波板形状をしたトタン板（２）に接合させて積層をさせたあと、さらに、波板形状をしたトタン板（２）の裏面上にアーク溶接部分（１３）、又は金属接着剤部分（１３）を形成してナット（７）、又はパッドアイ（７）、又はロングアイ（７）、又はオープンパッドアイ（７）、又はアイストラップ（７）（以下、略して、ナット、又はパッドアイとする）を取り付けたあと、さらに、波板形状をしたトタン板（２）の裏面上に防音効果、又は断熱効果、又は瓦（２１）との密着性を高める目的にて、片面が波板形状で、もう一方の片面が平板形状をした発泡スチロール製板（９）をサンドイッチ形状に中間に接着層（１０）を介在させて、波板形状をしたトタン板（２）の表面上に太陽電池（１）を形成している縦断面図を、図４８に示している。
【図４９】図４９に示しているのは、波板形状をしたトタン板（２）の表面上に太陽電池（１）を取り付ける目的にて、波板形状をしたトタン板（２）と太陽電池（１）との中間に、片面が波板形状で、もう一方の片面が平板形状をした発泡スチロール製板（９）を接着層（１０）を介在させて波板形状をしたトタン板（２）に接合させて積層をさせたあと、さらに、波板形状をしたトタン板（２）の裏面上にアーク溶接部分（１３）、又は金属接着剤部分（１３）を形成してナット（７）、又はパッドアイ（７）、又はロングアイ（７）、又はオープンパッドアイ（７）、又はアイストラップ（７）（以下、略して、ナット、又はパッドアイとする）を取り付けたあと、さらに、波板形状をしたトタン板（２）の裏面上に防音効果、又は断熱効果、又は瓦（２１）との密着性を高める目的にて、片面が波板形状で、もう一方の片面が平板形状をした発泡スチロール製板（９）をサンドイッチ形状に中間に接着層（１０）を介在させて、波板形状をしたトタン板（２）の表面上に太陽電池（１）を形成している縦断面図を、図４９に示している。
【図５０】図５０に示しているのは、波板形状をしたトタン板（２）の表面上に太陽電池（１）を取り付ける目的にて、波板形状をしたトタン板（２）の表面上にナット（６）をアーク溶接部分（１３）、又は金属接着剤部分（１３）を形成して、波板形状をしたトタン板（２）の表面上にナット（６）を固定したあと、波板形状をしたトタン板（２）と太陽電池（１）との中間に、発泡ポリスチレン製板とアルミホイルで出来ている板とで出来ている板の合板（２０）を接着層（１０）を介在させて形成をして積層をさせたあと、さらに、波板形状をしたトタン板（２）の裏面上にアーク溶接部分（１３）、又は金属接着剤部分（１３）を形成してパッドアイ（７）、又はロングアイ（７）、又はオープンパッドアイ（７）、又はアイストラップ（７）（以下、略して、パッドアイとする）を使用して、波板形状をしたトタン板（２）の裏面上に家屋を構成している垂木（３）を取り付けるのに、家屋の屋根を構成している瓦（２１）に穴（２２）を形成して、波板形状をしたトタン板（２）の裏面上に取り付けているパッドアイ（７）と先端部分がｎ字形状をしたナット付きＬ棒（１４）を瓦（２１）に形成をしている穴（２２）の内部を貫通させて、先端部分がｎ字形状をしたナット付きＬ棒（１４）を使用して、家屋を構成している垂木（３）に、波板形状をしたトタン板（２）の表面上に太陽電池（１）を形成した波板形状をしたトタン板（２）を、先端部分がｎ字形状をしたナット付きＬ棒（１４）を、瓦（２１）に形成をしている穴（２２）の内部を貫通させて、波板形状をしたトタン板（２）を家屋を構成している垂木（３）に取り付けて固定をすると、瓦（２１）に形成をしている穴（２２）から雨水が漏れて、家屋の内部に雨水が進入をするのを防止するために、瓦（２１）の表面上から、５ｃｍ前後の長い円筒形状（２３）をした構造物を瓦（２１）と合体をさせて一体構造をした瓦（２１）を使用して先端部分がｎ字形状をしたナット付きＬ棒（１４）を使用して波板形状をしたトタン板（２）を固定している。さらに、円筒形状（２３）の内部を貫通している先端部分がｎ字形状をしたナット付きＬ棒（１４）を、円筒形状（２３）の内部にて密封剤（２４）である、例えば、シリコーン樹脂などで出来ている接着剤を使用して、瓦（２１）と合体をさせて一体構造をした瓦（２１）に形成をしている円筒形状（２３）の内部を密封剤（２４）を使用して密封をして、瓦（２１）に形成をしている穴（２２）から雨水が家屋の内部に漏れるのを防止する。または、シリコーン樹脂などで出来ているパッキング（２４）を、密封剤（２４）の代わりに円筒形状（２３）の内部に挿入をして、先端部分がｎ字形状をしたナット付きＬ棒（１４）を、瓦（２１）と合体をさせて一体構造をした瓦（２１）に形成をしている円筒形状（２３）の内部にて密封をして、瓦（２１）に形成をしている穴（２２）から雨水が家屋の内部に漏れるのを防止することが出来る構造をした、瓦（２１）と円筒形状（２３）を合体させて一体構造とした瓦（２１）の縦断面図を、図５０に示している。
【図５１】図５１に示しているのは、図５０に示している図面の拡大図で、斜線の部分が密封剤（２４）、又はパッキングを注入して、雨水が漏れて家屋の内部に進入が出来ない構造をした、瓦（２１）と円筒形状（２３）を合体させて一体構造とした瓦（２１）の縦断面図を、図５１に示している。
【図５２】図５２に示しているのは、波板形状をしたトタン板（２）の表面上に平板で出来ているトタン板（８）を接着層（１０）、又は両面テープ（１０）（以下、略して、接着層（１０）とする）を使用して波板形状をしたトタン板（２）の表面上に接着をさせて接合をしたあとの、平板で出来ているトタン板（８）の表面上に太陽電池（１）を接着層（１０）を形成して接合をしている縦断面図を、図５２に示している。
【図５３】図５３に示しているのは、図５３に示している内容と同様に、波板形状をしたトタン板（２）の表面上に平板で出来ているトタン板（８）を接着層（１０）、又は両面テープ（１０）（以下、略して、接着層（１０）とする）を使用して波板形状をしたトタン板（２）の表面上に接着をさせて接合をしたあとの、平板で出来ているトタン板（８）の表面上に太陽電池（１）を接着層（１０）を形成して接合をしている縦断面図を、図５３に示している。また、図５３が図５２と異なる相違点は、波板形状をしたトタン板（２）を家屋を構成している屋根材である垂木（３）などに取り付ける手段が異なる。
【図５４】図５４に示しているのは、波板形状をしたトタン板（２）の表面上に平板で出来ているトタン板（８）を接着層（１０）を形成して、平板で出来ているトタン板（８）を波板形状をしたトタン板（２）の表面上に接着をさせて接合をさせている縦断面図を、図５４に示している。
【図５５】図５５に示しているのは、図５２、及び図５３に示している内容と同様に、波板形状をしたトタン板（２）の表面上に平板で出来ているトタン板（８）を接着層（１０）、又は両面テープ（１０）（以下、略して、接着層（１０）とする）を使用して波板形状をしたトタン板（２）の表面上に接着をさせて接合をしたあとの、平板で出来ているトタン板（８）の表面上に太陽電池（１）を接着層（１０）を形成して接合をしている縦断面図を、図５５に示している。また、図５５が図５２、及び図５３と異なる相違点は、波板形状をしたトタン板（２）を家屋を構成している屋根材である垂木（３）などに取り付ける手段が異なる。
【図５６】図５６に示しているのは、波板形状をしたトタン板（２）を家屋の屋根を構成している屋根材の垂木（３）に釘（４）を使用して、波板形状をしたトタン板を垂木（３）などに釘（４）を使用して垂木（３）に取り付けたあとの、波板形状をしたトタン板（２）の表面上に平板で出来ているトタン板（８）を接着層（１０）を形成して接着をさせて接合をさせたあと、さらに、平板で出来ているトタン板（８）の表面上に太陽電池（１）を接着層（１０）を形成して接着をさせて接合をしている縦断面図を、図５６に示している。
【図５７】図５７に示しているのは、図５６に示している内容と同様に、波板形状をしたトタン板（２）を家屋の屋根を構成している屋根材の垂木（３）にボルト（５）、及びナット（６）を使用して、波板形状をしたトタン板を垂木（３）などにボルト（５）、及びナット（６）を使用して垂木（３）を取り付けたあとの、波板形状をしたトタン板（２）の表面上に平板で出来ているトタン板（８）を接着層（１０）を形成して接着をさせて接合をさせたあと、さらに、平板で出来ているトタン板（８）の表面上に太陽電池（１）を接着層（１０）を形成して接着をさせて接合をしている縦断面図を、図５７に示している。また、図５７が図５６と異なる相違点は、波板形状をしたトタン板（２）を家屋を構成している屋根材である垂木（３）などに取り付ける手段が異なる。
【図５８】図５８に示しているのは、波板形状をしたトタン板（２）の表面上に太陽電池（１）を接着層（１０）を形成して、直接に、波板形状をしたトタン板（２）の表面上に太陽電池（１）を接着をさせて接合をさせたあとの、波板形状をしたトタン板（２）の裏面に取り付けているボルト（５）、及びナット（６）を使用して、家屋を構成している屋根材である垂木（３）などに、波板形状をしたトタン板（２）の裏面から取り付けている縦断面図を、図５８に示している。
【図５９】図５９に示しているのは、図５７、及び図５８に示している内容と同様に、波板形状をしたトタン板（２）の表面上に平板で出来ているトタン板（８）を接着層（１０）を形成して接着をさせて接合をさせたあと、さらに、平板で出来ているトタン板（８）の表面上に太陽電池（１）を接着層（１０）を形成して接着をさせて接合をしている縦断面図を、図５９に示している。また、図５９が図５７、図５８と異なる相違点は、波板形状をしたトタン板（２）を家屋を構成している屋根材である垂木（３）などに取り付ける手段が異なる。
【図６０】図６０に示しているのは、図５９に示している内容と同様に、波板形状をしたトタン板（２）の裏面上にパッドアイ（７）を取り付けている、波板形状をしたトタン板（２）の表面上に太陽電池（１）を接着層（１０）を形成して、直接に、波板形状をしたトタン板（２）の表面上に太陽電池（１）を接着をさせて接合をさせた、波板形状をしたトタン板（２）の表面上に太陽電池（１）を形成して、さらに、波板形状をしたトタン板（２）の裏面上には、家屋を構成している屋根材である垂木（３）などに、波板形状をしたトタン板（２）を取り付けるための金具であるパッドアイ（７）を取り付けている縦断面図を、図６０に示している。
【図６１】図６１に示しているのは、図６０に示している、図面の拡大図の縦断面図を、図６１に示している。
【図６２】図６２に示しているのは、平板で出来ているトタン板（８）の裏面上に、家屋を構成している屋根材、又は壁材に平板で出来ているトタン板（８）を裏面から取り付ける目的のために、平板で出来ているトタン板（８）の裏面にナット（６）を取り付けたあとの、平板で出来ているトタン板（８）の表面上に太陽電池（１）を接着層（１０）を形成して取り付けている、平板で出来ているトタン板（８）の縦断面図を、図６２に示している。
【図６３】図６３に示しているのは、平板で出来ているトタン板（８）の裏面上に、家屋を構成している屋根材、又は壁材に平板で出来ているトタン板（８）を裏面から取り付ける目的のために、平板で出来ているトタン板（８）の裏面にボルト（５）を取り付けたあとの、平板で出来ているトタン板（８）の表面上に太陽電池（１）を接着層（１０）を形成して取り付けている、平板で出来ているトタン板（８）の縦断面図を、図６３に示している。
【図６４】図６４に示しているのは、平板で出来ているトタン板（８）の裏面上に、家屋を構成している屋根材、又は壁材に平板で出来ているトタン板（８）を裏面から取り付ける目的のために、平板で出来ているトタン板（８）の裏面にフック（７）を取り付けたあとの、平板で出来ているトタン板（８）の表面上に太陽電池（１）を接着層（１０）を形成して取り付けている、平板で出来ているトタン板（８）の縦断面図を、図６４に示している。
【図６５】図６５に示しているのは、平板で出来ているトタン板（８）の裏面上に、家屋を構成している屋根材、又は壁材に平板で出来ているトタン板（８）を裏面から取り付ける目的のために、平板で出来ているトタン板（８）の裏面にパッドアイ（７）を取り付けたあとの、平板で出来ているトタン板（８）の表面上に太陽電池（１）を接着層（１０）を形成して取り付けている、平板で出来ているトタン板（８）の縦断面図を、図６５に示している。
【図６６】図６６に示しているのは、折板屋根（２５）を形成する鉄板で出来ている折板形状をした鉄板（以下、略して、折板屋根とする）を、家屋を構成している屋根材である垂木（３）などに、折板屋根（２５）を裏面から垂木（３）などに折板屋根（２５）を取り付ける目的のために、折板屋根（２５）の裏面上にナット（６）などの金具を取り付けている、折板屋根（２５）の縦断面図を、図６６に示している。
【図６７】図６７に示しているのは、折板屋根（２５）を形成する鉄板で出来ている折板形状をした鉄板（以下、略して、折板屋根とする）を、家屋を構成している屋根材である垂木（３）などに、折板屋根（２５）を裏面から垂木（３）などに折板屋根（２５）を取り付ける目的のために、折板屋根（２５）の裏面上にボルト（５）などの金具を取り付けている、折板屋根（２５）の縦断面図を、図６７に示している。
【図６８】図６８に示しているのは、折板屋根（２５）を形成する鉄板で出来ている折板形状をした鉄板（以下、略して、折板屋根とする）を、家屋を構成している屋根材である垂木（３）などに、折板屋根（２５）を裏面から垂木（３）などに折板屋根（２５）を取り付ける目的のために、折板屋根（２５）の裏面上にパッドアイ（７）などの金具を取り付けている、折板屋根（２５）の縦断面図を、図６８に示している。
【図６９】図６９に示しているのは、図６６、図６７、及び図６８に示しているように、折板屋根（２５）の裏面上に、家屋の屋根材を構成している垂木（３）などに、折板屋根（２５）を裏面から折板屋根（２５）を垂木（３）などに取り付ける目的のために、折板屋根（２５）の裏面上にパッドアイ（７）などの接続用の金具を取り付けたあとの、折板屋根（２５）の表面上に平板で出来ているトタン板（８）を接着層（１０）を形成して、折板屋根（２５）の表面上に接着をさせて接合をする。さらに、折板屋根（２５）の表面上に接着をさせて接合をした平板で出来ているトタン板（８）の表面上に、太陽電池（１）を接着層（１０）を形成して接着をさせて接合をした折板屋根（２５）の縦断面図を、図６９に示している。
【図７０】図７０に示しているのは、図６６、図６７、図６８及び図６９に示しているように、折板屋根（２５）の裏面上に、家屋の屋根材を構成している垂木（３）、及び平板形状をした発泡スチロール製板（１１）に、折板屋根（２５）を裏面から折板屋根（２５）を垂木（３）、及び平板形状をした発泡スチロール製板（１１）に取り付ける目的のために、折板屋根（２５）の裏面上にパッドアイ（７）などの接続用の金具を取り付けたあと、折板屋根（２５）の表面上に平板で出来ているトタン板（８）を接着層（１０）を形成して、折板屋根（２５）の表面上に接着をさせて接合をする。さらに、折板屋根（２５）の表面上に接着をさせて接合をした平板で出来ているトタン板（８）の表面上に、太陽電池（１）を接着層（１０）を形成して接着をさせて接合をした折板屋根（２５）の縦断面図を、図７０に示している。
【図７１】図７１に示しているのは、折板屋根（２５）の裏面上に、家屋の屋根材を構成している垂木（３）などに、折板屋根（２５）を裏面から折板屋根（２５）を垂木（３）などに取り付ける目的のために、折板屋根（２５）の裏面上にパッドアイ（７）などの接続用の金具を取り付けたあとの、折板屋根（２５）の表面上に、太陽電池（１）を接着層（１０）を形成して接着をさせて接合をした折板屋根（２５）の縦断面図を、図７１に示している。
【図７２】図７２に示しているのは、折板屋根（２５）の裏面上に、家屋の屋根材を構成している垂木（３）、及び平板形状をした発泡スチロール製板（１１）に、折板屋根（２５）を裏面から折板屋根（２５）を垂木（３）、及び平板形状をした発泡スチロール製板（１１）に取り付ける目的のために、折板屋根（２５）の裏面上にパッドアイ（７）などの接続用の金具を取り付けたあとの、折板屋根（２５）の表面上に、太陽電池（１）を接着層（１０）を形成して接着をさせて接合をした折板屋根（２５）の縦断面図を、図７２に示している。
【図７３】図７３に示しているのは、折板屋根（２５）の裏面上に、折板屋根（２５）を、家屋を構成している屋根材である垂木（３）などに、折板屋根（２５）を折板屋根（２５）の裏面から垂木（３）などに取り付ける目的のために、パッドアイ（７）などの金具を両面テープ（１３）、又は接着層（１３）、又は溶接部分（１３）（以下、略して、両面テープとする）を使用して折板屋根（２５）の裏面上に取り付けたあとの、折板屋根（２５）の表面上に太陽電池（１）を、直接に折板屋根（２５）の表面上に接着層（１０）を形成して折板屋根（２５）の表面上に太陽電池（１）を取り付けている縦断面図を、図７３に示している。
【図７４】図７４に示しているのは、波板形状をしたトタン板（２）、又はスレート屋根（２）（以下、略して、波板形状をしたトタン板、又はスレート屋根とする）の裏面上にスレート屋根（２）を家屋を構成している屋根材である垂木（３）などに、スレート屋根（２）をスレート屋根（２）の裏面から垂木（３）などに取り付ける目的のために、パッドアイ（７）などの金具を両面テープ（１３）、又は接着層（１３）、又は溶接部分（１３）（以下、略して、両面テープとする）を使用してスレート屋根（２）の裏面上に取り付けたあとの、スレート屋根（２）の表面上に太陽電池（１）を、直接にスレート屋根（２）の表面上に接着層（１０）を形成してスレート屋根（２）の表面上に太陽電池（１）を取り付けている縦断面図を、図７４に示している。
【図７５】図７５に示しているのは、石綿スレート２６が数十年を経過して、旧くなって脆くなって危険な石綿スレート２６の強度を補強して補修工事をする目的にて、従来の石綿スレート２６である、アスベストをセメントで固めて形成をしたアスベスト形成板（以下、略して、石綿スレートとする）２６を、家屋の屋根材を構成している垂木３の裏面から、石綿スレート２６をボルト５、及びナット６を使用して垂木３に取り付けている縦断面図を、図７５に示している。
【図７６】図７６に示しているのは、石綿スレート２６が数十年を経過して、旧くなって脆くなって危険な石綿スレート２６の強度を補強して補修工事をする目的にて、上記の図７５にて説明をした、従来の石綿スレート２６である、アスベストをセメントで固めて形成をしたアスベスト形成板（以下、略して、石綿スレートとする）２６を、家屋の屋根材を構成している垂木３の裏面から、石綿スレート２６をボルト５、及びナット６を使用して垂木３に取り付けたあとの、石綿スレート２６の表面上に、例えば、厚さが１０ｃｍ前後で、鉄板小波を屋根材として使用する場合には、働き巾が６９５ｍｍなので、横巾が６９５ｍｍの発泡スチロール板で、また、鉄板大波を屋根材として使用する場合には、働き巾が６８５ｍｍなので、横巾が６８５ｍｍの発泡スチロール板で出来ている、発泡スチロール板の形状が、片面の形状が石綿スレート２６の形状をした発泡スチロール２７で、もう一方の片面の形状が平板形状をした発泡スチロール２７を、石綿スレート２６の表面上に、石綿スレート２６の表面上に敷き詰めて重ねて積層をして、石綿スレート２６の表面上の耐えうる荷重を、例えば、石綿スレート２６の表面上を、人間が自由に歩いても耐えうる限度以上の、石綿スレート２６の荷重が、人間の荷重に耐えうる構造物とした縦断面図を、図７６に示している。
【図７７】図７７に示しているのは、石綿スレート２６が数十年を経過して、旧くなって脆くなって危険な石綿スレート２６の強度を補強して補修工事をする目的にて、上記の図７５にて説明をした、従来の石綿スレート２６である、アスベストをセメントで固めて形成をしたアスベスト形成板（以下、略して、石綿スレートとする）２６を、家屋の屋根材を構成している垂木３の裏面から、石綿スレート２６をボルト５、及びナット６を使用して垂木３に取り付けたあとの、石綿スレート２６の表面上に、例えば、厚さが１０ｃｍ前後で、鉄板小波を屋根材として使用する場合には、働き巾が６９５ｍｍなので、横巾が６９５ｍｍの発泡スチロール板で、また、鉄板大波を屋根材として使用する場合には、働き巾が６８５ｍｍなので、横巾が６８５ｍｍの発泡スチロール板で出来ている、発泡スチロール板の形状が、両面が平板形状をした発泡スチロール２８を、石綿スレート２６の表面上に、石綿スレート２６の表面上に敷き詰めて重ねて積層をして、石綿スレート２６の表面上の耐えうる荷重を、例えば、石綿スレート２６の表面上を、人間が自由に歩いても耐えうる限度以上の、石綿スレート２６の荷重が、人間の荷重に耐えうる構造物とした縦断面図を、図７７に示している。
【図７８】図７８に示しているのは、石綿スレート２６が数十年を経過して、旧くなって脆くなって危険な石綿スレート２６の強度を補強して補修工事をする目的にて、上記の図７５にて説明をした、従来の石綿スレート２６である、アスベストをセメントで固めて形成をしたアスベスト形成板（以下、略して、石綿スレートとする）２６を、家屋の屋根材を構成している垂木３の裏面から、石綿スレート２６をボルト５、及びナット６を使用して垂木３に取り付けたあとの、石綿スレート２６の表面上に、例えば、厚さが１０ｃｍ前後で、鉄板小波を屋根材として使用する場合には、働き巾が６９５ｍｍなので、横巾が６９５ｍｍの発泡スチロール板で、また、鉄板大波を屋根材として使用する場合には、働き巾が６８５ｍｍなので、横巾が６８５ｍｍの発泡スチロール板で出来ている、発泡スチロール板の形状が、片面の形状が石綿スレート２６の形状をした発泡スチロール２９で、もう一方の片面の形状がスレート屋根形状をした発泡スチロール２９を、石綿スレート２６の表面上に、石綿スレート２６の表面上に敷き詰めて重ねて積層をして、石綿スレート２６の表面上の耐えうる荷重を、例えば、石綿スレート２６の表面上を、人間が自由に歩いても耐えうる限度以上の、石綿スレート２６の荷重が、人間の荷重に耐えうる構造物とした縦断面図を、図７８に示している。
【図７９】図７９に示しているのは、石綿スレート２６が数十年を経過して、旧くなって脆くなって危険な石綿スレート２６の強度を補強して補修工事をする目的にて、上記の図７５にて説明をした、従来の石綿スレート２６である、アスベストをセメントで固めて形成をしたアスベスト形成板（以下、略して、石綿スレートとする）２６を、家屋の屋根材を構成している垂木３の裏面から、石綿スレート２６をボルト５、及びナット６を使用して垂木３に取り付けたあとの、石綿スレート２６の表面上に、例えば、厚さが１０ｃｍ前後で、鉄板小波を屋根材として使用する場合には、働き巾が６９５ｍｍなので、横巾が６９５ｍｍの発泡スチロール板で、また、鉄板大波を屋根材として使用する場合には、働き巾が６８５ｍｍなので、横巾が６８５ｍｍの発泡スチロール板で出来ている、発泡スチロール板の形状が、片面の形状が石綿スレート２６の形状をした発泡スチロール２９で、もう一方の片面の形状がスレート屋根形状をした発泡スチロール２９を、石綿スレート２６の表面上に、石綿スレート２６の表面上に敷き詰めて重ねて積層をして、石綿スレート２６の表面上の耐えうる荷重を、例えば、石綿スレート２６の表面上を、人間が自由に歩いても耐えうる限度以上の、石綿スレート２６の荷重が、人間の荷重に耐えうる構造物としたあとの、発泡スチロール２９の表面上に、スレート屋根２５を重ねて積層をして、垂木３、石綿スレート２６、発泡スチロール２９、及びスレート屋根２５の４種類のパネルを、ボルト５、及びナット６を使用して、家屋を構成している屋根材である垂木３にスレート屋根２５を上下から積層をして取り付けたスレート屋根２５を、結果として、発泡スチロール２９を介在させて、石綿スレート２６に固定をしている縦断面図を、図７９に示している。
【図８０】図８０に示しているのは、石綿スレート２６が数十年を経過して、旧くなって脆くなって危険な石綿スレート２６の強度を補強して補修工事をする目的にて、上記の図７５にて説明をした、従来の石綿スレート２６である、アスベストをセメントで固めて形成をしたアスベスト形成板（以下、略して、石綿スレートとする）２６を、家屋の屋根材を構成している垂木３の裏面から、石綿スレート２６をボルト５、及びナット６を使用して垂木３に取り付けたあとの、石綿スレート２６の表面上に、例えば、厚さが１０ｃｍ前後で、鉄板小波を屋根材として使用する場合には、働き巾が６９５ｍｍなので、横巾が６９５ｍｍの発泡スチロール板で、また、鉄板大波を屋根材として使用する場合には、働き巾が６８５ｍｍなので、横巾が６８５ｍｍの発泡スチロール板で出来ている、発泡スチロール板の形状が、片面の形状が石綿スレート２６の形状をした発泡スチロール２９で、もう一方の片面の形状がスレート屋根形状をした発泡スチロール２９を、石綿スレート２６の表面上に、石綿スレート２６の表面上に敷き詰めて重ねて積層をして、石綿スレート２６の表面上の耐えうる荷重を、例えば、石綿スレート２６の表面上を、人間が自由に歩いても耐えうる限度以上の、石綿スレート２６の荷重が、人間の荷重に耐えうる構造物としたあとの、発泡スチロール２９の表面上に、スレート屋根２５を重ねて積層をして、垂木３、石綿スレート２６、発泡スチロール２９、及びスレート屋根２５の４種類のパネルを、パッドアイ７、及び先端部分がｎ字形状をしたナット付Ｌ棒１４を使用して、家屋を構成している屋根材である垂木３の裏面である下の面からスレート屋根２５を上下から積層をして取り付けたスレート屋根２５を、結果として、発泡スチロール２９を石綿スレート２６とスレート屋根２５との中間に介在をさせて、石綿スレート２６に固定をしている縦断面図を、図８０に示している。
【図８１】図８１に示しているのは、石綿スレート２６が数十年を経過して、旧くなって脆くなって危険な石綿スレート２６の強度を補強して補修工事をする目的にて、上記の図７５にて説明をした、従来の石綿スレート２６である、アスベストをセメントで固めて形成をしたアスベスト形成板（以下、略して、石綿スレートとする）２６を、家屋の屋根材を構成している垂木３の裏面から、石綿スレート２６をボルト５、及びナット６を使用して垂木３に取り付けたあとの、石綿スレート２６の表面上に、例えば、厚さが１０ｃｍ前後で、鉄板小波を屋根材として使用する場合には、働き巾が６９５ｍｍなので、横巾が６９５ｍｍの発泡スチロール板で、また、鉄板大波を屋根材として使用する場合には、働き巾が６８５ｍｍなので、横巾が６８５ｍｍの発泡スチロール板で出来ている、発泡スチロール板の形状が、両面が平板形状をした発泡スチロール２８を、石綿スレート２６の表面上に敷き詰めて重ねて積層をして、石綿スレート２６の表面上の耐えうる荷重を、例えば、石綿スレート２６の表面上を、人間が自由に歩いても耐えうる限度以上の、石綿スレート２６の荷重が、人間の荷重に耐えうる構造物としたあとの、発泡スチロール２８の表面上に、スレート屋根２５を重ねて積層をして、垂木３、石綿スレート２６、発泡スチロール２８、及びスレート屋根２５の４種類のパネルを、パッドアイ７、及び先端部分がｎ字形状をしたナット付Ｌ棒１４を使用して、家屋を構成している屋根材である垂木３の裏面である下の面からスレート屋根２５を上下から重ねて積層をして取り付けたスレート屋根２５を、結果として、発泡スチロール２８を石綿スレート２６とスレート屋根２５との中間に介在をさせて、石綿スレート２６に固定をしたあとの、スレート屋根２５の表面上にナット６、パッドアイ７、及びボルト５を使用して太陽電池１をスレート屋根２５の表面上に取り付けて固定している縦断面図を、図８１に示している。
【図８２】図８２に示しているのは、石綿スレート２６が数十年を経過して、旧くなって脆くなって危険な石綿スレート２６の強度を補強して補修工事をする目的にて、上記の図７５にて説明をした、従来の石綿スレート２６である、アスベストをセメントで固めて形成をしたアスベスト形成板（以下、略して、石綿スレートとする）２６を、家屋の屋根材を構成している垂木３の裏面から、石綿スレート２６をボルト５、及びナット６を使用して垂木３に取り付けたあとの、石綿スレート２６の表面上に、例えば、厚さが１０ｃｍ前後で、鉄板小波を屋根材として使用する場合には、働き巾が６９５ｍｍなので、横巾が６９５ｍｍの発泡スチロール板で、また、鉄板大波を屋根材として使用する場合には、働き巾が６８５ｍｍなので、横巾が６８５ｍｍの発泡スチロール板で出来ている、発泡スチロール板の形状が、片面の形状が石綿スレート２６の形状をした発泡スチロール２７で、もう一方の片面の形状が平板形状をした発泡スチロール２７を、石綿スレート２６の表面上に、石綿スレート２６の表面上に敷き詰めて重ねて積層をして、石綿スレート２６の表面上の耐えうる荷重を、例えば、石綿スレート２６の表面上を、人間が自由に歩いても耐えうる限度以上の、石綿スレート２６の荷重が、人間の重量の荷重に耐えうる構造物としたあとの、発泡スチロール２７の表面上に、スレート屋根２５を重ねて積層をして、垂木３、石綿スレート２６、発泡スチロール２７、及びスレート屋根２５の４種類のパネルを、パッドアイ７、及び先端部分がｎ字形状をしたナット付Ｌ棒１４を使用して、家屋を構成している屋根材である垂木３にスレート屋根２５を上下から重ねて積層をして取り付けたスレート屋根２５を、結果として、発泡スチロール２７を石綿スレート２６とスレート屋根２５との中間に介在をさせて、石綿スレート２６に固定をしたあとの、スレート屋根２５の表面上にナット６、パッドアイ７、及びボルト５を使用して太陽電池１をスレート屋根２５の表面上に取り付けて固定している縦断面図を、図８２に示している。
【図８３】図８３に示しているのは、石綿スレート２６が数十年を経過して、旧くなって脆くなって危険な石綿スレート２６の強度を補強して補修工事をする目的にて、上記の図７５にて説明をした、従来の石綿スレート２６である、アスベストをセメントで固めて形成をしたアスベスト形成板（以下、略して、石綿スレートとする）２６を、家屋の屋根材を構成している垂木３の裏面から、石綿スレート２６をボルト５、及びナット６を使用して垂木３に取り付けたあとの、石綿スレート２６の表面上に、例えば、厚さが１０ｃｍ前後で、鉄板小波を屋根材として使用する場合には、働き巾が６９５ｍｍなので、横巾が６９５ｍｍの発泡スチロール板で、また、鉄板大波を屋根材として使用する場合には、働き巾が６８５ｍｍなので、横巾が６８５ｍｍの発泡スチロール板で出来ている、発泡スチロール板の形状が、片面の形状が石綿スレート２６の形状をした発泡スチロール２９で、もう一方の片面の形状がスレート屋根２５の、スレート屋根２５の形状をした発泡スチロール２９を、石綿スレート２６の表面上に、石綿スレート２６の表面上に敷き詰めて重ねて積層をして、石綿スレート２６の表面上の耐えうる荷重を、例えば、石綿スレート２６の表面上を、人間が自由に歩いても耐えうる限度以上の、石綿スレート２６の荷重が、人間の重量の荷重に耐えうる構造物としたあとの、発泡スチロール２９の表面上に、スレート屋根２５を重ねて積層をして、垂木３、石綿スレート２６、発泡スチロール２９、及びスレート屋根２５の４種類のパネルを、パッドアイ７、及び先端部分がｎ字形状をしたナット付Ｌ棒１４を使用して、家屋を構成している屋根材である垂木３の裏面である下の面からスレート屋根２５を上下から重ねて積層をして取り付けたスレート屋根２５を、結果として、発泡スチロール２９を石綿スレート２６とスレート屋根２５との中間に介在をさせて、石綿スレート２６に固定をしたあとの、スレート屋根２５の表面上にナット６、パッドアイ７、及びボルト５を使用して太陽電池１をスレート屋根２５の表面上に取り付けて固定している縦断面図を、図８３に示している。
【図８４】図８４に示しているのは、石綿スレート２６が数十年を経過して、旧くなって脆くなって危険な石綿スレート２６の強度を補強して補修工事をする目的にて、上記の図７５にて説明をした、従来の石綿スレート２６である、アスベストをセメントで固めて形成をしたアスベスト形成板（以下、略して、石綿スレートとする）２６を、家屋の屋根材を構成している垂木３の裏面から、石綿スレート２６をボルト５、及びナット６を使用して垂木３に取り付けたあとの、石綿スレート２６の表面上に、例えば、厚さが１０ｃｍ前後で、鉄板小波を屋根材として使用する場合には、働き巾が６９５ｍｍなので、横巾が６９５ｍｍの発泡スチロール板で、また、鉄板大波を屋根材として使用する場合には、働き巾が６８５ｍｍなので、横巾が６８５ｍｍの発泡スチロール板で出来ている、発泡スチロール板の形状が、片面の形状が平板形状をした発泡スチロール３０で、もう一方の片面の形状がスレート屋根２５の、スレート屋根２５の形状をした発泡スチロール３０を、石綿スレート２６の表面上に、石綿スレート２６の表面上に敷き詰めて重ねて積層をして、石綿スレート２６の表面上の耐えうる荷重を、例えば、石綿スレート２６の表面上を、人間が自由に歩いても耐えうる限度以上の、石綿スレート２６の荷重が、人間の重量の荷重に耐えうる構造物としたあとの、発泡スチロール３０の表面上に、スレート屋根２５を重ねて積層をして、垂木３、石綿スレート２６、発泡スチロール３０、及びスレート屋根２５の４種類のパネルを、パッドアイ７、及び先端部分がｎ字形状をしたナット付Ｌ棒１４を使用して、家屋を構成している屋根材である垂木３の裏面である下の面からスレート屋根２５を上下から重ねて積層をして取り付けたスレート屋根２５を、結果として、発泡スチロール３０を石綿スレート２６とスレート屋根２５との中間に介在をさせて、石綿スレート２６に固定をしたあとの、スレート屋根２５の表面上にナット６、パッドアイ７、及びボルト５を使用して太陽電池１をスレート屋根２５の表面上に取り付けて固定している縦断面図を、図８４に示している。
【発明を実施するための形態】
【００４８】
波板形状をしたトタン板（２）の表面上に太陽電池（１）を形成した、太陽電池（１）の表面上を一切損傷させることなく、家屋の屋根材として太陽電池（１）を形成している波板形状をしたトタン板（２）の裏面の垂木（３）に、釘（４）、又はボルト（５）、又はナット（６）、又はフック（７）、又はパッドアイ（７）、又はロングアイ（７）、又はオープンパッドアイ（７）、又はアイストラップ（７）、又はＵＫターンバックル（７）、又はナット付Ｌ棒、（以下、略して、ナット、又はフック、又はアイとする）、又はその他の手段を使用して、家屋の屋根を構成している垂木（３）に波板形状をしたトタン板（２）の裏面から垂木（３）に取り付けることにより、波板形状をしたトタン板（２）の表面上に形成をした太陽電池（１）を一切損傷させることなく、太陽電池（１）を家屋の屋根材として取り付けることが出来るので、太陽電池（１）を一切損傷させることなく家屋の屋根材として使用をすることが出来る。
【００４９】
波板形状をしたトタン板（２）をボルト（５）、又はナット（６）、又はフック（７）、又はパッドアイ（７）、又はロングアイ（７）、又はオープンパッドアイ（７）、又はアイストラップ（７）、又はＵＫターンバックル（７）、又はナット付Ｌ棒、（以下、略して、ナット、又はフック、又はアイとする）、又はその他の手段を使用して、家屋の屋根を構成している垂木（３）に波板形状をしたトタン板（２）の裏面から垂木（３）に取り付けることにより、波板形状をしたトタン板（２）の表面上に釘（４）を打ち付けることで発生をする傷口を一切損傷させることなく、家屋を構成している屋根材の垂木（３）に波板形状をしたトタン板（２）を、裏面から垂木（３）に取り付けて固定をするので、波板形状をしたトタン板（２）の表面上には一切傷口を発生させることなく波板形状をしたトタン板（２）を屋根材として使用することが出来る。
【実施例１】
【００５０】
波板形状をしたトタン板（２）の表面上に太陽電池（１）を形成する目的のために、波板形状をしたトタン板（２）の裏面に垂木（３）を釘（４）を使用して、波板形状をしたトタン板（２）の裏面に垂木（３）を釘（４）を使用して、波板形状をしたトタン板（２）の裏面に垂木（３）を固定したあとの、波板形状をしたトタン板（２）の表面上に太陽電池（１）を形成したトタン板（２）を実施例１とする。
【実施例２】
【００５１】
波板形状をしたトタン板（２）の表面上に太陽電池（１）を形成する目的のために、波板形状をしたトタン板（２）の裏面に垂木（３）を固定する目的のために、ボルト（５）を溶接するか、又は金属接着剤を使用してボルト（５）を固定している、波板形状をしたトタン板（２）の裏面に垂木（３）をナット（６）を使用して、波板形状をしたトタン板（２）の裏面に垂木（３）を固定したあとの、波板形状をしたトタン板（２）の表面上に太陽電池（１）を形成したトタン板（２）を実施例２とする。
【実施例３】
【００５２】
波板形状をしたトタン板（２）の表面上に太陽電池（１）を形成する目的のために、波板形状をしたトタン板（２）に凹凸を形成している凹形状、又は凸形状の裏面に、凹形状、又は凸形状の方向にそって平行方向に垂木（３）を釘（４）を使用して、波板形状をしたトタン板（２）の裏面に垂木（３）を釘付けをして垂木（３）を固定をしたあとの、波板形状をしたトタン板（２）の表面上に太陽電池（１）を形成したトタン板（２）を実施例３とする。
【実施例４】
【００５３】
波板形状をしたトタン板（２）の表面上に太陽電池（１）を形成する目的のために、波板形状をしたトタン板（２）の裏面に垂木（３）を固定する目的のために、ボルト（５）を溶接するか、又は金属接着剤を使用してボルト（５）を波板形状をしたトタン板（２）の裏面に、波板の凹凸を形成している凹形状、又は凸形状の裏面に、凹形状、又は凸型状の方向にそって平行方向に垂木（３）をボルト（５）、及びナット（６）を使用して、波板形状をしたトタン板（２）の裏面に垂木（３）を取り付けて固定をしたあとの、波板形状をしたトタン板（２）の表面上に太陽電池（１）を形成したトタン板（２）を実施例４とする。
【実施例５】
【００５４】
波板形状をしたトタン板（２）の表面上に太陽電池（１）を形成する目的のために、波板形状をしたトタン板（２）の裏面に垂木（３）を固定する目的のために、波板形状をしたトタン板（２）の裏面にナット（６）を溶接するか、又は金属接着剤を使用してナット（６）を固定している、波板形状をしたトタン板（２）の裏面に、垂木（３）をボルト（５）を使用して、波板形状をしたトタン板（２）の裏面に垂木（３）を固定をしたあとの、波板形状をしたトタン板（２）の表面上に太陽電池（１）を形成したトタン板（２）を実施例５とする。
【実施例６】
【００５５】
波板形状をしたトタン板（２）の表面上に太陽電池（１）を形成する目的のために、波板形状をしたトタン板（２）の裏面に垂木（３）を固定する目的のために、ボルト（５）を溶接するか、又は金属接着剤を使用してボルト（５）を波板形状をしたトタン板（２）の裏面に固定をしたあとの、波板形状をしたトタン板（２）の表面上に太陽電池（１）を形成したトタン板（２）を実施例６とする。
【実施例７】
【００５６】
波板形状をしたトタン板（２）の表面上に太陽電池（１）を形成する目的のために、波板形状をしたトタン板（２）の裏面に垂木（３）を固定する目的のために、波板形状をしたトタン板（２）の裏面にナット（６）を溶接するか、又は金属接着剤を使用してナット（６）を波板形状をしたトタン板（２）の裏面に固定をしたあとの、波板形状をしたトタン板（２）の表面上に太陽電池（１）を形成したトタン板（２）を実施例７とする。
【実施例８】
【００５７】
波板形状をしたトタン板（２）の表面上に太陽電池（１）を形成する目的のために、波板形状をしたトタン板（２）の裏面に垂木（３）を固定する目的のために、波板形状をしたトタン板（２）の裏面にフック（７）を溶接するか、又は金属接着剤を使用してフック（７）を波板形状をしたトタン板（２）の裏面に固定をしたあとの、波板形状をしたトタン板（２）の表面上に太陽電池（１）を形成したトタン板（２）を実施例８とする。
【実施例９】
【００５８】
平板で出来ているトタン板（８）の表面上に太陽電池（１）を形成する目的のために、平板で出来ているトタン板（８）の裏面に垂木（３）などを取り付ける目的のために、ボルト（５）を溶接するか、又は金属接着剤を使用してボルト（５）を固定したあとの、平板で出来ているトタン板（８）の表面上に太陽電池（１）を形成したトタン板（８）を実施例９とする。
【実施例１０】
【００５９】
平板で出来ているトタン板（８）の表面上に太陽電池（１）を形成する目的のために、平板で出来ているトタン板（８）の裏面に垂木（３）などを取り付ける目的のために、ナット（６）を溶接するか、又は金属接着剤を使用してナット（６）を固定したあとの、平板で出来ているトタン板（８）の表面上に太陽電池（１）を形成したトタン板（８）を実施例１０とする。
【実施例１１】
【００６０】
平板で出来ているトタン板（８）の表面上に太陽電池（１）を形成する目的のために、平板で出来ているトタン板（８）の裏面に垂木（３）などを取り付ける目的のために、フック（７）を溶接するか、又は金属接着剤を使用してフック（７）を固定したあとの、平板で出来ているトタン板（８）の表面上に太陽電池（１）を形成したトタン板（８）を実施例１１とする。
【実施例１２】
【００６１】
波板形状をしたトタン板（２）、又は平板で出来ているトタン板（８）の裏面にフック（７）、又はパッドアイ（７）、又はロングアイ（７）、又はオープンパッドアイ（７）、又はアイストラップ（７）、又はＵＫターンバックル（７）、又はナット付Ｌ棒（以下、略して、ナット、又はフック、又はアイとする）を取り付けるか、又は垂木（３）を取り付けている波板形状をしたトタン板（２）、又は平板で出来ているトタン板（８）の表面上に、多方面から太陽光線を集光することが出来る、発電効率が一段と高い球状シリコン太陽電池モジュールを形成した波板形状をしたトタン板（２）、又は平板で出来ているトタン板（８）の表面上に太陽電池（１）を形成しているトタン板を家屋の屋根を構成している垂木（３）、又は壁を構成している垂木（３）に、家屋の屋根の裏面、又は家屋を構成している壁の裏面から、波板形状をしたトタン板（２）、又は平板で出来ているトタン板（８）の表面上に太陽電池（３）を形成している、太陽電池（１）を取り付けて固定をすることを実施例１２とする。
【実施例１３】
【００６２】
波板形状をしたトタン板（２）、又は平板で出来ているトタン板（８）（以下、略して、トタン板、又は鉄板とする）を構成している鉄板の表面上にアルミニウム（Ａｌ）５５％＋亜鉛（Ｚｎ）４３．４％＋珪素（Ｓｉ）１．６％の合金の母材が溶融をしているメッキ槽の内部に鉄板であるトタン板を浸してメッキをした、名称がガルバリウムメッキ加工（以下、略して、ガルバ鋼板、又は日新鋼板（株）が製造販売をしている商品名がガルバスター、又はＺＧとする）を行った波板形状をしたトタン板（２）、又は平板で出来ているトタン板（８）の表面上に太陽電池（１）を形成した、トタン板の表面上に太陽電池（１）を形成した表面上から家屋の屋根を構成している垂木（３）に釘（４）を使用して、直接に太陽電池（１）を形成している波板形状をしたトタン板（２）、又は平板で出来ているトタン板（８）を釘（４）を使用して垂木（３）にトタン板の上から打ち付けても、ガルバ鋼板で出来ているトタン板は防食性が高くて腐蝕に強いので、、ガルバ鋼板で出来ているトタン板の表面上に形成をした太陽電池（１）と、波板形状をしたトタン板（２）、又は平板で出来ているトタン板（８）との剥離の進行を、最も低下させることが出来るので、ガルバ鋼板で出来ている波板形状をしたトタン板（２）の表面上に太陽電池（１）を形成する。又は平板で出来ているトタン板（８）の表面上に太陽電池（１）を形成しているトタン板であれば、釘（４）を使用してトタン板の表面上から家屋の屋根を構成している垂木（３）に、直接にトタン板の表面上の面から釘（４）を使用して垂木（３）にトタン板を打ち付けることが出来ることを実施例１３とする。
【実施例１４】
【００６３】
鶏舎、豚舎、牛舎、及び堆肥舎の用途に適した波板形状をしたトタン板（２）、又は平板で出来ているトタン板（８）、（以下、略して、トタン板とする）の表面上にメッキ加工するのには、例えば、日新鋼板（株）が製造販売をしている耐アンモニア性、及び耐湿潤性に優れている、亜鉛（Ｚｎ）９１％＋アルミニウム（Ａｌ）６％＋マグネシウム（Ｍｇ）１％で出来ている金属が溶融をしているメッキ槽の内部にてドブヅケメッキ加工をした、商品名がＺＡＭ  鋼板を使用した波板形状をしたトタン板の表面上に太陽電池（１）を形成する。または、平板で出来ているトタン板（８）の表面上に太陽電池（１）を形成することを実施例１４とする。
【実施例１５】
【００６４】
波板形状をしたトタン板（２）の表面上に太陽電池（１）を形成した、太陽電池（１）の表面上を一切損傷させることなく、家屋の屋根材として太陽電池（１）を形成している波板形状をしたトタン板（２）の裏面の垂木（３）に、釘（４）、又はボルト（５）、又はナット（６）、又はフック（７）、又はパッドアイ（７）、又はロングアイ（７）、又はオープンパッドアイ（７）、又はアイストラップ（７）、又はＵＫターンバックル（７）、又はナット付Ｌ棒、（以下、略して、ナット、又はフック、又はアイとする）、又はその他の手段を使用して、家屋の屋根を構成している垂木（３）に波板形状をしたトタン板（２）の裏面から垂木（３）に取り付けることにより、波板形状をしたトタン板（２）の表面上に形成をした太陽電池（１）を一切損傷させることなく、太陽電池（１）を家屋の屋根材として取り付けることが出来るので、太陽電池（１）を一切損傷させることなく家屋の屋根材として使用をすることを実施例１５とする。
【実施例１６】
【００６５】
波板形状をしたトタン板（２）の表面上に太陽電池（１）を取り付ける目的のために、波板形状をしたトタン板（２）と太陽電池（１）との中間に、発泡スチロール製板（１１）で出来ている両側面が平板形状で出来ている発泡スチロール製板（１１）を、波板形状をしたトタン板（２）と太陽電池（１）との中間に介在をさせたモジュールを波板形状をしたトタン板（２）の表面上に溶接部分（１３）、又は金属接着剤部分（１３）を使用して接合をしているボルト（５）、及びナット（６）を使用して、発泡スチロール製板（１１）で出来ている両側面が平板形状で出来ている発泡スチロール製板（１１）を中間に介在をさせて、この発泡スチロール製板（１１）の表面上に太陽電池（１）を接着層（１０）を形成して接合をさせたあと、さらに、ボルト（５）、及びナット（６）を使用して波板形状をしたトタン板（２）に太陽電池（１）を取り付けたあと、波板形状をしたトタン板（２）の裏面にフック（７）、又はパッドアイ（７）、又はロングアイ（７）、又はオープンパッドアイ（７）、又はアイストラップ（７）、又はＵＫターンバックル（７）、又はナット付Ｌ棒、（以下、略して、パッドアイとする）を、波板形状をしたトタン板（２）に取り付けたあと、波板形状をしたトタン板（２）の裏面に取り付けているパッドアイ（７）に、先端部分がｎ字形状をしたナット付きＬ棒を使用して、波板形状をしたトタン板（２）を家屋を構成している屋根材の垂木（３）に、波板形状をしたトタン板（２）の裏面から垂木（３）に、波板形状をしたトタン板（２）を先端部分がｎ字形状をしたナット付きＬ棒と、波板形状をしたトタン板（２）に取り付けているパッドアイ（７）とを使用して、波板形状をしたトタン板（２）の裏面から垂木（３）に取り付けることを実施例１６とする。
【実施例１７】
【００６６】
波板形状をしたトタン板（２）、例えば、日新製鋼（株）が製造販売をしている商品名がＺＡＭ鋼板を使用した波板形状をしたトタン板（２）の表面上に、（株）クリーンベンチャー２１の約直径の１ｍｍ球形シリコンｐｎ接合太陽電池面（１６）、導電性反射防止膜付の強化ガラス（１８）負電極と反射鏡（１７）からなる集光形太陽電池（１）を設置して、太陽電池の温度過熱を抑制するために、正電極の太陽電池下部（１９）を波板形状をしたトタン板（２）の山部に密着して、トタン板（２）からも放熱することを特徴とした太陽電池（１）を形成した波板形状をしたトタン板に取り付けることを実施例１７とする。
【実施例１８】
【００６７】
波板形状をしたトタン板（２）、例えば、日新製鋼（株）が製造販売をしている商品名がＺＡＭ鋼板を使用した波板形状をしたトタン板を反射鏡（１７）として、約１ｃｍ外径の円筒形シリコンｐｎ接合太陽電池面（１６）と強化ガラス（１８）と反射鏡（１７）正電極からなる集光形太陽電池（１）を一体的に形成して、太陽電池の温度過熱を抑制するために、トタン板（２）から放熱することを特徴とて、太陽電池下部（１９）を正電極とした太陽電池（１）と波板形状をしたトタン板を一体化をしたことを実施例１８する。円筒形太陽電池面（１６）の内部に水を流すか、又はヒートパイプにして放熱すると、温水も得られることを実施例１８する。
【実施例１９】
【００６８】
波板形状をしたトタン板（２）の表面上に太陽電池（１）を取り付ける目的のために、
波板形状をしたトタン板（２）の裏面にフック（７）、又はパッドアイ（７）、又はロングアイ（７）、又はオープンパッドアイ（７）、又はアイストラップ（７）、又はＵＫターンバックル（７）、又はナット付Ｌ棒、（以下、略して、パッドアイとする）を、波板形状をしたトタン板（２）の裏面に取り付けたあと、波板形状をしたトタン板（２）の表面上に太陽電池（１）を接着層（１０）を介在させて接合させたあと、波板形状をしたトタン板（２）の裏面に取り付けているパッドアイ（７）に、先端部分がｎ字形状をしたナット付きＬ棒を使用して、波板形状をしたトタン板（２）を家屋を構成している屋根材の垂木（３）に、波板形状をしたトタン板（２）の裏面から垂木（３）に、波板形状をしたトタン板（２）を先端部分がｎ字形状をしたナット付きＬ棒と、波板形状をしたトタン板（２）に取り付けているパッドアイ（７）とを使用して、波板形状をしたトタン板（２）の裏面から垂木（３）に取り付けることを解決手段とする。
また、波板形状をしたトタン板（２）を裏面から家屋の屋根材を構成している垂木（３）に取り付けることにより、波板形状をしたトタン板（２）の表面上を一切損傷をすることなく、波板形状をしたトタン板（２）を家屋の屋根材を構成している垂木（３）に取り付けて固定をすることを実施例１９とする。
【実施例２０】
【００６９】
波板形状をしたトタン板（２）の表面上に太陽電池（１）を取り付ける目的にて、波板形状をしたトタン板（２）の表面上にナット（６）をアーク溶接部分（１３）、又は金属接着剤部分（１３）を形成して、波板形状をしたトタン板（２）の表面上にナット（６）を固定したあと、波板形状をしたトタン板（２）と太陽電池（１）との中間に、発泡ポリスチレン製板とアルミホイルで出来ている板とで出来ている板の合板（２０）を接着層（１０）を介在させて形成をして積層をさせたあと、さらに、波板形状をしたトタン板（２）の裏面上にアーク溶接部分（１３）、又は金属接着剤部分（１３）を形成してパッドアイ（７）、又はロングアイ（７）、又はオープンパッドアイ（７）、又はアイストラップ（７）（以下、略して、パッドアイとする）を使用して、波板形状をしたトタン板（２）の裏面上に家屋を構成している垂木（３）を取り付けるのに、家屋の屋根を構成している瓦（２１）に穴（２２）を形成して、波板形状をしたトタン板（２）の裏面上に取り付けているパッドアイ（７）と先端部分がｎ字形状をしたナット付きＬ棒（１４）を瓦（２１）に形成をしている穴（２２）の内部を貫通させて、先端部分がｎ字形状をしたナット付きＬ棒（１４）を使用して、家屋を構成している垂木（３）に、波板形状をしたトタン板（２）の表面上に太陽電池（１）を形成した波板形状をしたトタン板（２）を、先端部分がｎ字形状をしたナット付きＬ棒（１４）を、瓦（２１）に形成をしている穴（２２）の内部を貫通させて、波板形状をしたトタン板（２）を家屋を構成している垂木（３）に取り付けて固定をすると、瓦（２１）に形成をしている穴（２２）から雨水が漏れて、家屋の内部に雨水が進入をするのを防止するために、瓦（２１）の表面上から、５ｃｍ前後の長い円筒形状（２３）をした構造物を瓦（２１）と合体をさせて一体構造をした瓦（２１）を使用して先端部分がｎ字形状をしたナット付きＬ棒（１４）を使用して波板形状をしたトタン板（２）を固定している。さらに、円筒形状（２３）の内部を貫通している先端部分がｎ字形状をしたナット付きＬ棒（１４）を、円筒形状（２３）の内部にて密封剤（２４）である、例えば、シリコーン樹脂などで出来ている接着剤を使用して、瓦（２１）と合体をさせて一体構造をした瓦（２１）に形成をしている円筒形状（２３）の内部を密封剤（２４）を使用して密封をして、瓦（２１）に形成をしている穴（２２）から雨水が家屋の内部に漏れるのを防止する。または、シリコーン樹脂などで出来ているパッキング（２４）を、密封剤（２４）の代わりに円筒形状（２３）の内部に挿入をして、先端部分がｎ字形状をしたナット付きＬ棒（１４）を、瓦（２１）と合体をさせて一体構造をした瓦（２１）に形成をしている円筒形状（２３）の内部にて密封をして、瓦（２１）に形成をしている穴（２２）から雨水が家屋の内部に漏れるのを防止することが出来る構造をした、瓦（２１）と円筒形状（２３）を合体させて一体構造とした瓦（２１）を実施例２０とする。
【実施例２１】
【００７０】
図７３、及び図７４に示しているように、折板屋根（２）、又はスレート屋根（２）の表面上に、太陽電池（１）の製造会社である。例えば、会社の本社の所在地が米国にある、ＵＮＩ-ＳＯＬＡＲ社が製造販売をしている太陽電池（１）は、基盤にステンレススチール製の板厚の厚さが０．５ｍｍのステンレススチール製の板厚の表面上にアモルファスシリコン、及びシリコンゲルマニウムで構成されている３層型である。また、ＵＮＩ-ＳＯＬＡＲ社の太陽電池（１）は、フレキシブルタイプで柔軟性がある。さらに、基盤であるステンレススチール製板の裏面上には強力な接着効果がある接着層（１０）を形成している。この基盤がステンレススチール製板で出来ているＵＮＩ-ＳＯＬＡＲ社製の太陽電池（１）を折板屋根（２）、又はスレート屋根（２）（以下、略して、折板屋根とする）の表面上に、例えば、家屋の峰である棟に対して平行に折板屋根（２）の表面上に、ＵＮＩ-ＳＯＬＡＲ社製の太陽電池（１）を棟に対して平行に直貼りをする。または、家屋の峰である棟に対して上下方向である直角に折板屋根（２）の表面上に、ＵＮＩ-ＳＯＬＡＲ社製の太陽電池（１）を上下方向の直角に直貼りをすると、ＵＮＩ-ＳＯＬＡＲ社製の太陽電池（１）の基盤を構成しているステンレススチール製板の裏面上に形成をしている接着層（１０）を使用して、折板屋根（２）の表面上に強固に、ＵＮＩ-ＳＯＬＡＲ社製の太陽電池（１）を接着させて接合をさせることが出来ることを実施例２１とする。
【実施例２２】
【００７１】
図７３、及び図７４に示しているように、折板屋根（２）、又はスレート屋根（２）（以下、略して、折板屋根とする）の表面上に、ＵＮＩ-ＳＯＬＡＲ社製の基盤がステンレススチール製の板厚の厚さが０．５ｍｍのステンレススチール製板の基盤で出来ている、幅が１ｍ程度で、長さ方向は自由に切断が出来る長尺物の、ＵＮＩ-ＳＯＬＡＲ社製の太陽電池（１）を折板屋根（２）、又はスレート屋根（２）の表面上に、ＵＮＩ-ＳＯＬＡＲ社製の太陽電池（１）の基盤の裏面上に形成をしている接着層（１０）を介在させて折板屋根（２）、又はスレート屋根（２）の表面上に、ＵＮＩ-ＳＯＬＡＲ社製の太陽電池（１）を、太陽電池（１）の基盤の裏面上に形成をしている接着層（１０）を介在させて折板屋根（２）、又はスレート屋根（２）の表面上に直貼りをすると、ＵＮＩ-ＳＯＬＡＲ社製の太陽電池（１）は長尺物の太陽電池（１）なので、結果としては、長尺物の太陽電池（１）を直貼りをすることになり、表面張力が強力となるので、ＵＮＩ-ＳＯＬＡＲ社製の太陽電池（１）を折板屋根（２）、又はスレート屋根（２）の表面上に直貼りをした表面上を、人間が自由に歩くことが出来るほどの重量の荷重に耐えうることが出来ることを実施例２２とする。
【実施例２３】
【００７２】
図７３、及び図７４に示しているように、折板屋根（２）、又はスレート屋根（２）（以下、略して、折板屋根とする）の表面上に、ＵＮＩ-ＳＯＬＡＲ社製の基盤がステンレススチール製の板厚の厚さが０．５ｍｍのステンレススチール製板の基盤で出来ている、ＵＮＩ-ＳＯＬＡＲ社製の太陽電池（１）を折板屋根（２）、又はスレート屋根（２）の表面上に、ＵＮＩ-ＳＯＬＡＲ社製の太陽電池（１）の基盤の裏面上に形成をしている接着層（１０）を介在させて折板屋根（２）、又はスレート屋根（２）の表面上に、ＵＮＩ-ＳＯＬＡＲ社製の太陽電池（１）を直貼りをすると、太陽電池（１）を設置するために必要な構造物は、一切必要性がないので、極く安価な費用にて太陽電池（１）を、家屋を構成している屋根材である折板屋根（２）、又はスレート屋根（２）の表面上に、極く安価なコストにてＵＮＩ-ＳＯＬＡＲ社製の太陽電池（１）を設置することが出来ることを実施例２３とする。
【実施例２４】
【００７３】
図８３に示しているのは、石綿スレート２６が数十年を経過して、旧くなって脆くなって危険な石綿スレート２６の強度を補強して補修工事をする目的にて、上記の図７５にて説明をした、従来の石綿スレート２６である、アスベストをセメントで固めて形成をしたアスベスト形成板（以下、略して、石綿スレートとする）２６を、家屋の屋根材を構成している垂木３の裏面から、石綿スレート２６をボルト５、及びナット６を使用して垂木３に取り付けたあとの、石綿スレート２６の表面上に、例えば、厚さが１０ｃｍ前後で、鉄板小波を屋根材として使用する場合には、働き巾が６９５ｍｍなので、横巾が６９５ｍｍの発泡スチロール板で、また、鉄板大波を屋根材として使用する場合には、働き巾が６８５ｍｍなので、横巾が６８５ｍｍの発泡スチロール板で出来ている、発泡スチロール板の形状が、片面の形状が石綿スレート２６の形状をした発泡スチロール２９で、もう一方の片面の形状がスレート屋根２５の、スレート屋根２５の形状をした発泡スチロール２９を、石綿スレート２６の表面上に、石綿スレート２６の表面上に敷き詰めて重ねて積層をして、石綿スレート２６の表面上の耐えうる荷重を、例えば、石綿スレート２６の表面上を、人間が自由に歩いても耐えうる限度以上の、石綿スレート２６の荷重が、人間の重量の荷重に耐えうる構造物としたあとの、発泡スチロール２９の表面上に、スレート屋根２５を重ねて積層をして、垂木３、石綿スレート２６、発泡スチロール２９、及びスレート屋根２５の４種類のパネルを、パッドアイ７、及び先端部分がｎ字形状をしたナット付Ｌ棒１４を使用して、家屋を構成している屋根材である垂木３の裏面である下の面からスレート屋根２５を上下から重ねて積層をして取り付けたスレート屋根２５を、結果として、発泡スチロール２９を石綿スレート２６とスレート屋根２５との中間に介在をさせて、石綿スレート２６に固定をしたあとの、スレート屋根２５の表面上にナット６、パッドアイ７、及びボルト５を使用して太陽電池１をスレート屋根２５の表面上に取り付けて固定をすることが出来ることを実施例２４とする。
【産業上の利用可能性】
【００７４】
波板形状をしたトタン板（２）の表面上に太陽電池（１）を形成することにより、従来、同じ形状の波板形状をしたトタン板（２）を使用している、例えば、ニワトリ小屋の屋根材として使用をしている、同じ縦×横の寸法が全く同じ波板形状をしたトタン板と取り換えることにより、波板形状をしたトタン板（２）の表面上に太陽電池（１）を形成した、発電機能がある波板形状をしたトタン板（２）と取り換えることにより、太陽電池を取り付けるための構造物を形成することなく、容易に発電機能がある波板形状をしたトタン板（２）と取り換えることが出来る。
【００７５】
また、上記にて説明をした、日本国に於いては波板形状をしたトタン板は、ニワトリ小屋の屋根ぐらいにしか使用していない。けれども、世界中で最も暑くて、最も貧困の国々が多い熱帯地方である赤道地帯である東南アジア、サハラ砂漠以南のアフリカ、中国の南部地方、及びメキシコ以南の中南米では、主たる家屋の屋根材は波板形状をしたトタン板である。また、電気のインフラストラクチャーがない生活をしている家々も数多くある。この電気のインフラストラクチャーが全くない人々が居住をしている家々の主たる屋根材は波板形状をしたトタン板である。このインフラストラクチャーがない人々が居住をしている家々の屋根材である波板形状をしたトタン板と、全く同じ形状と寸法の発電機能がある波板形状をしたトタン板（２）と取り換えることにより、容易に電気の供給が出来ることになる。
【００７６】
さらに、波板形状をしたトタン板（２）をボルト（５）、又はナット（６）、又はフック（７）、又はパッドアイ（７）、又はロングアイ（７）、又はオープンパッドアイ（７）、又はアイストラップ（７）、又はＵＫターンバックル（７）、又はナット付Ｌ棒、（以下、略して、ナット、又はフック、又はアイとする）、又はその他の手段を使用して、家屋の屋根を構成している垂木（３）に波板形状をしたトタン板（２）の裏面から垂木（３）を取り付けることにより、波板形状をしたトタン板（２）の表面上に釘（４）を打ち付けることで発生をする傷口を一切損傷させることなく、家屋を構成している屋根材の垂木（３）に波板形状をしたトタン板（２）を、裏面から垂木（３）に取り付けて固定をするので、波板形状をしたトタン板（２）の表面上には一切傷口を発生させることなく波板形状をしたトタン板（２）を屋根材として使用することが出来るので、例えば、上記にて説明をした、商品名がガルバスター（ＺＧ）鋼板、又はＺＡＭ鋼板を使用して波板形状をしたトタン板（２）を形成すると耐用年数が、ガルバスター（ＺＧ）鋼板、又はＺＡＭ鋼板を製造販売している日新鋼板（株）が保証をしている、保証期間の１０年間の保証期間の３倍から５倍の３０年から５０年間、一切腐蝕をしない波板形状をしたトタン板（２）、及び平板で出来ているトタン板（８）を形成することが出来ることになる。
【符号の説明】
【００７７】
１  波板で出来ているトタン板、又はセメントで出来ているスレート波板（以下、略して、トタン板とする）の表面上に太陽電池（以下、略して、太陽電池とする）を形成している。
２  波板で出来ているトタン板、又はスレート屋根（以下、略して、スレート屋根とする）
３  垂木、又は家屋の屋根を構成している骨格（以下、略して、垂木とする）
４  釘
５  ボルト
６  ナット
７  ナット、又はフック、又はパッドアイ、又はロングアイ、又はオープンパッドアイ、又はアイストラップ、又はＵＫターンバックル、又はナット付Ｌ棒（以下、略して、ナット、又はフック、又はアイ、又はパッドアイとする）
８  平板で出来ているトタン板
９  発泡スチロール、又は発泡ポリスチレン、又は発泡ウレタン、又はその他の発泡物体で出来ている片面が波板形状で、もう一方の片面が平板形状、又は屋根瓦の瓦として使用をしている、瓦の形状に類似の形状で出来ている発泡物体（以下、略して、波板形状をした発泡スチロール製板とする）
１０  接着剤、又は接着層、又は両面テープ（以下、略して、接着層、又は両面テープとする）
１１  発泡スチロール、又は発泡ポリスチレン、又は発泡ウレタン、又はその他の発泡物体で出来ている両側面が平板形状、又は片面が平板形状で、もう一方の片面が屋根瓦の瓦として使用をしている、瓦の形状に類似の形状で出来ている発泡物体（以下、略して、平板形状をした発泡スチロール製板とする）
１２  雨水が進入をして漏水するのを防止する目的のパッキング（以下、略して、パッキングとする）
１３  溶接、又は金属接着剤、又は両面テープを使用してボルト（５）、パッドアイを接合している部分（以下、略して、溶接部分、又は金属接着剤部分、又は両面テープとする）
１４  先端部分がｎ字形状をしたナット付きＬ棒
１５  鋲（リベット）、又は鳩目（以下、略して、鋲とする）を使用して２枚の鉄板を接合している部分
１６  銅のパイプで出来ている太陽電池面（以下、略して、太陽電池面とする）
１７  反射鏡
１８  強化ガラス
１９  太陽電池下部
２０  発泡スチロール、又は発泡ポリスチレン、又は発泡ウレタン、又はその他の発泡物体で出来ている両側面が平板形状で出来ている発泡物体（以下、略して、平板形状をした発泡ポリスチレン製板、又は発泡スチロール製板とする）の、発泡ポリスチレン、又は発泡スチロールで出来ている板厚の厚さが、例えば、５ｍｍ前後の板厚の厚さの発泡ポリスチレン、又は発泡スチロールで出来ている板の両側面上に、例えば、０．１ｍｍ前後の厚さのアルミニウムで出来ている板を、発泡ポリスチレン、又は発泡スチロールで出来ている板の両側面上に接着剤を使用して、発泡ポリスチレン、又は発泡スチロールで出来ている板を中心としてアルミニウムで出来ている板を両側面上に貼り付けている、発泡スチロールで出来ている板とアルミニウムで出来ている板の合板（以下、略して、ミラパネエース（２０）とする）
２１  瓦、又はスレート、又は通常の波板形状をしたトタン板、又は通常の平板で出来ているトタン板、又はその他の薄板で出来ている屋根材（以下、略して、瓦とする）
２２  瓦、又はスレート、又は通常の波板形状をしたトタン板、又は通常の平板で出来ているトタン板、又はその他の薄板で出来ている屋根材に形成をした穴（以下、略して、瓦に形成をした穴とする）
２３  瓦、又はスレート、又は波板形状をしたトタン板、又は平板で出来ているトタン板、又はその他の薄板で出来ている屋根材（以下、略して、瓦とする）に、瓦の内部から瓦の外部の表面上に煙突に類似の、瓦の内部が中空の長い円筒形状をした構造物を瓦の内部から表面上にかけて形成をしている長い円筒形状（以下、略して、円筒形状とする）
２４  瓦（２１）に形成をしている斜線の部分は円筒形状の内部を通過している、先端部分がｎ字形状をしたナット付きＬ棒（１４）を密封する目的のために、シリコーン樹脂などで出来ている接着剤を密封している密封剤、又はシリコーン樹脂、又はシリコーンゴムなどで出来ているパッキング（以下、略して、密封剤、又はパッキングとする）
２５  トタン板屋根、又は波板で出来ているトタン板屋根、又はスレート屋根、又は鉄板小波、又は鉄板大波、又は角波、又はルーフ、又はかん合立平瓦棒、又は横葺ルーフ、又は折板屋根（以下、略して、トタン板、又はスレート屋根、又は角波、又はルーフ、又はかん合立平瓦棒、又は横葺ルーフ、又は折板屋根とする）
２６  石綿スレート
２７  片面の形状が石綿スレート２６の形状をした発泡スチロールで、もう一方の片面が平板形状をした発泡スチロール
２８  両面の形状が平板形状をした発泡スチロール
２９  片面が石綿スレート２６の形状をした発泡スチロールで、もう一方の片面が波板形状をしたトタン板、又はスレート屋根、又は鉄板小波、又は鉄板大波、又は角波、又はルーフ、又はかん合立平瓦棒、又は横葺ルーフ、又は折板屋根（以下、略して、トタン板、又はスレート屋根、又は角波、又はルーフ、又はかん合立平瓦棒、又は横葺ルーフ、又は折板屋根とする）の形状をした発泡スチロール
３０  片面の形状が平板形状をした発泡スチロールで、もう一方の片面が波板形状をしたトタン板、又はスレート屋根、又は鉄板小波、又は鉄板大波、又は角波、又はルーフ、又はかん合立平瓦棒、又は横葺ルーフ、又は折板屋根（以下、略して、トタン板、又はスレート屋根、又は角波、又はルーフ、又はかん合立平瓦棒、又は横葺ルーフ、又は折板屋根とする）の形状をした発泡スチロール
【図１】
2014015803.tif 000003
【図２】
2014015803.tif 000004
【図３】
2014015803.tif 000005
【図４】
2014015803.tif 000006
【図５】
2014015803.tif 000007
【図６】
2014015803.tif 000008
【図７】
2014015803.tif 000009
【図８】
2014015803.tif 000010
【図９】
2014015803.tif 000011
【図１０】
2014015803.tif 000012
【図１１】
2014015803.tif 000013
【図１２】
2014015803.tif 000014
【図１３】
2014015803.tif 000015
【図１４】
2014015803.tif 000016
【図１５】
2014015803.tif 000017
【図１６】
2014015803.tif 000018
【図１７】
2014015803.tif 000019
【図１８】
2014015803.tif 000020
【図１９】
2014015803.tif 000021
【図２０】
2014015803.tif 000022
【図２１】
2014015803.tif 000023
【図２２】
2014015803.tif 000024
【図２３】
2014015803.tif 000025
【図２４】
2014015803.tif 000026
【図２５】
2014015803.tif 000027
【図２６】
2014015803.tif 000028
【図２７】
2014015803.tif 000029
【図２８】
2014015803.tif 000030
【図２９】
2014015803.tif 000031
【図３０】
2014015803.tif 000032
【図３１】
2014015803.tif 000033
【図３２】
2014015803.tif 000034
【図３３】
2014015803.tif 000035
【図３４】
2014015803.tif 000036
【図３５】
2014015803.tif 000037
【図３６】
2014015803.tif 000038
【図３７】
2014015803.tif 000039
【図３８】
2014015803.tif 000040
【図３９】
2014015803.tif 000041
【図４０】
2014015803.tif 000042
【図４１】
2014015803.tif 000043
【図４２】
2014015803.tif 000044
【図４３】
2014015803.tif 000045
【図４４】
2014015803.tif 000046
【図４５】
2014015803.tif 000047
【図４６】
2014015803.tif 000048
【図４７】
2014015803.tif 000049
【図４８】
2014015803.tif 000050
【図４９】
2014015803.tif 000051
【図５０】
2014015803.tif 000052
【図５１】
2014015803.tif 000053
【図５２】
2014015803.tif 000054
【図５３】
2014015803.tif 000055
【図５４】
2014015803.tif 000056
【図５５】
2014015803.tif 000057
【図５６】
2014015803.tif 000058
【図５７】
2014015803.tif 000059
【図５８】
2014015803.tif 000060
【図５９】
2014015803.tif 000061
【図６０】
2014015803.tif 000062
【図６１】
2014015803.tif 000063
【図６２】
2014015803.tif 000064
【図６３】
2014015803.tif 000065
【図６４】
2014015803.tif 000066
【図６５】
2014015803.tif 000067
【図６６】
2014015803.tif 000068
【図６７】
2014015803.tif 000069
【図６８】
2014015803.tif 000070
【図６９】
2014015803.tif 000071
【図７０】
2014015803.tif 000072
【図７１】
2014015803.tif 000073
【図７２】
2014015803.tif 000074
【図７３】
2014015803.tif 000075
【図７４】
2014015803.tif 000076
【図７５】
2014015803.tif 000077
【図７６】
2014015803.tif 000078
【図７７】
2014015803.tif 000079
【図７８】
2014015803.tif 000080
【図７９】
2014015803.tif 000081
【図８０】
2014015803.tif 000082
【図８１】
2014015803.tif 000083
【図８２】
2014015803.tif 000084
【図８３】
2014015803.tif 000085
【図８４】
2014015803.tif 000086